(57)【要約】【課題】算出手段によって算出される割合が不正確となってしまうことを防ぐ遊技機を提供すること。【解決手段】第１アウト検出手段は、第１入賞口および第２入賞口に進入した遊技媒体のいずれも検出不能に設けられており、第２アウト検出手段は、第２入賞口に進入した遊技媒体は検出可能である一方で、第１入賞口に進入した遊技媒体は検出不能に設けられており、算出手段は、第１入賞検出手段により遊技媒体が検出された場合には、第１数に１を加算するとともに、該検出にもとづいて付与される遊技媒体数を第２数に加算し、第２入賞検出手段により遊技媒体が検出された場合には、第１数に１を加算せずに、該検出にもとづいて付与される遊技媒体数を前記第２数に加算する。【選択図】図８−２７
2020065774.tif 000002
【特許請求の範囲】
【請求項１】
遊技領域へ遊技媒体を発射し、遊技を行うことが可能な遊技機であって、
遊技媒体が進入可能に設けられ、遊技媒体が進入することによって遊技媒体を付与する第１入賞口および第２入賞口と、
遊技媒体が進入可能であって、前記第１入賞口または前記第２入賞口に進入しなかった遊技媒体が前記遊技領域から排出可能に設けられた第１アウト口および第２アウト口と、
前記第１入賞口に遊技媒体が進入したことを検出するための第１入賞検出手段と、
前記第２入賞口に遊技媒体が進入したことを検出するための第２入賞検出手段と、
前記第１アウト口に遊技媒体が進入したことを検出するための第１アウト検出手段と、
前記第２アウト口に遊技媒体が進入したことを検出するための第２アウト検出手段と、
前記遊技領域に発射された遊技媒体の数である第１数に対して、付与された遊技媒体の数である第２数の割合を算出可能な算出手段と、
前記算出手段によって算出された割合に関する情報を表示可能な表示手段と、
を備え、
前記第１アウト検出手段は、前記第１入賞口および前記第２入賞口に進入した遊技媒体のいずれも検出不能に設けられており、
前記第２アウト検出手段は、前記第２入賞口に進入した遊技媒体は検出可能である一方で、前記第１入賞口に進入した遊技媒体は検出不能に設けられており、
前記算出手段は、
前記第１入賞検出手段により遊技媒体が検出された場合には、前記第１数に１を加算するとともに、該検出にもとづいて付与される遊技媒体数を前記第２数に加算し、
前記第２入賞検出手段により遊技媒体が検出された場合には、前記第１数に１を加算せずに、該検出にもとづいて付与される遊技媒体数を前記第２数に加算する
ことを特徴とする遊技機。
【発明の詳細な説明】
【技術分野】
【０００１】
本発明は、遊技領域へ遊技媒体を発射し、遊技を行うことが可能な遊技機に関する。
【背景技術】
【０００２】
従来の遊技機には、遊技媒体が進入することが遊技媒体を付与する入賞口と、遊技領域から遊技媒体を排出可能なアウト口と、遊技領域に発射された遊技媒体の数である第１数と付与された遊技媒体の数である第２数の割合を算出可能な算出手段と、該算出手段にて算出した割合に関する情報を表示可能な表示手段と、を備えているものがある。また、このような遊技機としては、アウト口にて検出された遊技媒体数を第１数としてカウントするものと、入賞口にて検出された遊技媒体数を第１数としてカウントするものがある（例えば、特許文献１参照）。
【先行技術文献】
【特許文献】
【０００３】
【特許文献１】特開２０１７−２２１２３９号公報
【発明の概要】
【発明が解決しようとする課題】
【０００４】
しかしながら、特許文献１にあっては、入賞口とアウト口とが複数設けられており、いずれかの入賞口に進入した遊技媒体が流下する流路といずれかのアウト口に進入した遊技媒体が流下する流路が合流している場合は、入賞口に進入したことで第１数としてカウントされた遊技媒体がアウト口に進入した遊技媒体が流下する流路を流下することで再び第１数としてカウントされると、算出手段にて算出される割合が不正確となってしまうという問題がある。
【０００５】
本発明は、このような問題点に着目してなされたもので、算出手段によって算出される割合が不正確となってしまうことを防ぐ遊技機を提供することを目的とする。
【課題を解決するための手段】
【０００６】
手段１に記載の遊技機は、
遊技領域（例えば、左遊技領域１５１ＳＧ００２Ｌや右遊技領域１５１ＳＧ００２Ｒ）へ遊技媒体（例えば、遊技球）を発射し、遊技を行うことが可能な遊技機（例えば、パチンコ遊技機１）であって、
遊技媒体が進入可能に設けられ、遊技媒体が進入することによって遊技媒体を付与する第１入賞口（例えば、第１始動入賞口Ａ）および第２入賞口（例えば、第２始動入賞口）と、
遊技媒体が進入可能であって、前記第１入賞口または前記第２入賞口に進入しなかった遊技媒体が前記遊技領域から排出可能に設けられた第１アウト口（例えば、図８−１に示すように、第１入賞球装置６Ａ下方に形成された第１アウト口）および第２アウト口（例えば、図８−５に示すように、アウト用流路１５１ＳＧ７１４の最下流部に形成された第２アウト口）と、
前記第１入賞口に遊技媒体が進入したことを検出するための第１入賞検出手段（例えば、第１始動口Ａスイッチ１５１ＳＧ０２２Ａ）と、
前記第２入賞口に遊技媒体が進入したことを検出するための第２入賞検出手段（例えば、第２始動口スイッチ１５１ＳＧ０２２Ｃ）と、
前記第１アウト口に遊技媒体が進入したことを検出するための第１アウト検出手段（例えば、第１アウトスイッチ１５１ＳＧ０４１Ａ）と、
前記第２アウト口に遊技媒体が進入したことを検出するための第２アウト検出手段（例えば、第２アウトスイッチ１５１ＳＧ０４１Ｂ）と、
前記遊技領域に発射された遊技媒体の数である第１数（例えば、アウト数カウンタの値）に対して、付与された遊技媒体の数である第２数（例えば、賞球数カウンタの値）の割合を算出可能な算出手段（例えば、ＣＰＵ１０３が図８−２７に示すベース値算出処理の１５１ＳＧＳ２９２の処理を実行する部分）と、
前記算出手段によって算出された割合に関する情報（例えば、ベース値）を表示可能な表示手段（例えば、表示モニタ１５１ＳＧ０２９）と、
を備え、
前記第１アウト検出手段は、前記第１入賞口および前記第２入賞口に進入した遊技媒体のいずれも検出不能に設けられており（例えば、図８−１０に示すように、第１アウトスイッチ１５１ＳＧ０４１Ａは、第１始動入賞口Ａ、第１始動入賞口Ｂ、第２始動入賞口に進入した遊技球を検出不能となっている部分）、
前記第２アウト検出手段は、前記第２入賞口に進入した遊技媒体は検出可能である一方で、前記第１入賞口に進入した遊技媒体は検出不能に設けられており（例えば、図８−１及び図８−５に示すように、第２アウトスイッチ１５１ＳＧ０４１Ｂは、第１始動入賞口Ｂや第２始動入賞口に入賞した後にアウト用流路１５１ＳＧ７１４を流下する遊技球を検出可能である一方で、第１始動入賞口Ａに入賞した遊技球については検出不能である部分）、
前記算出手段は、
前記第１入賞検出手段により遊技媒体が検出された場合には、前記第１数に１を加算するとともに、該検出にもとづいて付与される遊技媒体数を前記第２数に加算し（例えば、図８−２７における１５１ＳＧＳ２６４〜１５１ＳＧＳ２６６の処理に示すように、ＣＰＵ１０３は、第１始動口Ａスイッチ１５１ＳＧ０２２ＡがＯＮとなった場合（第１始動口Ａスイッチ１５１ＳＧ０２２Ａが遊技球を検出した場合）は、アウト数カウンタの値を＋１する部分）、
前記第２入賞検出手段により遊技媒体が検出された場合には、前記第１数に１を加算せずに、該検出にもとづいて付与される遊技媒体数を前記第２数に加算する（例えば、図８−２７における１５１ＳＧＳ２７１〜１５１ＳＧＳ２７３ａの処理に示すように、第２始動口スイッチ１５１ＳＧ０２２ＣがＯＮとなった場合（第２始動口スイッチ１５１ＳＧ０２２Ｃが遊技球を検出した場合）は、アウト数カウンタの値の加算を行わずに賞球数カウンタの値を＋３する部分）
ことを特徴としている。
この特徴によれば、算出手段によって算出される割合が不正確となってしまうことを防ぐことができる。
【０００７】
手段２の遊技機は、手段１に記載の遊技機であって、
前記算出手段は、前記第２入賞検出手段により遊技媒体が検出された後、該遊技媒体が前記第２アウト検出手段によって検出されたことにより前記第１数に１を加算する（例えば、図８−２７における１５１ＳＧＳ２８１〜１５１ＳＧＳ２８４に示すように、遊技球が第２始動口スイッチ１５１ＳＧ０２２Ｃにて検出された後、該遊技球が第２アウトスイッチ１５１ＳＧ０４１Ｂにて検出されたことによりアウト数カウンタの値を＋１する部分）
ことを特徴としている。
この特徴によれば、第２アウト検出手段によって検出されたことによる第１数への加算処理が複雑化してしまうことを防ぐことができる。
【０００８】
手段３の遊技機は、手段１または手段２に記載の遊技機であって、
前記遊技領域には、第１経路（例えば、左遊技領域１５１ＳＧ００２Ｌ）と該第１経路とは異なる第２経路（例えば、右遊技領域１５１ＳＧ００２Ｒ）とが形成されており、
前記第１アウト口は前記第１経路を移動した遊技媒体が進入可能に設けられ（例えば、第１アウト口は左遊技領域１５１ＳＧ００２Ｌを流下する遊技球が進入可能である部分）、
前記第２アウト口は前記第２経路を移動した遊技媒体が進入可能に設けられる（例えば、第２アウト口は右遊技領域１５１ＳＧ００２Ｒを流下する遊技球が進入可能に設けられている部分）
ことを特徴としている。
この特徴によれば、各経路を移動する遊技媒体を的確に排出できるとともに、第２経路を移動する遊技媒体についても、正確な割合を算出することができる。
【０００９】
手段４の遊技機は、手段１〜手段３のいずれかに記載の遊技機であって、
一体化構造を有するユニット部材（例えば、入賞ユニット１５１ＳＧ７００）を備え、
前記第２入賞口および前記第２入賞検出手段と、前記第２アウト口および前記第２アウト検出手段とが前記ユニット部材に設けられる（例えば、図８−５に示すように、第２始動入賞口及び第２始動口スイッチ１５１ＳＧ０２２Ｃ、第２アウト口及び第２アウト検出スイッチ１５１ＳＧ０４１Ｂが入賞ユニット１５１ＳＧ７００内に設けられている部分）
ことを特徴としている。
この特徴によれば、第２入賞口および第２アウト口に進入した遊技媒体を第２アウト検出手段にて検出可能とするための経路をユニット部材内に的確に設けることができる。
【００１０】
手段５の遊技機は、手段１〜手段４のいずれかに記載の遊技機であって、
前記算出手段は、前記第２入賞検出手段により遊技媒体が検出されたときには、前記第１数に１を加算せずに０を加算する（例えば、図８−２７における１５１ＳＧＳ２７１〜１５１ＳＧＳ２７３ａに示すように、ＣＰＵ１０３は、遊技球が第２始動口スイッチ１５１ＳＧ０２２Ｃにて検出されたことによりアウト数カウンタの値に０を加算する部分）
ことを特徴としている。
この特徴によれば、０を加算するようにすることで、第１入賞検出手段における加算処理と処理を共通化できるので、加算処理プログラムを簡素化できる。
【００１１】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１２】
【図１】この実施の形態におけるパチンコ遊技機の正面図である。
【図２】パチンコ遊技機に搭載された各種の制御基板などを示す構成図である。
【図３】遊技制御メイン処理の一例を示すフローチャートである。
【図４】遊技制御用タイマ割込み処理の一例を示すフローチャートである。
【図５】特別図柄プロセス処理の一例を示すフローチャートである。
【図６】演出制御メイン処理の一例を示すフローチャートである。
【図７】演出制御プロセス処理の一例を示すフローチャートである。
【図８−１】パチンコ遊技機の正面図である。
【図８−２】遊技盤及び賞球ユニットの分解斜視図である。
【図８−３】遊技盤及び賞球ユニットの分解斜視図である。
【図８−４】遊技盤の背面図である。
【図８−５】賞球ユニットの構造を示す正面図である。
【図８−６】（Ａ）は第１誘導状態の振分部材を示す図であり、（Ｂ）は第２誘導状態の振分部材を示す図である。
【図８−７】（Ａ）は振分部材の動作パターンと振分部材の動作パターンを示す図であり、（Ｂ）はスライド部材の動作パターンの決定割合を示す図である。
【図８−８】図８−４におけるＡ−Ａ断面図である。
【図８−９】図８−４におけるＢ−Ｂ断面図である。
【図８−１０】遊技球の進入対象と各スイッチの検出状況の関係を示す図である。
【図８−１１】パチンコ遊技機に搭載された各種の制御基板などを示す構成図である。
【図８−１２】各遊技状態において入賞可能な入賞口と各入賞口における賞球数を示す図である。
【図８−１３】パチンコ遊技機の背面斜視図である。
【図８−１４】表示モニタの正面図である。
【図８−１５】演出制御コマンドを例示する図である。
【図８−１６】各乱数を示す説明図である。
【図８−１７】変動パターンを例示する図である。
【図８−１８】（Ａ）は表示結果判定テーブルを示す説明図であり、（Ｂ）及び（Ｃ）は大当り種別判定テーブルを示す説明図であり、（Ｄ）は小当り種別判定テーブルを示す説明図である。
【図８−１９】（Ａ）は各種大当り種別の説明図であり、（Ｂ）は第１高ベース状態と第２高ベース状態の終了条件の説明図である。
【図８−２０】遊技制御用タイマ割込み処理を示すフローチャートである。
【図８−２１】特別図柄通常処理を示すフローチャートである。
【図８−２２】特別図柄停止処理を示すフローチャートである。
【図８−２３】特別図柄停止処理を示すフローチャートである。
【図８−２４】小当り開放前処理を示すフローチャートである。
【図８−２５】小当り開放中処理を示すフローチャートである。
【図８−２６】小当り終了処理を示すフローチャートである。
【図８−２７】ベース値算出処理を示すフローチャートである。
【図８−２８】各状況において賞球数を賞球数カウンタに加算するか否かの説明図である。
【発明を実施するための形態】
【００１３】
本発明に係る遊技機を実施するための形態を実施例に基づいて以下に説明する。
【００１４】
（基本説明）
まず、パチンコ遊技機１の基本的な構成及び制御（一般的なパチンコ遊技機の構成及び制御でもある。）について説明する。
【００１５】
（パチンコ遊技機１の構成等）
図１は、パチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、遊技領域が形成され、この遊技領域には、遊技媒体としての遊技球が、所定の打球発射装置から発射されて打ち込まれる。
【００１６】
遊技盤２の所定位置（図１に示す例では、遊技領域の右側方）には、複数種類の特別識別情報としての特別図柄（特図ともいう）の可変表示（特図ゲームともいう）を行う第１特別図柄表示装置４Ａ及び第２特別図柄表示装置４Ｂが設けられている。これらは、それぞれ、７セグメントのＬＥＤなどからなる。特別図柄は、「０」〜「９」を示す数字や「−」などの点灯パターンなどにより表される。特別図柄には、ＬＥＤを全て消灯したパターンが含まれてもよい。
【００１７】
なお、特別図柄の「可変表示」とは、例えば、複数種類の特別図柄を変動可能に表示することである（後述の他の図柄についても同じ）。変動としては、複数の図柄の更新表示、複数の図柄のスクロール表示、１以上の図柄の変形、１以上の図柄の拡大／縮小などがある。特別図柄や後述の普通図柄の変動では、複数種類の特別図柄又は普通図柄が更新表示される。後述の飾り図柄の変動では、複数種類の飾り図柄がスクロール表示又は更新表示されたり、１以上の飾り図柄が変形や拡大／縮小されたりする。なお、変動には、ある図柄を点滅表示する態様も含まれる。可変表示の最後には、表示結果として所定の特別図柄が停止表示（導出又は導出表示などともいう）される（後述の他の図柄の可変表示についても同じ）。なお、可変表示を変動表示、変動と表現する場合がある。
【００１８】
なお、第１特別図柄表示装置４Ａにおいて可変表示される特別図柄を「第１特図」ともいい、第２特別図柄表示装置４Ｂにおいて可変表示される特別図柄を「第２特図」ともいう。また、第１特図を用いた特図ゲームを「第１特図ゲーム」といい、第２特図を用いた特図ゲームを「第２特図ゲーム」ともいう。なお、特別図柄の可変表示を行う特別図柄表示装置は１種類であってもよい。
【００１９】
遊技盤２における遊技領域の中央付近には画像表示装置５が設けられている。画像表示装置５は、例えばＬＣＤ（液晶表示装置）や有機ＥＬ（Electro Luminescence）等から構成され、各種の演出画像を表示する。画像表示装置５は、プロジェクタ及びスクリーンから構成されていてもよい。画像表示装置５には、各種の演出画像が表示される。
【００２０】
例えば、画像表示装置５の画面上では、第１特図ゲームや第２特図ゲームと同期して、特別図柄とは異なる複数種類の装飾識別情報としての飾り図柄（数字などを示す図柄など）の可変表示が行われる。ここでは、第１特図ゲーム又は第２特図ゲームに同期して、「左」、「中」、「右」の各飾り図柄表示エリア５Ｌ、５Ｃ、５Ｒにおいて飾り図柄が可変表示（例えば上下方向のスクロール表示や更新表示）される。なお、同期して実行される特図ゲーム及び飾り図柄の可変表示を総称して単に可変表示ともいう。
【００２１】
画像表示装置５の画面上には、実行が保留されている可変表示に対応する保留表示や、実行中の可変表示に対応するアクティブ表示を表示するための表示エリアが設けられていてもよい。保留表示及びアクティブ表示を総称して可変表示に対応する可変表示対応表示ともいう。
【００２２】
保留されている可変表示の数は保留記憶数ともいう。第１特図ゲームに対応する保留記憶数を第１保留記憶数、第２特図ゲームに対応する保留記憶数を第２保留記憶数ともいう。また、第１保留記憶数と第２保留記憶数との合計を合計保留記憶数ともいう。
【００２３】
また、遊技盤２の所定位置には、複数のＬＥＤを含んで構成された第１保留表示器２５Ａと第２保留表示器２５Ｂとが設けられ、第１保留表示器２５Ａは、ＬＥＤの点灯個数によって、第１保留記憶数を表示し、第２保留表示器２５Ｂは、ＬＥＤの点灯個数によって、第２保留記憶数を表示する。
【００２４】
画像表示装置５の下方には、入賞球装置６Ａと、可変入賞球装置６Ｂとが設けられている。
【００２５】
入賞球装置６Ａは、例えば所定の玉受部材によって常に遊技球が進入可能な一定の開放状態に保たれる第１始動入賞口を形成する。第１始動入賞口に遊技球が進入したときには、所定個（例えば３個）の賞球が払い出されるとともに、第１特図ゲームが開始され得る。
【００２６】
可変入賞球装置６Ｂ（普通電動役物）は、ソレノイド８１（図２参照）によって閉鎖状態と開放状態とに変化する第２始動入賞口を形成する。可変入賞球装置６Ｂは、例えば、一対の可動翼片を有する電動チューリップ型役物を備え、ソレノイド８１がオフ状態であるときに可動翼片が垂直位置となることにより、当該可動翼片の先端が入賞球装置６Ａに近接し、第２始動入賞口に遊技球が進入しない閉鎖状態になる（第２始動入賞口が閉鎖状態になるともいう。）。その一方で、可変入賞球装置６Ｂは、ソレノイド８１がオン状態であるときに可動翼片が傾動位置となることにより、第２始動入賞口に遊技球が進入できる開放状態になる（第２始動入賞口が開放状態になるともいう。）。第２始動入賞口に遊技球が進入したときには、所定個（例えば３個）の賞球が払い出されるとともに、第２特図ゲームが開始され得る。なお、可変入賞球装置６Ｂは、閉鎖状態と開放状態とに変化するものであればよく、電動チューリップ型役物を備えるものに限定されない。
【００２７】
遊技盤２の所定位置（図１に示す例では、遊技領域の左右下方４箇所）には、所定の玉受部材によって常に一定の開放状態に保たれる一般入賞口１０が設けられる。この場合には、一般入賞口１０のいずれかに進入したときには、所定個数（例えば１０個）の遊技球が賞球として払い出される。
【００２８】
入賞球装置６Ａと可変入賞球装置６Ｂの下方には、大入賞口を有する特別可変入賞球装置７が設けられている。特別可変入賞球装置７は、ソレノイド８２（図２参照）によって開閉駆動される大入賞口扉を備え、その大入賞口扉によって開放状態と閉鎖状態とに変化する特定領域としての大入賞口を形成する。
【００２９】
一例として、特別可変入賞球装置７では、大入賞口扉用（特別電動役物用）のソレノイド８２がオフ状態であるときに大入賞口扉が大入賞口を閉鎖状態として、遊技球が大入賞口に進入（通過）できなくなる。その一方で、特別可変入賞球装置７では、大入賞口扉用のソレノイド８２がオン状態であるときに大入賞口扉が大入賞口を開放状態として、遊技球が大入賞口に進入しやすくなる。
【００３０】
大入賞口に遊技球が進入したときには、所定個数（例えば１４個）の遊技球が賞球として払い出される。大入賞口に遊技球が進入したときには、例えば第１始動入賞口や第２始動入賞口及び一般入賞口１０に遊技球が進入したときよりも多くの賞球が払い出される。
【００３１】
一般入賞口１０を含む各入賞口に遊技球が進入することを「入賞」ともいう。特に、始動口（第１始動入賞口、第２始動入賞口始動口）への入賞を始動入賞ともいう。
【００３２】
遊技盤２の所定位置（図１に示す例では、遊技領域の左側方）には、普通図柄表示器２０が設けられている。一例として、普通図柄表示器２０は、７セグメントのＬＥＤなどからなり、特別図柄とは異なる複数種類の普通識別情報としての普通図柄の可変表示を行う。普通図柄は、「０」〜「９」を示す数字や「−」などの点灯パターンなどにより表される。普通図柄には、ＬＥＤを全て消灯したパターンが含まれてもよい。このような普通図柄の可変表示は、普図ゲームともいう。
【００３３】
画像表示装置５の左方には、遊技球が通過可能な通過ゲート４１が設けられている。遊技球が通過ゲート４１を通過したことに基づき、普図ゲームが実行される。
【００３４】
普通図柄表示器２０の上方には、普図保留表示器２５Ｃが設けられている。普図保留表示器２５Ｃは、例えば４個のＬＥＤを含んで構成され、実行が保留されている普図ゲームの数である普図保留記憶数をＬＥＤの点灯個数により表示する。
【００３５】
遊技盤２の表面には、上記の構成以外にも、遊技球の流下方向や速度を変化させる風車及び多数の障害釘が設けられている。遊技領域の最下方には、いずれの入賞口にも進入しなかった遊技球が取り込まれるアウト口が設けられている。
【００３６】
遊技機用枠３の左右上部位置には、効果音等を再生出力するためのスピーカ８Ｌ、８Ｒが設けられており、さらに遊技領域周辺部には、遊技効果用の遊技効果ランプ９が設けられている。遊技効果ランプ９は、ＬＥＤを含んで構成されている。
【００３７】
遊技盤２の所定位置（図１では図示略）には、演出に応じて動作する可動体３２が設けられている。
【００３８】
遊技機用枠３の右下部位置には、遊技球を打球発射装置により遊技領域に向けて発射するために遊技者等によって操作される打球操作ハンドル（操作ノブ）３０が設けられている。
【００３９】
遊技領域の下方における遊技機用枠３の所定位置には、賞球として払い出された遊技球や所定の球貸機により貸し出された遊技球を、打球発射装置へと供給可能に保持（貯留）する打球供給皿（上皿）が設けられている。上皿の下方には、上皿満タン時に賞球が払い出される打球供給皿（下皿）が設けられている。
【００４０】
遊技領域の下方における遊技機用枠３の所定位置には、遊技者が把持して傾倒操作が可能なスティックコントローラ３１Ａが取り付けられている。スティックコントローラ３１Ａには、遊技者が押下操作可能なトリガボタンが設けられている。スティックコントローラ３１Ａに対する操作は、コントローラセンサユニット３５Ａ（図２参照）により検出される。
【００４１】
遊技領域の下方における遊技機用枠３の所定位置には、遊技者が押下操作などにより所定の指示操作を可能なプッシュボタン３１Ｂが設けられている。プッシュボタン３１Ｂに対する操作は、プッシュセンサ３５Ｂ（図２参照）により検出される。
【００４２】
パチンコ遊技機１では、遊技者の動作（操作等）を検出する検出手段として、スティックコントローラ３１Ａやプッシュボタン３１Ｂが設けられるが、これら以外の検出手段が設けられていてもよい。
【００４３】
（遊技の進行の概略）
パチンコ遊技機１が備える打球操作ハンドル３０への遊技者による回転操作により、遊技球が遊技領域に向けて発射される。遊技球が通過ゲート４１を通過すると、普通図柄表示器２０による普図ゲームが開始される。なお、前回の普図ゲームの実行中の期間等に遊技球が通過ゲート４１を通過した場合（遊技球が通過ゲート４１を通過したが当該通過に基づく普図ゲームを直ちに実行できない場合）には、当該通過に基づく普図ゲームは所定の上限数（例えば４）まで保留される。
【００４４】
この普図ゲームでは、特定の普通図柄（普図当り図柄）が停止表示されれば、普通図柄の表示結果が「普図当り」となる。その一方、確定普通図柄として、普図当り図柄以外の普通図柄（普図はずれ図柄）が停止表示されれば、普通図柄の表示結果が「普図はずれ」となる。「普図当り」となると、可変入賞球装置６Ｂを所定期間開放状態とする開放制御が行われる（第２始動入賞口が開放状態になる）。
【００４５】
入賞球装置６Ａに形成された第１始動入賞口に遊技球が進入すると、第１特別図柄表示装置４Ａによる第１特図ゲームが開始される。
【００４６】
可変入賞球装置６Ｂに形成された第２始動入賞口に遊技球が進入すると、第２特別図柄表示装置４Ｂによる第２特図ゲームが開始される。
【００４７】
なお、特図ゲームの実行中の期間や、後述する大当り遊技状態や小当り遊技状態に制御されている期間に、遊技球が始動入賞口へ進入（入賞）した場合（始動入賞が発生したが当該始動入賞に基づく特図ゲームを直ちに実行できない場合）には、当該進入に基づく特図ゲームは所定の上限数（例えば４）までその実行が保留される。
【００４８】
特図ゲームにおいて、確定特別図柄として特定の特別図柄（大当り図柄、例えば「７」、後述の大当り種別に応じて実際の図柄は異なる。）が停止表示されれば、「大当り」となり、大当り図柄とは異なる所定の特別図柄（小当り図柄、例えば「２」）が停止表示されれば、「小当り」となる。また、大当り図柄や小当り図柄とは異なる特別図柄（はずれ図柄、例えば「−」）が停止表示されれば「はずれ」となる。
【００４９】
特図ゲームでの表示結果が「大当り」になった後には、遊技者にとって有利な有利状態として大当り遊技状態に制御される。特図ゲームでの表示結果が「小当り」になった後には、小当り遊技状態に制御される。
【００５０】
大当り遊技状態においては、遊技者は、遊技球を大入賞口に進入させることで、賞球を得ることができる。従って、大当り遊技状態は、遊技者にとって有利な状態である。大当り遊技状態におけるラウンド数が多い程、また、開放上限期間が長い程遊技者にとって有利となる。
【００５１】
なお、「大当り」には、大当り種別が設定されている。例えば、大入賞口の開放態様（ラウンド数や開放上限期間）や、大当り遊技状態後の遊技状態（後述の、通常状態、時短状態、確変状態など）を複数種類用意し、これらに応じて大当り種別が設定されている。大当り種別として、多くの賞球を得ることができる大当り種別や、賞球の少ない又はほとんど賞球を得ることができない大当り種別が設けられていてもよい。
【００５２】
小当り遊技状態では、特別可変入賞球装置７により形成される大入賞口が所定の開放態様で開放状態となる。例えば、小当り遊技状態では、一部の大当り種別のときの大当り遊技状態と同様の開放態様（大入賞口の開放回数が上記ラウンド数と同じであり、かつ、大入賞口の閉鎖タイミングも同じ等）で大入賞口が開放状態となる。なお、大当り種別と同様に、「小当り」にも小当り種別を設けてもよい。
【００５３】
大当り遊技状態が終了した後は、上記大当り種別に応じて、時短状態や確変状態に制御されることがある。
【００５４】
時短状態では、平均的な特図変動時間（特図を変動させる期間）を通常状態よりも短縮させる制御（時短制御）が実行される。時短状態では、平均的な普図変動時間（普図を変動させる期間）を通常状態よりも短縮させたり、普図ゲームで「普図当り」となる確率を通常状態よりも向上させる等により、第２始動入賞口に遊技球が進入しやすくなる制御（高開放制御、高ベース制御）も実行される。時短状態は、特別図柄（特に第２特別図柄）の変動効率が向上する状態であるので、遊技者にとって有利な状態である。
【００５５】
確変状態（確率変動状態）では、時短制御に加えて、表示結果が「大当り」となる確率が通常状態よりも高くなる確変制御が実行される。確変状態は、特別図柄の変動効率が向上することに加えて「大当り」となりやすい状態であるので、遊技者にとってさらに有利な状態である。
【００５６】
時短状態や確変状態は、所定回数の特図ゲームが実行されたことと、次回の大当り遊技状態が開始されたこと等といった、いずれか１つの終了条件が先に成立するまで継続する。所定回数の特図ゲームが実行されたことが終了条件となるものを、回数切り（回数切り時短、回数切り確変等）ともいう。
【００５７】
通常状態とは、遊技者にとって有利な大当り遊技状態等の有利状態、時短状態、確変状態等の特別状態以外の遊技状態のことであり、普図ゲームにおける表示結果が「普図当り」となる確率及び特図ゲームにおける表示結果が「大当り」となる確率などのパチンコ遊技機１が、パチンコ遊技機１の初期設定状態（例えばシステムリセットが行われた場合のように、電源投入後に所定の復帰処理を実行しなかったとき）と同一に制御される状態である。
【００５８】
確変制御が実行されている状態を高確状態、確変制御が実行されていない状態を低確状態ともいう。時短制御が実行されている状態を高ベース状態、時短制御が実行されていない状態を低ベース状態ともいう。これらを組み合わせて、時短状態は低確高ベース状態、確変状態は高確高ベース状態、通常状態は低確低ベース状態などともいわれる。高確状態かつ低ベース状態は高確低ベース状態ともいう。
【００５９】
小当り遊技状態が終了した後は、遊技状態の変更が行われず、特図ゲームの表示結果が「小当り」となる以前の遊技状態に継続して制御される（但し、「小当り」発生時の特図ゲームが、上記回数切りにおける上記所定回数目の特図ゲームである場合には、当然遊技状態が変更される）。なお、特図ゲームの表示結果として「小当り」がなくてもよい。
【００６０】
なお、遊技状態は、大当り遊技状態中に遊技球が特定領域（例えば、大入賞口内の特定領域）を通過したことに基づいて、変化してもよい。例えば、遊技球が特定領域を通過したとき、その大当り遊技状態後に確変状態に制御してもよい。
【００６１】
（演出の進行など）
パチンコ遊技機１では、遊技の進行に応じて種々の演出（遊技の進行状況を報知したり、遊技を盛り上げたりする演出）が実行される。当該演出について以下説明する。なお、当該演出は、画像表示装置５に各種の演出画像を表示することによって行われるが、当該表示に加えて又は代えて、スピーカ８Ｌ、８Ｒからの音声出力、及び／又は、遊技効果ランプ９の点等／消灯、可動体３２の動作等により行われてもよい。
【００６２】
遊技の進行に応じて実行される演出として、画像表示装置５に設けられた「左」、「中」、「右」の飾り図柄表示エリア５Ｌ、５Ｃ、５Ｒでは、第１特図ゲーム又は第２特図ゲームが開始されることに対応して、飾り図柄の可変表示が開始される。第１特図ゲームや第２特図ゲームにおいて表示結果（確定特別図柄ともいう。）が停止表示されるタイミングでは、飾り図柄の可変表示の表示結果となる確定飾り図柄（３つの飾り図柄の組合せ）も停止表示（導出）される。
【００６３】
飾り図柄の可変表示が開始されてから終了するまでの期間では、飾り図柄の可変表示の態様が所定のリーチ態様となる（リーチが成立する）ことがある。ここで、リーチ態様とは、画像表示装置５の画面上にて停止表示された飾り図柄が後述の大当り組み合わせの一部を構成しているときに未だ停止表示されていない飾り図柄については可変表示が継続している態様などのことである。
【００６４】
また、飾り図柄の可変表示中に上記リーチ態様となったことに対応してリーチ演出が実行される。パチンコ遊技機１では、演出態様に応じて表示結果（特図ゲームの表示結果や飾り図柄の可変表示の表示結果）が「大当り」となる割合（大当り信頼度、大当り期待度とも呼ばれる。）が異なる複数種類のリーチ演出が実行される。リーチ演出には、例えば、ノーマルリーチと、ノーマルリーチよりも大当り信頼度の高いスーパーリーチと、がある。
【００６５】
特図ゲームの表示結果が「大当り」となるときには、画像表示装置５の画面上において、飾り図柄の可変表示の表示結果として、予め定められた大当り組み合わせとなる確定飾り図柄が導出される（飾り図柄の可変表示の表示結果が「大当り」となる）。一例として、「左」、「中」、「右」の飾り図柄表示エリア５Ｌ、５Ｃ、５Ｒにおける所定の有効ライン上に同一の飾り図柄（例えば、「７」等）が揃って停止表示される。
【００６６】
大当り遊技状態の終了後に確変状態に制御される「確変大当り」である場合には、奇数の飾り図柄（例えば、「７」等）が揃って停止表示され、大当り遊技状態の終了後に確変状態に制御されない「非確変大当り（通常大当り）」である場合には、偶数の飾り図柄（例えば、「６」等）が揃って停止表示されるようにしてもよい。この場合、奇数の飾り図柄を確変図柄、偶数の飾り図柄を非確変図柄（通常図柄）ともいう。非確変図柄でリーチ態様となった後に、最終的に「確変大当り」となる昇格演出を実行するようにしてもよい。
【００６７】
特図ゲームの表示結果が「小当り」となるときには、画像表示装置５の画面上において、飾り図柄の可変表示の表示結果として、予め定められた小当り組み合わせとなる確定飾り図柄（例えば、「１  ３  ５」等）が導出される（飾り図柄の可変表示の表示結果が「小当り」となる）。一例として、「左」、「中」、「右」の飾り図柄表示エリア５Ｌ、５Ｃ、５Ｒにおける所定の有効ライン上にチャンス目を構成する飾り図柄が停止表示される。なお、特図ゲームの表示結果が、一部の大当り種別（小当り遊技状態と同様の態様の大当り遊技状態の大当り種別）の「大当り」となるときと、「小当り」となるときとで、共通の確定飾り図柄が導出表示されてもよい。
【００６８】
特図ゲームの表示結果が「はずれ」となる場合には、飾り図柄の可変表示の態様がリーチ態様とならずに、飾り図柄の可変表示の表示結果として、非リーチ組み合わせの確定飾り図柄（「非リーチはずれ」ともいう。）が停止表示される（飾り図柄の可変表示の表示結果が「非リーチはずれ」となる）ことがある。また、表示結果が「はずれ」となる場合には、飾り図柄の可変表示の態様がリーチ態様となった後に、飾り図柄の可変表示の表示結果として、大当り組み合わせでない所定のリーチ組み合わせ（「リーチはずれ」ともいう）の確定飾り図柄が停止表示される（飾り図柄の可変表示の表示結果が「リーチはずれ」となる）こともある。
【００６９】
パチンコ遊技機１が実行可能な演出には、上記の可変表示対応表示（保留表示やアクティブ表示）を表示することも含まれる。また、他の演出として、例えば、大当り信頼度を予告する予告演出等が飾り図柄の可変表示中に実行される。予告演出には、実行中の可変表示における大当り信頼度を予告する予告演出や、実行前の可変表示（実行が保留されている可変表示）における大当り信頼度を予告する先読み予告演出がある。先読み予告演出として、可変表示対応表示（保留表示やアクティブ表示）の表示態様を通常とは異なる態様に変化させる演出が実行されるようにしてもよい。
【００７０】
また、画像表示装置５において、飾り図柄の可変表示中に飾り図柄を一旦仮停止させた後に可変表示を再開させることで、１回の可変表示を擬似的に複数回の可変表示のように見せる擬似連演出を実行するようにしてもよい。
【００７１】
大当り遊技状態中にも、大当り遊技状態を報知する大当り中演出が実行される。大当り中演出としては、ラウンド数を報知する演出や、大当り遊技状態の価値が向上することを示す昇格演出が実行されてもよい。また、小当り遊技状態中にも、小当り遊技状態を報知する小当り中演出が実行される。なお、小当り遊技状態中と、一部の大当り種別（小当り遊技状態と同様の態様の大当り遊技状態の大当り種別で、例えばその後の遊技状態を高確状態とする大当り種別）での大当り遊技状態とで、共通の演出を実行することで、現在が小当り遊技状態中であるか、大当り遊技状態中であるかを遊技者に分からないようにしてもよい。そのような場合であれば、小当り遊技状態の終了後と大当り遊技状態の終了後とで共通の演出を実行することで、高確状態であるか低確状態であるかを識別できないようにしてもよい。
【００７２】
また、例えば特図ゲーム等が実行されていないときには、画像表示装置５にデモ（デモンストレーション）画像が表示される（客待ちデモ演出が実行される）。
【００７３】
（基板構成）
パチンコ遊技機１には、例えば図２に示すような主基板１１、演出制御基板１２、音声制御基板１３、ランプ制御基板１４、中継基板１５などが搭載されている。その他にも、パチンコ遊技機１の背面には、例えば払出制御基板、情報端子基板、発射制御基板、電源基板などといった、各種の基板が配置されている。
【００７４】
主基板１１は、メイン側の制御基板であり、パチンコ遊技機１における上記遊技の進行（特図ゲームの実行（保留の管理を含む）、普図ゲームの実行（保留の管理を含む）、大当り遊技状態、小当り遊技状態、遊技状態など）を制御する機能を有する。主基板１１は、遊技制御用マイクロコンピュータ１００、スイッチ回路１１０、ソレノイド回路１１１などを有する。
【００７５】
主基板１１に搭載された遊技制御用マイクロコンピュータ１００は、例えば１チップのマイクロコンピュータであり、ＲＯＭ（Read Only Memory）１０１と、ＲＡＭ（Random Access Memory）１０２と、ＣＰＵ（Central Processing Unit）１０３と、乱数回路１０４と、Ｉ／Ｏ（Input/Output port）１０５とを備える。
【００７６】
ＣＰＵ１０３は、ＲＯＭ１０１に記憶されたプログラムを実行することにより、遊技の進行を制御する処理（主基板１１の機能を実現する処理）を行う。このとき、ＲＯＭ１０１が記憶する各種データ（後述の変動パターン、後述の演出制御コマンド、後述の各種決定を行う際に参照される各種テーブルなどのデータ）が用いられ、ＲＡＭ１０２がメインメモリとして使用される。ＲＡＭ１０２は、その一部または全部がパチンコ遊技機１に対する電力供給が停止しても、所定期間記憶内容が保存されるバックアップＲＡＭとなっている。なお、ＲＯＭ１０１に記憶されたプログラムの全部又は一部をＲＡＭ１０２に展開して、ＲＡＭ１０２上で実行するようにしてもよい。
【００７７】
乱数回路１０４は、遊技の進行を制御するときに使用される各種の乱数値（遊技用乱数）を示す数値データを更新可能にカウントする。遊技用乱数は、ＣＰＵ１０３が所定のコンピュータプログラムを実行することで更新されるもの（ソフトウェアで更新されるもの）であってもよい。
【００７８】
Ｉ／Ｏ１０５は、例えば各種信号（後述の検出信号）が入力される入力ポートと、各種信号（第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどを制御（駆動）する信号、ソレノイド駆動信号）を伝送するための出力ポートとを含んで構成される。
【００７９】
スイッチ回路１１０は、遊技球検出用の各種スイッチ（ゲートスイッチ２１、始動口スイッチ（第１始動口スイッチ２２Ａおよび第２始動口スイッチ２２Ｂ）、カウントスイッチ２３）からの検出信号（遊技球が通過又は進入してスイッチがオンになったことを示す検出信号など）を取り込んで遊技制御用マイクロコンピュータ１００に伝送する。検出信号の伝送により、遊技球の通過又は進入が検出されたことになる。
【００８０】
ソレノイド回路１１１は、遊技制御用マイクロコンピュータ１００からのソレノイド駆動信号（例えば、ソレノイド８１やソレノイド８２をオンする信号など）を、普通電動役物用のソレノイド８１や大入賞口扉用のソレノイド８２に伝送する。
【００８１】
主基板１１（遊技制御用マイクロコンピュータ１００）は、遊技の進行の制御の一部として、遊技の進行に応じて演出制御コマンド（遊技の進行状況等を指定（通知）するコマンド）を演出制御基板１２に供給する。主基板１１から出力された演出制御コマンドは、中継基板１５により中継され、演出制御基板１２に供給される。当該演出制御コマンドには、例えば主基板１１における各種の決定結果（例えば、特図ゲームの表示結果（大当り種別を含む。）、特図ゲームを実行する際に使用される変動パターン（詳しくは後述））、遊技の状況（例えば、可変表示の開始や終了、大入賞口の開放状況、入賞の発生、保留記憶数、遊技状態）、エラーの発生等を指定するコマンド等が含まれる。
【００８２】
演出制御基板１２は、主基板１１とは独立したサブ側の制御基板であり、演出制御コマンドを受信し、受信した演出制御コマンドに基づいて演出（遊技の進行に応じた種々の演出であり、可動体３２の駆動、エラー報知、電断復旧の報知等の各種報知を含む）を実行する機能を有する。
【００８３】
演出制御基板１２には、演出制御用ＣＰＵ１２０と、ＲＯＭ１２１と、ＲＡＭ１２２と、表示制御部１２３と、乱数回路１２４と、Ｉ／Ｏ１２５とが搭載されている。
【００８４】
演出制御用ＣＰＵ１２０は、ＲＯＭ１２１に記憶されたプログラムを実行することにより、表示制御部１２３とともに演出を実行するための処理（演出制御基板１２の上記機能を実現するための処理であり、実行する演出の決定等を含む）を行う。このとき、ＲＯＭ１２１が記憶する各種データ（各種テーブルなどのデータ）が用いられ、ＲＡＭ１２２がメインメモリとして使用される。
【００８５】
演出制御用ＣＰＵ１２０は、コントローラセンサユニット３５Ａやプッシュセンサ３５Ｂからの検出信号（遊技者による操作を検出したときに出力される信号であり、操作内容を適宜示す信号）に基づいて演出の実行を表示制御部１２３に指示することもある。
【００８６】
表示制御部１２３は、ＶＤＰ（Video Display Processor）、ＣＧＲＯＭ（Character Generator ROM）、ＶＲＡＭ（Video RAM）などを備え、演出制御用ＣＰＵ１２０からの演出の実行指示に基づき、演出を実行する。
【００８７】
表示制御部１２３は、演出制御用ＣＰＵ１２０からの演出の実行指示に基づき、実行する演出に応じた映像信号を画像表示装置５に供給することで、演出画像を画像表示装置５に表示させる。表示制御部１２３は、さらに、演出画像の表示に同期した音声出力や、遊技効果ランプ９の点灯／消灯を行うため、音指定信号（出力する音声を指定する信号）を音声制御基板１３に供給したり、ランプ信号（ランプの点灯／消灯態様を指定する信号）をランプ制御基板１４に供給したりする。また、表示制御部１２３は、可動体３２を動作させる信号を当該可動体３２又は当該可動体３２を駆動する駆動回路に供給する。
【００８８】
音声制御基板１３は、スピーカ８Ｌ、８Ｒを駆動する各種回路を搭載しており、当該音指定信号に基づきスピーカ８Ｌ、８Ｒを駆動し、当該音指定信号が指定する音声をスピーカ８Ｌ、８Ｒから出力させる。
【００８９】
ランプ制御基板１４は、遊技効果ランプ９を駆動する各種回路を搭載しており、当該ランプ信号に基づき遊技効果ランプ９を駆動し、当該ランプ信号が指定する態様で遊技効果ランプ９を点灯／消灯する。このようにして、表示制御部１２３は、音声出力、ランプの点灯／消灯を制御する。
【００９０】
なお、音声出力、ランプの点灯／消灯の制御（音指定信号やランプ信号の供給等）、可動体３２の制御（可動体３２を動作させる信号の供給等）は、演出制御用ＣＰＵ１２０が実行するようにしてもよい。
【００９１】
乱数回路１２４は、各種演出を実行するために使用される各種の乱数値（演出用乱数）を示す数値データを更新可能にカウントする。演出用乱数は、演出制御用ＣＰＵ１２０が所定のコンピュータプログラムを実行することで更新されるもの（ソフトウェアで更新されるもの）であってもよい。
【００９２】
演出制御基板１２に搭載されたＩ／Ｏ１２５は、例えば主基板１１などから伝送された演出制御コマンドを取り込むための入力ポートと、各種信号（映像信号、音指定信号、ランプ信号）を伝送するための出力ポートとを含んで構成される。
【００９３】
演出制御基板１２、音声制御基板１３、ランプ制御基板１４といった、主基板１１以外の基板をサブ基板ともいう。パチンコ遊技機１のようにサブ基板が機能別に複数設けられていてもよいし、１のサブ基板が複数の機能を有するように構成してもよい。
【００９４】
（動作）
次に、パチンコ遊技機１の動作（作用）を説明する。
【００９５】
（主基板１１の主要な動作）
まず、主基板１１における主要な動作を説明する。パチンコ遊技機１に対して電力供給が開始されると、遊技制御用マイクロコンピュータ１００が起動し、ＣＰＵ１０３によって遊技制御メイン処理が実行される。図３は、主基板１１におけるＣＰＵ１０３が実行する遊技制御メイン処理を示すフローチャートである。
【００９６】
図３に示す遊技制御メイン処理では、ＣＰＵ１０３は、まず、割込禁止に設定する（ステップＳ１）。続いて、必要な初期設定を行う（ステップＳ２）。初期設定には、スタックポインタの設定、内蔵デバイス（ＣＴＣ（カウンタ／タイマ回路）、パラレル入出力ポート等）のレジスタ設定、ＲＡＭ１０２をアクセス可能状態にする設定等が含まれる。
【００９７】
次いで、クリアスイッチからの出力信号がオンであるか否かを判定する（ステップＳ３）。クリアスイッチは、例えば電源基板に搭載されている。クリアスイッチがオンの状態で電源が投入されると、出力信号（クリア信号）が入力ポートを介して遊技制御用マイクロコンピュータ１００に入力される。クリアスイッチからの出力信号がオンである場合（ステップＳ３；Ｙｅｓ）、初期化処理（ステップＳ８）を実行する。初期化処理では、ＣＰＵ１０３は、ＲＡＭ１０２に記憶されるフラグ、カウンタ、バッファをクリアするＲＡＭクリア処理を行い、作業領域に初期値を設定する。
【００９８】
また、ＣＰＵ１０３は、初期化を指示する演出制御コマンドを演出制御基板１２に送信する（ステップＳ９）。演出制御用ＣＰＵ１２０は、当該演出制御コマンドを受信すると、例えば画像表示装置５において、遊技機の制御の初期化がなされたことを報知するための画面表示を行う。
【００９９】
クリアスイッチからの出力信号がオンでない場合には（ステップＳ３；Ｎｏ）、ＲＡＭ１０２（バックアップＲＡＭ）にバックアップデータが保存されているか否かを判定する（ステップＳ４）。不測の停電等（電断）によりパチンコ遊技機１への電力供給が停止したときには、ＣＰＵ１０３は、当該電力供給の停止によって動作できなくなる直前に、電源供給停止時処理を実行する。この電源供給停止時処理では、ＲＡＭ１０２にデータをバックアップすることを示すバックアップフラグをオンする処理、ＲＡＭ１０２のデータ保護処理等が実行される。データ保護処理には、誤り検出符号（チェックサム、パリティビット等）の付加、各種データをバックアップする処理が含まれる。バックアップされるデータには、遊技を進行するための各種データ（各種フラグ、各種タイマの状態等を含む）の他、前記バックアップフラグの状態や誤り検出符号も含まれる。ステップＳ４では、バックアップフラグがオンであるか否かを判定する。バックアップフラグがオフでＲＡＭ１０２にバックアップデータが記憶されていない場合（ステップＳ４；Ｎｏ）、初期化処理（ステップＳ８）を実行する。
【０１００】
ＲＡＭ１０２にバックアップデータが記憶されている場合（ステップＳ４；Ｙｅｓ）、ＣＰＵ１０３は、バックアップしたデータのデータチェックを行い（誤り検出符号を用いて行われる）、データが正常か否かを判定する（ステップＳ５）。ステップＳ５では、例えば、パリティビットやチェックサムにより、ＲＡＭ１０２のデータが、電力供給停止時のデータと一致するか否かを判定する。これらが一致すると判定された場合、ＲＡＭ１０２のデータが正常であると判定する。
【０１０１】
ＲＡＭ１０２のデータが正常でないと判定された場合（ステップＳ５；Ｎｏ）、内部状態を電力供給停止時の状態に戻すことができないので、初期化処理（ステップＳ８）を実行する。
【０１０２】
ＲＡＭ１０２のデータが正常であると判定された場合（ステップＳ５；Ｙｅｓ）、ＣＰＵ１０３は、主基板１１の内部状態を電力供給停止時の状態に戻すための復旧処理（ステップＳ６）を行う。復旧処理では、ＣＰＵ１０３は、ＲＡＭ１０２の記憶内容（バックアップしたデータの内容）に基づいて作業領域の設定を行う。これにより、電力供給停止時の遊技状態に復旧し、特別図柄の変動中であった場合には、後述の遊技制御用タイマ割込み処理の実行によって、復旧前の状態から特別図柄の変動が再開されることになる。
【０１０３】
そして、ＣＰＵ１０３は、電断からの復旧を指示する演出制御コマンドを演出制御基板１２に送信する（ステップＳ７）。これに合わせて、バックアップされている電断前の遊技状態を指定する演出制御コマンドや、特図ゲームの実行中であった場合には当該実行中の特図ゲームの表示結果を指定する演出制御コマンドを送信するようにしてもよい。これらコマンドは、後述の特別図柄プロセス処理で送信設定されるコマンドと同じコマンドを使用できる。演出制御用ＣＰＵ１２０は、電断からの復旧時を特定する演出制御コマンドを受信すると、例えば画像表示装置５において、電断からの復旧がなされたこと又は電断からの復旧中であることを報知するための画面表示を行う。演出制御用ＣＰＵ１２０は、前記演出制御コマンドに基づいて、適宜の画面表示を行うようにしてもよい。
【０１０４】
復旧処理または初期化処理を終了して演出制御基板１２に演出制御コマンドを送信した後には、ＣＰＵ１０３は、乱数回路１０４を初期設定する乱数回路設定処理を実行する（ステップＳ１０）。そして、所定時間（例えば２ｍｓ）毎に定期的にタイマ割込がかかるように遊技制御用マイクロコンピュータ１００に内蔵されているＣＴＣのレジスタの設定を行い（ステップＳ１１）、割込みを許可する（ステップＳ１２）。その後、ループ処理に入る。以後、所定時間（例えば２ｍｓ）ごとにＣＴＣから割込み要求信号がＣＰＵ１０３へ送出され、ＣＰＵ１０３は定期的にタイマ割込み処理を実行することができる。
【０１０５】
こうした遊技制御メイン処理を実行したＣＰＵ１０３は、ＣＴＣからの割込み要求信号を受信して割込み要求を受け付けると、図４のフローチャートに示す遊技制御用タイマ割込み処理を実行する。図４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチからの検出信号の受信の有無を判定する（ステップＳ２１）。続いて、所定のメイン側エラー処理を実行することにより、パチンコ遊技機１の異常診断を行い、その診断結果に応じて必要ならば警告を発生可能とする（ステップＳ２２）。この後、所定の情報出力処理を実行することにより、例えばパチンコ遊技機１の外部に設置されたホール管理用コンピュータに供給される大当り情報（大当りの発生回数等を示す情報）、始動情報（始動入賞の回数等を示す情報）、確率変動情報（確変状態となった回数等を示す情報）などのデータを出力する（ステップＳ２３）。
【０１０６】
情報出力処理に続いて、主基板１１の側で用いられる遊技用乱数の少なくとも一部をソフトウェアにより更新するための遊技用乱数更新処理を実行する（ステップＳ２４）。この後、ＣＰＵ１０３は、特別図柄プロセス処理を実行する（ステップＳ２５）。ＣＰＵ１０３がタイマ割込み毎に特別図柄プロセス処理を実行することにより、特図ゲームの実行及び保留の管理や、大当り遊技状態や小当り遊技状態の制御、遊技状態の制御などが実現される（詳しくは後述）。
【０１０７】
特別図柄プロセス処理に続いて、普通図柄プロセス処理が実行される（ステップＳ２６）。ＣＰＵ１０３がタイマ割込み毎に普通図柄プロセス処理を実行することにより、ゲートスイッチ２１からの検出信号に基づく（通過ゲート４１に遊技球が通過したことに基づく）普図ゲームの実行及び保留の管理や、「普図当り」に基づく可変入賞球装置６Ｂの開放制御などを可能にする。普図ゲームの実行は、普通図柄表示器２０を駆動することにより行われ、普図保留表示器２５Ｃを点灯させることにより普図保留数を表示する。
【０１０８】
普通図柄プロセス処理を実行した後、遊技制御用タイマ割込み処理の一部として、電断が発生したときの処理、賞球を払い出すための処理等などが行われてもよい。その後、ＣＰＵ１０３は、コマンド制御処理を実行する（ステップＳ２７）。ＣＰＵ１０３は、上記各処理にて演出制御コマンドを送信設定することがある。ステップＳ２７のコマンド制御処理では、送信設定された演出制御コマンドを演出制御基板１２などのサブ側の制御基板に対して伝送させる処理が行われる。コマンド制御処理を実行した後には、割込みを許可してから、遊技制御用タイマ割込み処理を終了する。
【０１０９】
図５は、特別図柄プロセス処理として、図４に示すステップＳ２５にて実行される処理の一例を示すフローチャートである。この特別図柄プロセス処理において、ＣＰＵ１０３は、まず、始動入賞判定処理を実行する（ステップＳ１０１）。
【０１１０】
始動入賞判定処理では、始動入賞の発生を検出し、ＲＡＭ１０２の所定領域に保留情報を格納し保留記憶数を更新する処理が実行される。始動入賞が発生すると、表示結果（大当り種別を含む）や変動パターンを決定するための乱数値が抽出され、保留情報として記憶される。また、抽出した乱数値に基づいて、表示結果や変動パターンを先読み判定する処理が実行されてもよい。保留情報や保留記憶数を記憶した後には、演出制御基板１２に始動入賞の発生、保留記憶数、先読み判定等の判定結果を指定するための演出制御コマンドを送信するための送信設定が行われる。こうして送信設定された始動入賞時の演出制御コマンドは、例えば特別図柄プロセス処理が終了した後、図４に示すステップＳ２７のコマンド制御処理が実行されることなどにより、主基板１１から演出制御基板１２に対して伝送される。
【０１１１】
Ｓ１０１にて始動入賞判定処理を実行した後、ＣＰＵ１０３は、ＲＡＭ１０２に設けられた特図プロセスフラグの値に応じて、ステップＳ１１０〜Ｓ１２０の処理のいずれかを選択して実行する。なお、特別図柄プロセス処理の各処理（ステップＳ１１０〜Ｓ１２０）では、各処理に対応した演出制御コマンドを演出制御基板１２に送信するための送信設定が行われる。
【０１１２】
ステップＳ１１０の特別図柄通常処理は、特図プロセスフラグの値が“０”（初期値）のときに実行される。この特別図柄通常処理では、保留情報の有無などに基づいて、第１特図ゲーム又は第２特図ゲームを開始するか否かの判定が行われる。また、特別図柄通常処理では、表示結果決定用の乱数値に基づき、特別図柄や飾り図柄の表示結果を「大当り」または「小当り」とするか否かや「大当り」とする場合の大当り種別を、その表示結果が導出表示される以前に決定（事前決定）する。さらに、特別図柄通常処理では、決定された表示結果に対応して、特図ゲームにおいて停止表示させる確定特別図柄（大当り図柄や小当り図柄、はずれ図柄のいずれか）が設定される。その後、特図プロセスフラグの値が“１”に更新され、特別図柄通常処理は終了する。なお、第２特図を用いた特図ゲームが第１特図を用いた特図ゲームよりも優先して実行されるようにしてもよい（特図２優先消化ともいう）。また、第１始動入賞口及び第２始動入賞口への遊技球の入賞順序を記憶し、入賞順に特図ゲームの開始条件を成立させるようにしてもよい（入賞順消化ともいう）。
【０１１３】
乱数値に基づき各種の決定を行う場合には、ＲＯＭ１０１に格納されている各種のテーブル（乱数値と比較される決定値が決定結果に割り当てられているテーブル）が参照される。主基板１１における他の決定、演出制御基板１２における各種の決定についても同じである。演出制御基板１２においては、各種のテーブルがＲＯＭ１２１に格納されている。
【０１１４】
ステップＳ１１１の変動パターン設定処理は、特図プロセスフラグの値が“１”のときに実行される。この変動パターン設定処理には、表示結果を「大当り」または「小当り」とするか否かの事前決定結果等に基づき、変動パターン決定用の乱数値を用いて変動パターンを複数種類のいずれかに決定する処理などが含まれている。変動パターン設定処理では、変動パターンを決定したときに、特図プロセスフラグの値が“２”に更新され、変動パターン設定処理は終了する。
【０１１５】
変動パターンは、特図ゲームの実行時間（特図変動時間）（飾り図柄の可変表示の実行時間でもある）や、飾り図柄の可変表示の態様（リーチの有無等）、飾り図柄の可変表示中の演出内容（リーチ演出の種類等）を指定するものであり、可変表示パターンとも呼ばれる。
【０１１６】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。また、計測された経過時間が変動パターンに対応する特図変動時間に達したか否かの判定も行われる。そして、特別図柄の変動を開始してからの経過時間が特図変動時間に達したときには、特図プロセスフラグの値が“３”に更新され、特別図柄変動処理は終了する。
【０１１７】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の表示結果となる確定特別図柄を停止表示（導出）させるための設定を行う処理が含まれている。そして、表示結果が「大当り」である場合には特図プロセスフラグの値が“４”に更新される。その一方で、大当りフラグがオフであり、表示結果が「小当り」である場合には、特図プロセスフラグの値が“８”に更新される。また、表示結果が「はずれ」である場合には、特図プロセスフラグの値が“０”に更新される。表示結果が「小当り」又は「はずれ」である場合、時短状態や確変状態に制御されているときであって、回数切りの終了成立する場合には、遊技状態も更新される。特図プロセスフラグの値が更新されると、特別図柄停止処理は終了する。
【０１１８】
ステップＳ１１４の大当り開放前処理は、特図プロセスフラグの値が“４”のときに実行される。この大当り開放前処理には、表示結果が「大当り」となったことなどに基づき、大当り遊技状態においてラウンドの実行を開始して大入賞口を開放状態とするための設定を行う処理などが含まれている。大入賞口を開放状態とするときには、大入賞口扉用のソレノイド８２に対してソレノイド駆動信号を供給する処理が実行される。このときには、例えば大当り種別がいずれであるかに対応して、大入賞口を開放状態とする開放上限期間や、ラウンドの上限実行回数を設定する。これらの設定が終了すると、特図プロセスフラグの値が“５”に更新され、大当り開放前処理は終了する。
【０１１９】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新し、大当り開放中処理を終了する。
【０１２０】
ステップＳ１１６の大当り開放後処理は、特図プロセスフラグの値が“６”のときに実行される。この大当り開放後処理には、大入賞口を開放状態とするラウンドの実行回数が設定された上限実行回数に達したか否かを判定する処理や、上限実行回数に達した場合に大当り遊技状態を終了させるための設定を行う処理などが含まれている。そして、ラウンドの実行回数が上限実行回数に達していないときには、特図プロセスフラグの値が“５”に更新される一方、ラウンドの実行回数が上限実行回数に達したときには、特図プロセスフラグの値が“７”に更新される。特図プロセスフラグの値が更新されると、大当り解放後処理は終了する。
【０１２１】
ステップＳ１１７の大当り終了処理は、特図プロセスフラグの値が“７”のときに実行される。この大当り終了処理には、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新され、大当り終了処理は終了する。
【０１２２】
ステップＳ１１８の小当り開放前処理は、特図プロセスフラグの値が“８”のときに実行される。この小当り開放前処理には、表示結果が「小当り」となったことに基づき、小当り遊技状態において大入賞口を開放状態とするための設定を行う処理などが含まれている。このときには、特図プロセスフラグの値が“９”に更新され、小当り開放前処理は終了する。
【０１２３】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻して小当り遊技状態の終了タイミングとなったときには、特図プロセスフラグの値が“１０”に更新され、小当り開放中処理は終了する。
【０１２４】
ステップＳ１２０の小当り終了処理は、特図プロセスフラグの値が“１０”のときに実行される。この小当り終了処理には、小当り遊技状態の終了を報知する演出動作が実行される期間に対応した待ち時間が経過するまで待機する処理などが含まれている。ここで、小当り遊技状態が終了するときには、小当り遊技状態となる以前のパチンコ遊技機１における遊技状態を継続させる。小当り遊技状態の終了時における待ち時間が経過したときには、特図プロセスフラグの値が“０”に更新され、小当り終了処理は終了する。
【０１２５】
（演出制御基板１２の主要な動作）
次に、演出制御基板１２における主要な動作を説明する。演出制御基板１２では、電源基板等から電源電圧の供給を受けると、演出制御用ＣＰＵ１２０が起動して、図６のフローチャートに示すような演出制御メイン処理を実行する。図６に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。また、初期動作制御処理を実行する（ステップＳ７２）。初期動作制御処理では、可動体３２を駆動して初期位置に戻す制御、所定の動作確認を行う制御といった可動体３２の初期動作を行う制御が実行される。
【０１２６】
その後、タイマ割込みフラグがオンとなっているか否かの判定を行う（ステップＳ７３）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７３；Ｎｏ）、ステップＳ７３の処理を繰返し実行して待機する。
【０１２７】
また、演出制御基板１２の側では、所定時間が経過するごとに発生するタイマ割込みとは別に、主基板１１からの演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドを取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１２８】
ステップＳ７３にてタイマ割込みフラグがオンである場合には（ステップＳ７３；Ｙｅｓ）、タイマ割込みフラグをクリアしてオフ状態にするとともに（ステップＳ７４）、コマンド解析処理を実行する（ステップＳ７５）。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。例えば、どの演出制御コマンドを受信したかや演出制御コマンドが特定する内容等を演出制御プロセス処理等で確認できるように、読み出された演出制御コマンドをＲＡＭ１２２の所定領域に格納したり、ＲＡＭ１２２に設けられた受信フラグをオンしたりする。また、演出制御コマンドが遊技状態を特定する場合、遊技状態に応じた背景の表示を表示制御部１２３に指示してもよい。
【０１２９】
ステップＳ７５にてコマンド解析処理を実行した後には、演出制御プロセス処理を実行する（ステップＳ７６）。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった装飾発光体における点灯動作、可動体３２の駆動動作といった、各種の演出装置を動作させる制御が行われる。また、各種の演出装置を用いた演出動作の制御内容について、主基板１１から送信された演出制御コマンド等に応じた判定や決定、設定などが行われる。
【０１３０】
ステップＳ７６の演出制御プロセス処理に続いて、演出用乱数更新処理が実行され（ステップＳ７７）、演出制御基板１２の側で用いられる演出用乱数の少なくとも一部がソフトウェアにより更新される。その後、ステップＳ７３の処理に戻る。ステップＳ７３の処理に戻る前に、他の処理が実行されてもよい。
【０１３１】
図７は、演出制御プロセス処理として、図６のステップＳ７６にて実行される処理の一例を示すフローチャートである。図７に示す演出制御プロセス処理において、演出制御用ＣＰＵ１２０は、まず、先読予告設定処理を実行する（ステップＳ１６１）。先読予告設定処理では、例えば、主基板１１から送信された始動入賞時の演出制御コマンドに基づいて、先読み予告演出を実行するための判定や決定、設定などが行われる。また、当該演出制御コマンドから特定される保留記憶数に基づき保留表示を表示するための処理が実行される。
【０１３２】
ステップＳ１６１の処理を実行した後、演出制御用ＣＰＵ１２０は、例えばＲＡＭ１２２に設けられた演出プロセスフラグの値に応じて、以下のようなステップＳ１７０〜Ｓ１７７の処理のいずれかを選択して実行する。
【０１３３】
ステップＳ１７０の可変表示開始待ち処理は、演出プロセスフラグの値が“０”（初期値）のときに実行される処理である。この可変表示開始待ち処理は、主基板１１から可変表示の開始を指定するコマンドなどを受信したか否かに基づき、画像表示装置５における飾り図柄の可変表示を開始するか否かを判定する処理などを含んでいる。画像表示装置５における飾り図柄の可変表示を開始すると判定された場合、演出プロセスフラグの値を“１”に更新し、可変表示開始待ち処理を終了する。
【０１３４】
ステップＳ１７１の可変表示開始設定処理は、演出プロセスフラグの値が“１”のときに実行される処理である。この可変表示開始設定処理では、演出制御コマンドにより特定される表示結果や変動パターンに基づいて、飾り図柄の可変表示の表示結果（確定飾り図柄）、飾り図柄の可変表示の態様、リーチ演出や各種予告演出などの各種演出の実行の有無やその態様や実行開始タイミングなどを決定する。そして、その決定結果等を反映した演出制御パターン（表示制御部１２３に演出の実行を指示するための制御データの集まり）を設定する。その後、設定した演出制御パターンに基づいて、飾り図柄の可変表示の実行開始を表示制御部１２３に指示し、演出プロセスフラグの値を“２”に更新し、可変表示開始設定処理を終了する。表示制御部１２３は、飾り図柄の可変表示の実行開始の指示により、画像表示装置５において、飾り図柄の可変表示を開始させる。
【０１３５】
ステップＳ１７２の可変表示中演出処理は、演出プロセスフラグの値が“２”のときに実行される処理である。この可変表示中演出処理において、演出制御用ＣＰＵ１２０は、表示制御部１２３を指示することで、ステップＳ１７１にて設定された演出制御パターンに基づく演出画像を画像表示装置５の表示画面に表示させることや、可動体３２を駆動させること、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、飾り図柄の可変表示中における各種の演出制御を実行する。こうした演出制御を行った後、例えば演出制御パターンから飾り図柄の可変表示終了を示す終了コードが読み出されたこと、あるいは、主基板１１から確定飾り図柄を停止表示させることを指定するコマンドを受信したことなどに対応して、飾り図柄の表示結果となる確定飾り図柄を停止表示させる。確定飾り図柄を停止表示したときには、演出プロセスフラグの値が“３”に更新され、可変表示中演出処理は終了する。
【０１３６】
ステップＳ１７３の特図当り待ち処理は、演出プロセスフラグの値が“３”のときに実行される処理である。この特図当り待ち処理において、演出制御用ＣＰＵ１２０は、主基板１１から大当り遊技状態又は小当り遊技状態を開始することを指定する演出制御コマンドの受信があったか否かを判定する。そして、大当り遊技状態又は小当り遊技状態を開始することを指定する演出制御コマンドを受信したきに、そのコマンドが大当り遊技状態の開始を指定するものであれば、演出プロセスフラグの値を“６”に更新する。これに対して、そのコマンドが小当り遊技状態の開始を指定するものであれば、演出プロセスフラグの値を小当り中演出処理に対応した値である“４”に更新する。また、大当り遊技状態又は小当り遊技状態を開始することを指定するコマンドを受信せずに、当該コマンドの受信待ち時間が経過したときには、特図ゲームにおける表示結果が「はずれ」であったと判定して、演出プロセスフラグの値を初期値である“０”に更新する。演出プロセスフラグの値を更新すると、特図当り待ち処理を終了する。
【０１３７】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく小当り遊技状態における各種の演出制御を実行する。また、小当り中演出処理では、例えば主基板１１から小当り遊技状態を終了することを指定するコマンドを受信したことに対応して、演出プロセスフラグの値を小当り終了演出に対応した値である“５”に更新し、小当り中演出処理を終了する。
【０１３８】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく小当り遊技状態の終了時における各種の演出制御を実行する。その後、演出プロセスフラグの値を初期値である“０”に更新し、小当り終了演出処理を終了する。
【０１３９】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく大当り遊技状態における各種の演出制御を実行する。また、大当り中演出処理では、例えば主基板１１から大当り遊技状態を終了することを指定するコマンドを受信したことに対応して、演出制御プロセスフラグの値をエンディング演出処理に対応した値である“７”に更新し、大当り中演出処理を終了する。
【０１４０】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく大当り遊技状態の終了時におけるエンディング演出の各種の演出制御を実行する。その後、演出プロセスフラグの値を初期値である“０”に更新し、エンディング演出処理を終了する。
【０１４１】
（基本説明の変形例）
この発明は、上記基本説明で説明したパチンコ遊技機１に限定されず、本発明の趣旨を逸脱しない範囲で、様々な変形及び応用が可能である。
【０１４２】
上記基本説明のパチンコ遊技機１は、入賞の発生に基づいて所定数の遊技媒体を景品として払い出す払出式遊技機であったが、遊技媒体を封入し入賞の発生に基づいて得点を付与する封入式遊技機であってもよい。
【０１４３】
特別図柄の可変表示中に表示されるものは１種類の図柄（例えば、「−」を示す記号）だけで、当該図柄の表示と消灯とを繰り返すことによって可変表示を行うようにしてもよい。さらに可変表示中に当該図柄が表示されるものも、可変表示の停止時には、当該図柄が表示されなくてもよい（表示結果としては「−」を示す記号が表示されなくてもよい）。
【０１４４】
上記基本説明では、遊技機としてパチンコ遊技機１を示したが、メダルが投入されて所定の賭け数が設定され、遊技者による操作レバーの操作に応じて複数種類の図柄を回転させ、遊技者によるストップボタンの操作に応じて図柄を停止させたときに停止図柄の組み合わせが特定の図柄の組み合わせになると、所定数のメダルが遊技者に払い出されるゲームを実行可能なスロット機（例えば、ビッグボーナス、レギュラーボーナス、ＲＴ、ＡＴ、ＡＲＴ、ＣＺ（以下、ボーナス等）のうち１以上を搭載するスロット機）にも本発明を適用可能である。
【０１４５】
本発明を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０１４６】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０１４７】
なお、本明細書において、演出の実行割合などの各種割合の比較の表現（「高い」、「低い」、「異ならせる」などの表現）は、一方が「０％」の割合であることを含んでもよい。例えば、一方が「０％」の割合で、他方が「１００％」の割合又は「１００％」未満の割合であることも含む。
（特徴部１５１ＳＧに関する説明）
【０１４８】
次に、本実施の形態の特徴部１５１ＳＧにおける遊技機につき、図８−１〜図８−２７を参照して説明する。
【０１４９】
まず、図８−１は、本特徴部１５１ＳＧにおけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【０１５０】
本特徴部１５１ＳＧでは、遊技領域は、該遊技領域の略中央位置に配設された画像表示装置５の周囲を囲うセンター飾り枠の左側の左遊技領域１５１ＳＧ００２Ｌと右側の右遊技領域１５１ＳＧ００２Ｒとに分かれており、打球操作ハンドルにて弱めに打ち出された（左打ち）遊技球は左遊技領域１５１ＳＧ００２Ｌを流下し、打球操作ハンドルにより強めに打ち出された（右打ち）遊技球はセンター飾り図柄の上方に形成された上方経路１５１ＳＧ００２Ｃを通過して右遊技領域１５１ＳＧ００２Ｒを流下するようになっている。
【０１５１】
また、左遊技領域１５１ＳＧ００２Ｌには、一般入賞口１５１ＳＧ０１０と入賞球装置６Ａとが配置されており、右遊技領域１５１ＳＧ００２Ｒには、遊技球が内部を通過可能な入賞ユニット１５１ＳＧ７００が配置されている。このため、遊技球は、左遊技領域１５１ＳＧ００２Ｌを流下することによって一般入賞口１５１ＳＧ０１０と入賞球装置６Ａが形成する第１始動入賞口Ａに入賞可能となっており、右遊技領域１５１ＳＧ００２Ｒを流下することによって入賞ユニット１５１ＳＧ７００内に設けられた第１始動入賞口Ｂ、第２始動入賞口、大入賞口、通過ゲート、普電入賞口等（いずれも詳細は後述）に入賞可能となっている。尚、本特徴部１５１ＳＧにおいて第１始動入賞口Ａ入賞した遊技球は、第１始動口Ａスイッチ１５１ＳＧ０２２Ａ（図８−１１参照）にて検出された後に遊技盤２の背面側に誘導されて排出される。一般入賞口１５１ＳＧ０１０に入賞した遊技球は、第７カウントスイッチ１５１ＳＧ０２３Ｇ（図８−１１参照）にて検出された後に遊技盤２の背面側に誘導されて排出される。そして、該第１始動口Ａスイッチ１５１ＳＧ０２２Ａにおいて遊技球が検出されたことにもとづいて第１特別図柄の可変表示が実行されるようになっている。
【０１５２】
尚、本特徴部１５１ＳＧにおける入賞球装置６Ａの下方には左遊技領域１５１ＳＧ００２Ｌや右遊技領域１５１ＳＧ００２Ｒを流下してきた遊技球が進入する第１アウト口が形成されており、該第１アウト口に進入した遊技球は、第１アウトスイッチ１５１ＳＧ０４１Ａにて検出された後に遊技盤２の背面側に誘導されて排出される。
【０１５３】
図８−２〜図８−５に示すように、入賞ユニット１５１ＳＧ７００は、遊技盤２に対して前方から取り付けられる前部ユニット１５１ＳＧ７００Ａと、遊技盤２に対して後方から取り付けられる後部ユニット１５１ＳＧ７００Ｂと、から主に構成されている。
【０１５４】
図８−５に示すように、入賞ユニット１５１ＳＧ７００の上端部には開口部１５１ＳＧ７００ａが形成されており、該開口部１５１ＳＧ７００ａから遊技球が入賞ユニット１５１ＳＧ７００内に進入可能となっている。そして、入賞ユニット１５１ＳＧ７００内には、開口部１５１ＳＧ７００ａから該入賞ユニット１５１ＳＧ７００内に進入した遊技球が流下可能な第１遊技球流路１５１ＳＧ７１１及び第２遊技球流路１５１ＳＧ７１２が形成されている。
【０１５５】
第１遊技球流路１５１ＳＧ７１１の上流部には、該第１遊技球流路１５１ＳＧ７１１から第１分岐路１５１ＳＧ７１１ｂが分岐する第１分岐部１５１ＳＧ７１１ａが設けられており、第１遊技球流路１５１ＳＧ７１１の中流部には、該第１遊技球流路１５１ＳＧ７１１から第２分岐路１５１ＳＧ７１１ｄが分岐する第２分岐部１５１ＳＧ７１１ｃが設けられている。更に、第１遊技球流路１５１ＳＧ７１１の下流部には、該第１遊技球流路１５１ＳＧ７１１から第３分岐路１５１ＳＧ７１１ｆが分岐する第３分岐部１５１ＳＧ７１１ｅが設けられている。
【０１５６】
入賞ユニット１５１ＳＧ７００の下部には、特別可変入賞球装置１５１ＳＧ７０１が設けられている。該特別可変入賞球装置１５１ＳＧ７０１は、ソレノイド１５１ＳＧ０８２（図８−１１参照）の駆動によって開閉駆動させる大入賞口扉を備え、該大入賞口によって開放状態と閉鎖状態とに変化する大入賞口を形成する。大入賞口は、入賞ユニット１５１ＳＧ７００の下部において、上向きに開放するように形成されている。尚、大入賞口扉は、ソレノイド１５１ＳＧ０８２の駆動によって大入賞口を閉鎖する閉鎖位置と、大入賞口を開放する開放位置との間で前後方向にスライド移動可能となっている。
【０１５７】
特別可変入賞球装置１５１ＳＧ７０１では、ソレノイド１５１ＳＧ０８２がオン状態であるときに大入賞口扉が大入賞口を開放状態として、遊技球が大入賞口を通過（進入）し易くする。その一方で、ソレノイド１５１ＳＧ０８２がオフ状態であるときに大入賞口扉が第１大入賞口を閉鎖状態として、遊技球が第１大入賞口を通過（進入）できなくする。このように第１大入賞口は、遊技球が通過（進入）し易い遊技者にとって有利な開放状態と、遊技球が通過（進入）できず遊技者にとって不利な閉鎖状態とに変化する。尚、遊技球が大入賞口を通過（進入）できない閉鎖状態に代えて、あるいは閉鎖状態の他に、遊技球が大入賞口を通過（進入）し難い一部開放状態を設けてもよい。
【０１５８】
尚、前述した第１遊技球流路１５１ＳＧ７１１や第２遊技球流路１５１ＳＧ７１２を特別可変入賞球装置１５１ＳＧ７０１まで流下してきた遊技球は、大入賞口が開放状態であれば該大入賞口を通過し、大入賞口が閉鎖状態であれば大入賞口扉上を第１アウト口に向けて流下する。大入賞口を通過（進入）した遊技球は、大入賞口内に設けられた第１カウントスイッチ１５１ＳＧ０２３Ａを通過することで、該第１カウントスイッチ１５１ＳＧ０２３Ａによって検出される。第１カウントスイッチ０２３Ａを通過した遊技球は、第２カウントスイッチ１５１ＳＧ０２３Ｂまたは第３カウントスイッチ１５１ＳＧ０２３Ｃにて検出された後に遊技盤２の背面側に誘導されて排出されるようになっている。
【０１５９】
また、図８−５に示すように、普電入賞口の下方には、第１遊技球流路１５１ＳＧ７１１側とアウト用流路１５１ＳＧ７１４側とに連通する連通口が形成されており、第１遊技球流路１５１ＳＧ７１１を流下する遊技球の一部は、該連通口を通過してアウト用流路１５１ＳＧ７１４に向けて流下するようになっている。
【０１６０】
尚、本特徴部１５１ＳＧにおける遊技盤２の背面側（後部ユニット１５１ＳＧ７００Ｂ）には、後述する第１リンク機構１５１ＳＧ７２０及び第２リンク機構１５１ＳＧ７３０が設けられており、遊技盤の背面側にはアウト用流路１５１ＳＧ７１４を形成するための十分なスペースが存在しない。このため、本特徴部１５１ＳＧにおけるアウト用流路１５１ＳＧ７１４は遊技盤２の前方側（前部ユニット１５１ＳＧ７００Ａ）に形成されている。
【０１６１】
第１分岐部１５１ＳＧ７１１ａには、後述する第１リンク機構１５１ＳＧ７２０の駆動によって第１分岐路１５１ＳＧ７１１ｂに遊技球が進入不能なように閉鎖する閉鎖位置と第１分岐路１５１ＳＧ７１１ｂに遊技球が進入可能なように開放する開放位置との間で揺動可能な第１揺動部材１５１ＳＧ７０２が設けられている。尚、第１揺動部材１５１ＳＧ７０２における閉鎖位置とは、第１遊技球流路１５１ＳＧ７１１を流下する遊技球を阻害しないよう第１遊技球流路１５１ＳＧ７１１上から退避する位置であり、第１揺動部材１５１ＳＧ７０２における開放位置とは、第１遊技球流路１５１ＳＧ７１１を流下する遊技球を受けて該遊技球を第１分岐路１５１ＳＧ７１１ｂに向けて誘導可能なように第１遊技球流路１５１ＳＧ７１１上に突出する位置である。
【０１６２】
また、第２分岐部１５１ＳＧ７１１ｃには、後述する第２リンク機構１５１ＳＧ７３０の駆動によって第２分岐路１５１ＳＧ７１１ｄに遊技球が進入不能なように閉鎖する閉鎖位置と第２分岐路１５１ＳＧ７１１ｄに遊技球が進入可能なように開放する開放位置との間で揺動可能な第２揺動部材１５１ＳＧ７０３が設けられている。尚、第２揺動部材１５１ＳＧ７０３における閉鎖位置とは、第１遊技球流路１５１ＳＧ７１１を流下する遊技球を阻害しないよう第１遊技球流路１５１ＳＧ７１１上から退避する位置であり、第２揺動部材１５１ＳＧ７０３における開放位置とは、第１遊技球流路１５１ＳＧ７１１を流下する遊技球を受けて該遊技球を第２分岐路１５１ＳＧ７１１ｄに向けて誘導可能なように第１遊技球流路１５１ＳＧ７１１上に突出する位置である。
【０１６３】
更に、第３分岐部１５１ＳＧ７１１ｅには、普通電動役物としてのスライド部材１５１ＳＧ７０４が設けられている。該スライド部材１５１ＳＧ７０４は、ソレノイド１５１ＳＧ０８１（図８−１１参照）の駆動によって第１遊技球流路１５１ＳＧ７１１に突出することで遊技球を受けて該遊技球を第３分岐路１５１ＳＧ７１１ｆに誘導する突出位置と、第１遊技球流路１５１ＳＧ７１１から退避することで遊技球の第１遊技球流路１５１ＳＧ７１１での流下を阻害しない退避位置と、の間で前後方向にスライド可能に設けられている。つまり、第３分岐路１５１ＳＧ７１１ｆは、スライド部材１５１ＳＧ７０４が退避位置に位置しているときには遊技球が進入不能または進入困難な状態であり、スライド部材１５１ＳＧ７０４が突出位置に位置しているときには遊技球が進入可能または進入容易な状態である。
【０１６４】
このように、本特徴部１５１ＳＧにおいて第１遊技球流路１５１ＳＧ７１１を流下する遊技球は、該第１遊技球流路１５１ＳＧ７１１から第１分岐路１５１ＳＧ７１１ｂ、第２分岐路１５１ＳＧ７１１ｄ、第３分岐路１５１ＳＧ７１１ｆのいずれかに進入可能となっている。このうち第１分岐路１５１ＳＧ７１１ｂに進入した遊技球は、該第１分岐路１５１ＳＧ７１１ｂが形成する第１始動入賞口Ｂに入賞し、該第１分岐路１５１ＳＧ７１１ｂに設けられている第１始動口Ｂスイッチ１５１ＳＧ０２２Ｂにて検出される。第２分岐路１５１ＳＧ７１１ｄに進入した遊技球は、該第２分岐路１５１ＳＧ７１１ｄが形成する第２始動入賞口に入賞し、該第２分岐路１５１ＳＧ７１１ｄに設けられている第２始動口スイッチ１５１ＳＧ０２２Ｃにて検出される。
【０１６５】
尚、本特徴部１５１ＳＧにおける普通電動役物としては、退避位置と突出位置とで前後方向にスライド移動するスライド部材１５１ＳＧ７０４を設ける形態を例示しているが、本発明はこれに限定されるものではなく、普通電動役物としては、第１状態（例えば、スライド部材１５１ＳＧ７０４が退避位置に位置している状態）と第２状態（例えば、スライド部材１５１ＳＧ７０４が突出位置に位置している状態）とで第３分岐路１５１ＳＧ７１１ｆを遊技球が進入困難な状態と進入容易な状態とに変化させることが可能な形態であれば、例えば、第３分岐路１５１ＳＧ７１１ｆをスライド移動によって開閉可能な蓋体や、揺動することで第３分岐路１５１ＳＧ７１１ｆを遊技球が進入困難な状態と進入容易な状態とに変化可能な部材（所謂電動チューリップ）等であってもよい。
【０１６６】
第１始動口Ｂスイッチ１５１ＳＧ０２２Ｂや第２始動口スイッチ１５１ＳＧ０２２Ｃにて検出された後の遊技球は、図８−５に示すように、入賞ユニット１５１ＳＧ７００の右部に設けられたアウト用流路１５１ＳＧ７１４を流下する。そして、第１遊技球流路１５１ＳＧ７１１から流入してきた遊技球を含むアウト用流路１５１ＳＧ７１４を流下する遊技球は、入賞ユニット１５１ＳＧ７００の下端部（アウト用流路１５１ＳＧ７１４の最下流部）に形成された第２アウト口に進入することで１５１ＳＧ０４１Ｂによって検出された後に遊技盤２の背面側に向けて排出される。尚、本特徴部１５１ＳＧにおける第２アウト口は、図８−５に示すように、入賞ユニット１５１ＳＧ７００内に設けられているため、右遊技領域１５１ＳＧ００２Ｒを流下する遊技球（入賞ユニット１５１ＳＧ７００内を流下する遊技球）のみが進入可能なアウト口である。
【０１６７】
つまり、第２アウトスイッチ１５１ＳＧ０４１Ｂは、第１始動入賞口Ｂや第２始動入賞口に入賞した後にアウト用流路１５１ＳＧ７１４を流下する遊技球を検出可能である一方で、第１始動入賞口Ａに入賞した遊技球については検出不能となっている。
【０１６８】
また、第３分岐路１５１ＳＧ７１１ｆに進入した遊技球は、該第３分岐路１５１ＳＧ７１１ｆが形成する普電入賞口に入賞し、該第３分岐路１５１ＳＧ７１１ｆに設けられている第４カウントスイッチ１５１ＳＧ０２３Ｄにて検出される。第４カウントスイッチ１５１ＳＧ０２３Ｄにて検出された後の遊技球は、第３分岐路１５１ＳＧ７１１ｆを介して遊技盤２の背面側に進入する。
【０１６９】
尚、第３分岐路１５１ＳＧ７１１ｆを介して進入可能な遊技盤２の背面側には、図８−６（Ａ）及び図８−６（Ｂ）に示すように、遊技球を検出可能な第５カウントスイッチ１５１ＳＧ０２３Ｅと第６カウントスイッチ１５１ＳＧ０２３Ｆとが左右に並設されているとともに、振分部材１５１ＳＧ０２５が設けられている。振分部材１５１ＳＧ０２５は、ソレノイド１５１ＳＧ０８６（図８−１１参照）の駆動によって左右に移動することによって、遊技球の第６カウントスイッチ１５１ＳＧ０２３Ｆへの進入（第６カウントスイッチ１５１ＳＧ０２３Ｆによる遊技球の検出）を規制するとともに第５カウントスイッチ１５１ＳＧ０２３Ｅへの進入（第５カウントスイッチ１５１ＳＧ０２３Ｅによる遊技球の検出）を誘導する第１誘導状態と、遊技球の第５カウントスイッチ１５１ＳＧ０２３Ｅへの進入（第５カウントスイッチ１５１ＳＧ０２３Ｅによる遊技球の検出）を規制するとともに第６カウントスイッチ１５１ＳＧ０２３Ｆへの進入（第６カウントスイッチ１５１ＳＧ０２３Ｆによる遊技球の検出）を誘導する第２誘導状態と、に変化可能となっている。
【０１７０】
尚、第３分岐路１５１ＳＧ７１１ｆから第５カウントスイッチ１５１ＳＧ０２３Ｅに進入した（第５カウントスイッチ１５１ＳＧ０２３Ｅによって検出された）遊技球は、第１リンク機構１５１ＳＧ７２０（図８−８参照）を駆動させることによって第１揺動部材１５１ＳＧ７０２を閉鎖位置から開放位置に移動させる。尚、第１リンク機構１５１ＳＧ７２０を駆動させた後の遊技球は遊技盤２の背面側を流下することで排出され、該遊技球が流下したことにもとづいて第１リンク機構１５１ＳＧ７２０が第１揺動部材１５１ＳＧ７０２を開放位置から閉鎖位置に移動させるようになっている。
【０１７１】
具体的には、図８−８（Ａ）及び図８−８（Ｂ）に示すように、第１リンク機構１５１ＳＧ７２０は、後部ユニット１５１ＳＧ７００Ｂに内蔵された機構であり、主に第１リンク部材１５１ＳＧ７２１、第２リンク部材１５１ＳＧ７２２、第３リンク部材１５１ＳＧ７２３、第４リンク部材１５１ＳＧ７２４、第５リンク部材１５１ＳＧ７２５から構成されている。
【０１７２】
このうち第１リンク部材１５１ＳＧ７２１は、第５カウントスイッチ１５１ＳＧ０２３Ｅの下方に配置されているとともに、前方側の一端が遊技球を受け止め可能な形状に形成されており、後方側の他端が第２リンク部材１５１ＳＧ７２２の下端部に連動可能に接続されている。また、第１リンク部材１５１ＳＧ７２１は、図示しない左右方向を向く枢軸によって上下方向に揺動可能となっている。
【０１７３】
第２リンク部材１５１ＳＧ７２２は、上下方向に長寸である棒状の部材であり、上下方向にスライド移動可能に設けられている。そして、第２リンク部材１５１ＳＧ７２２の上端部には第３リンク部材１５１ＳＧ７２３の後方側の一端が連動可能に接続されており、第３リンク部材１５１ＳＧ７２３の前方側の他端には第４リンク部材１５１ＳＧ７２４の後方側の一端、第４リンク部材１５１ＳＧ７２４の前方側の他端には第５リンク部材１５１ＳＧ７２５がそれぞれ連動可能に接続されている。
【０１７４】
このため、図８−８（Ａ）及び図８−８（Ｂ）に示すように第１リンク部材１５１ＳＧ７２１が一端で第５カウントスイッチ１５１ＳＧ０２３Ｅを通過した遊技球を受け止めることで揺動する（他端が上方に向けて移動する）ことによって第２リンク部材１５１ＳＧ７２２が上方に向けてスライド移動すると、該第２リンク部材１５１ＳＧ７２２の上方へのスライド移動に連動して第３リンク部材１５１ＳＧ７２３、第４リンク部材７２４、第５リンク部材１５１ＳＧ７２５が動作し、該第５リンク部材１５１ＳＧ７２５の動作によって第１揺動部材１５１ＳＧ７０２が閉鎖位置から開放位置に移動する。
【０１７５】
尚、第１リンク部材１５１ＳＧ７２１の一端から遊技球が流下すると、後部ユニット１５１ＳＧ７００Ｂと第２リンク部材１５１ＳＧ７２２間に設けられているバネ１５１ＳＧ７２６の復元力によって第２リンク部材１５１ＳＧ７２２が下方に向けてスライド移動する。このとき、該第２リンク部材１５１ＳＧ７２２の下方へのスライド移動に連動して第３リンク部材１５１ＳＧ７２３、第４リンク部材７２４、第５リンク部材１５１ＳＧ７２５が動作し、該第５リンク部材１５１ＳＧ７２５の動作によって第１揺動部材１５１ＳＧ７０２が開放位置から閉鎖位置に移動する。
【０１７６】
また、第３分岐路１５１ＳＧ７１１ｆから第６カウントスイッチ１５１ＳＧ０２３Ｆに進入した（第６カウントスイッチ１５１ＳＧ０２３Ｆによって検出された）遊技球は、第２リンク機構１５１ＳＧ７３０を駆動させることによって第２揺動部材１５１ＳＧ７０３を閉鎖位置から開放位置に移動させる。尚、第２リンク機構１５１ＳＧ７３０を駆動させた後の遊技球は、遊技盤２の背面側を流下することで排出され、該遊技球が流下したことにもとづいて第２リンク機構１５１ＳＧ７３０が第２揺動部材１５１ＳＧ７０３を開放位置から閉鎖位置に移動させるようになっている。
【０１７７】
具体的には、図８−９（Ａ）及び図８−９（Ｂ）に示すように、第２リンク機構１５１ＳＧ７３０は、後部ユニット１５１ＳＧ７００Ｂに内蔵された機構であり、主に第１リンク部材１５１ＳＧ７３１、第２リンク部材１５１ＳＧ７３２、第３リンク部材１５１ＳＧ７３３、第４リンク部材１５１ＳＧ７３４、第５リンク部材１５１ＳＧ７３５から構成されている。
【０１７８】
このうち第１リンク部材１５１ＳＧ７３１は、第５カウントスイッチ１５１ＳＧ０２３Ｅの下方に配置されているとともに、前方側の一端が遊技球を受け止め可能な形状に形成されており、後方側の他端が第２リンク部材１５１ＳＧ７３２の下端部に連動可能に接続されている。また、第１リンク部材１５１ＳＧ７３１は、図示しない左右方向を向く枢軸によって上下方向に揺動可能となっている。
【０１７９】
第２リンク部材１５１ＳＧ７３２は、上下方向に長寸である棒状の部材であり、上下方向にスライド移動可能に設けられている。そして、第２リンク部材１５１ＳＧ７３２の上端部には第３リンク部材１５１ＳＧ７３３の後方側の一端が連動可能に接続されており、第３リンク部材１５１ＳＧ７３３の前方側の他端には第４リンク部材１５１ＳＧ７３４の後方側の一端、第４リンク部材１５１ＳＧ７３４の前方側の他端には第５リンク部材１５１ＳＧ７３５がそれぞれ連動可能に接続されている。
【０１８０】
このため、図８−８（Ａ）及び図８−８（Ｂ）に示すように第１リンク部材１５１ＳＧ７３１が一端で第５カウントスイッチ１５１ＳＧ０２３Ｅを通過した遊技球を受け止めることで揺動する（他端が上方に向けて移動する）ことによって第２リンク部材１５１ＳＧ７３２が上方に向けてスライド移動すると、該第２リンク部材１５１ＳＧ７３２の上方へのスライド移動に連動して第３リンク部材１５１ＳＧ７３３、第４リンク部材７２４、第５リンク部材１５１ＳＧ７３５が動作し、該第５リンク部材１５１ＳＧ７３５の動作によって第１揺動部材１５１ＳＧ７０２が閉鎖位置から開放位置に移動する。
【０１８１】
尚、第１リンク部材１５１ＳＧ７３１の一端から遊技球が流下すると、後部ユニット１５１ＳＧ７００Ｂと第２リンク部材１５１ＳＧ７３２間に設けられているバネ１５１ＳＧ７３６の復元力によって第２リンク部材１５１ＳＧ７３２が下方に向けてスライド移動する。このとき、該第２リンク部材１５１ＳＧ７３２の下方へのスライド移動に連動して第３リンク部材１５１ＳＧ７３３、第４リンク部材７３４、第５リンク部材１５１ＳＧ７３５が動作し、該第５リンク部材１５１ＳＧ７３５の動作によって第１揺動部材１５１ＳＧ７０２が開放位置から閉鎖位置に移動する。
【０１８２】
図８−５に戻り、第１遊技球流路１５１ＳＧ７１１における第２分岐部１５１ＳＧ７１１ｃと第３分岐部１５１ＳＧ７１１ｅとの間には、遊技球を検出可能なゲートスイッチ１５１ＳＧ０２１が設けられている。尚、本特徴部１５１ＳＧにおいて遊技球がゲートスイッチ１５１ＳＧ０２１にて検出された場合、ＣＰＵ１０３は普通図柄の可変表示を実行可能となっており、普通図柄の可変表示結果が当りの組み合わせで導出表示されたことにもとづいて前述したスライド部材１５１ＳＧ７０４が複数の動作パターンのいずれかにて動作するとともに、振分部材１５１ＳＧ０２５が特定の動作パターンにて動作するようになっている。
【０１８３】
具体的には、図８−７（Ａ）に示すように、スライド部材１５１Ｓ７０４は、普通図柄の可変表示結果が当りとなったことにもとづいて、ソレノイド１５１ＳＧ０８１の駆動により動作パターンＡ〜動作パターンＥのいずれかにて動作する。尚、本特徴部１５１ＳＧにおけるスライド部材１５１ＳＧ７０４は、普通図柄の可変表示結果が当りとなったことにもとづいて動作する場合以外では、退避位置に配置されている。
【０１８４】
動作パターンＡは、普通図柄の可変表示結果が当りとなったことにもとづいてスライド部材１５１ＳＧ７０４を１６ｍｓに亘り突出位置に維持した後に退避位置に移動させる動作パターンである。動作パターンＢは、普通図柄の可変表示結果が当りとなったことにもとづいてスライド部材１５１ＳＧ７０４を２０００ｍｓに亘り突出位置に維持した後に退避位置に移動させる動作パターンである。動作パターンＣは、普通図柄の可変表示結果が当りとなったことにもとづいてスライド部材１５１ＳＧ７０４を１６ｍｓに亘り突出位置に維持した後に１０００ｍｓに亘って退避位置に維持、２０００ｍｓに亘って突出位置に維持し、最後に退避位置に移動させる動作パターンである。動作パターンＤは、普通図柄の可変表示結果が当りとなったことにもとづいてスライド部材１５１ＳＧ７０４を１６ｍｓに亘り突出位置に維持した後に２０００ｍｓに亘って退避位置に維持、２０００ｍｓに亘って突出位置に維持し、最後に退避位置に移動させる動作パターンである。そして、動作パターンＥは、普通図柄の可変表示結果が当りとなったことにもとづいてスライド部材１５１ＳＧ７０４を１６ｍｓに亘り突出位置に維持した後に５０００ｍｓに亘って退避位置に維持、５０００ｍｓに亘って突出位置に維持し、最後に退避位置に移動させる動作パターンである。
【０１８５】
一方、振分部材１５１ＳＧ０２５は、普通図柄の可変表示結果が当りとなったことにもとづいて、４ｍｓに亘って第１誘導状態（図８−６（Ａ）参照）を維持した後に１６ｍｓに亘って第２誘導状態、４９９６ｍｓに亘って第１誘導状態、５０００ｍｓに亘って第２誘導状態をそれぞれ維持し、第１誘導状態となる。
【０１８６】
尚、図８−５に示すように、突出位置に配置されているスライド部材１５１ＳＧ７０４によって第３分岐路１５１ＳＧ７１１ｆに進入した遊技球は、所定距離を流下した後に振分部材１５１ＳＧ０２５によって振り分けられるようになっているので、スライド部材の動作パターンが動作パターンＡ〜動作パターンＤである場合には、遊技球は第１誘導状態である振分部材１５１ＳＧ０２５に到達することによって第５カウントスイッチ１５１ＳＧ０２３Ｅを通過するように振り分けられる。一方で、スライド部材１５１ＳＧ７０４の動作パターンが動作パターンＥである場合には、遊技球は第２誘導状態である振分部材１５１ＳＧ０２５に到達することによって第６カウントスイッチ１５１ＳＧ０２３Ｆを通過するように振り分けられる。
【０１８７】
前述したように、第５カウントスイッチ１５１ＳＧ０２３Ｅを通過した遊技球は、第１リンク機構１５１ＳＧ７２０を動作させることによって第１揺動部材１５１ＳＧ７０２を閉鎖位置から開放位置に移動させ、第６カウントスイッチ１５１ＳＧ０２３Ｆを通過した遊技球は、第２リンク機構１５１ＳＧ７３０を動作させることによって第２揺動部材１５１ＳＧ７０３を閉鎖位置から開放位置に移動させるので、図８−７（Ａ）に示すように、振分部材１５１ＳＧ０２５が４９９６ｍｓに亘って第１誘導状態であるときに遊技球が振分部材１５１ＳＧ０２５に到達することによって第１始動入賞口Ｂに遊技球が入賞可能となり、振分部材１５１ＳＧ０２５が５０００ｍｓに亘って第２誘導状態であるときに遊技球が振分部材１５１ＳＧ０２５に到達することによって第２始動入賞口に遊技球が入賞可能となる。
【０１８８】
尚、本特徴部１５１ＳＧでは、スライド部材１５１ＳＧ７０４の動作パターンＡ〜動作パターンＥの決定割合は、普通図柄の可変表示結果が当りとなったときの遊技状態に応じて異なっている。具体的には、図８−７（Ｂ）に示すように、本特徴部１５１ＳＧにおける遊技状態としては、大当り遊技状態や小当り遊技状態を除くと低ベース状態と、時短制御を伴う第１高ベース状態及び第２高ベース状態が設けられている。このうち第１高ベース状態と第２高ベース状態とは、本特徴部１５１ＳＧにおける高ベース状態であるが、スライド部材１５１ＳＧ７０４の動作パターンＡ〜動作パターンＥの決定割合が異なっている。
【０１８９】
具体的には、遊技状態が低ベース状態（通常状態）である場合は、スライド部材１５１ＳＧ７０４の動作パターンとして、１００％の割合で動作パターンＡが決定され、０％の割合で動作パターンＢが決定され、０％の割合で動作パターンＣが決定され、０％の割合で動作パターンＤが決定され、０％の割合で動作パターンＥが決定される。遊技状態が第１高ベース状態である場合は、スライド部材１５１ＳＧ７０４の動作パターンとして、０％の割合で動作パターンＡが決定され、５０％の割合で動作パターンＢが決定され、２０％の割合で動作パターンＣが決定され、２０％の割合で動作パターンＤが決定され、１０％の割合で動作パターンＥが決定される。遊技状態が第２高ベース状態である場合は、スライド部材１５１ＳＧ７０４の動作パターンとして、０％の割合で動作パターンＡが決定され、０％の割合で動作パターンＢが決定され、０％の割合で動作パターンＣが決定され、０％の割合で動作パターンＤが決定され、１００％の割合で動作パターンＥが決定される。
【０１９０】
つまり、本特徴部１５１ＳＧにおける低ベース状態とは、図８−１２（Ａ）に示すように、遊技球を左遊技領域１５１ＳＧ００２Ｌに打ち出すことによって第１始動入賞口Ａと一般入賞口とに入賞可能な遊技状態であり、第１高ベース状態とは、遊技球を右遊技領域１５１ＳＧ０２２Ｒに打ち出すことによって第１始動入賞口Ｂと普電入賞口に入賞可能な遊技状態であり、第２高ベース状態とは、遊技球を右遊技領域１５１ＳＧ０２２Ｒに打ち出すことによって第１始動入賞口Ｂ、第２始動入賞口及び普電入賞口に入賞可能な遊技状態である。尚、遊技状態が第１高ベース状態であるかや第２高ベース状態であるかは、後述する第１高ベース状態フラグや第２高ベース状態フラグがセットされているか否かによって判定すればよい。
【０１９１】
尚、本特徴部１５１ＳＧでは、図８−７（Ｂ）に示すように、遊技状態が低ベース状態である場合は、スライド部材１５１ＳＧ７０４の動作パターンとして動作パターンＥが決定されない、すなわち、低ベース状態において普図当りが発生した場合については遊技球が普電入賞口に入賞しても第１始動入賞口Ｂのみが開放されるため、該第１始動入賞口Ｂへの始動入賞にもとづく可変表示結果が小当りとなる確率が極めて低い形態を例示しているが、本発明はこれに限定されるものではなく、遊技状態が低ベース状態である場合であってもスライド部材１５１ＳＧ７０４の動作パターンとして動作パターンＥが決定される場合を設けてもよい。このようにすることで、低ベース状態において普図当りが発生すると、遊技球が普電入賞口に入賞することで第２始動入賞口が開放される場合があるので、第１始動入賞口Ｂへの始動入賞に基づく可変表示よりも該第２始動入賞口への始動入賞に基づく可変表示において小当りとなるか否かに遊技者を注目させることができるので、遊技興趣を向上できる。
【０１９２】
また、本特徴部１５１ＳＧでは、図８−１２（Ｂ）に示すように、遊技球が第１始動入賞口Ａに入賞した場合には賞球として３球の遊技球が払い出され、遊技球が第１始動入賞口Ｂに入賞した場合には賞球として１球の遊技球が払い出され、遊技球が第２始動入賞口に入賞した場合には賞球として３球の遊技球が払い出され、遊技球が大入賞口に入賞した場合には賞球として１５球の遊技球が払い出され、遊技球が一般入賞口に入賞した場合には賞球として３球の遊技球が払い出され、遊技球が普電入賞口に入賞した場合には賞球として１球の遊技球が払い出されるようになっている。このため、低ベース状態、第１高ベース状態、第２高ベース状態のうち、本特徴部１５１ＳＧにおける低ベース状態とは、第１高ベース状態や第２高ベース状態よりも打ち出した遊技球１００球あたりの賞球数の割合（ベース値）が低くなる遊技状態である。具体的には、低ベース状態におけるベース値は０．３５（３５％）、第１高ベース状態と第２高ベース状態におけるベース値は０．９（９０％）に設定されている。
【０１９３】
尚、本特徴部１５１ＳＧでは低ベース状態におけるベース値を０．３５に設定したが、本発明はこれに限定されるものではなく、低ベース状態におけるベース値は第１高ベース状態や第２高ベース状態よりも低い値であれば任意の値（例えば、０．４や０．２等）に設定してもよい。
【０１９４】
また、本特徴部１５１ＳＧでは第１高ベース状態や第２高ベース状態におけるベース値を０．９に設定したが、本発明はこれに限定されるものではなく、第１高ベース状態や第２高ベース状態におけるベース値は１を超えない範囲で低ベース状態におけるベース値よりも高い値であれば任意の値（例えば、０．８や０．７、０．６等）に設定してもよい。
【０１９５】
尚、図８−５に示すように、入賞ユニット１５１ＳＧ７００の左部には、第１遊技球流路１５１ＳＧ７１１や第２遊技球流路１５１ＳＧ７１２に進入したかった遊技球が流下する第３遊技球流路１５１ＳＧ７１３が形成されている。該第３遊技球流路１５１ＳＧ７１３を流下する遊技球は、前述した第１始動入賞口Ｂや第２始動入賞口、普電入賞口、大入賞口等に入賞することなく第３アウト口に進入し、第３アウトスイッチ１５１ＳＧ０４１Ｃに検出された後に遊技盤２の背面側に誘導され排出されるようになっている。
【０１９６】
以上のように、本特徴部１５１ＳＧにおけるパチンコ遊技機１では、図８−１０に示すように、第１始動入賞口Ａに入賞する遊技球は第１始動口Ａスイッチ１５１ＳＧ０２２Ａにてのみ検出されるようになっており、第１始動入賞口Ｂに入賞する遊技球は第１始動口Ｂスイッチ１５１ＳＧ０２２Ｂにて検出された後に第２アウトスイッチ１５１ＳＧ０４１Ｂにて検出されるようになっている。また、第２始動入賞口に入賞する遊技球は第２始動口スイッチ１５１ＳＧ０２２Ｃにて検出された後に第２アウトスイッチ１５１ＳＧ０４１Ｂにて検出されるようになっている。
【０１９７】
更に、大入賞口に入賞する遊技球は、第１カウントスイッチ１５１ＳＧ０２３Ａにて検出された後に第２カウントスイッチ１５１ＳＧ０２３Ｂまたは第３カウントスイッチ１５１ＳＧ０２３Ｃにて検出されるようになっており、普電入賞口に入賞する遊技球は、第４カウントスイッチ１５１ＳＧ０２３Ｄにて検出された後に第５カウントスイッチ１５１ＳＧ０２３Ｅまたは第６カウントスイッチ１５１ＳＧ０２３Ｆにて検出されるようになっており、一般入賞口１５１ＳＧ０１０に入賞する遊技球は、第７カウントスイッチ１５１ＳＧ０２３Ｇにて検出されるようになっている。
【０１９８】
尚、本特徴部１５１ＳＧにおける特別可変入賞球装置１５１ＳＧ７０１内には、図示しないソレノイドの駆動によって第１カウントスイッチ１５１ＳＧ０２３Ａにて検出された遊技球を第２カウントスイッチ１５１ＳＧ０２３Ｂと第３カウントスイッチ１５１ＳＧ０２３Ｃとに振り分ける振分部材が設けられている。該振分部材は、小当り遊技中の特定の期間のみ遊技球を第２カウントスイッチ１５１ＳＧ０２３Ｂに向けて振り分けるように動作する。このため、本特徴部１５１ＳＧにおける小当り遊技中は、遊技球が大入賞口に入賞したとしても必ずしもこれら遊技球が第２カウントスイッチ１５１ＳＧ０２３Ｂにて検出されるわけでは無いようになっている。
【０１９９】
そして、第１アウト口に進入する遊技球は、第１アウトスイッチ１５１ＳＧ０４１Ａにて検出されるようになっており、第２アウト口に進入する遊技球は、第２アウトスイッチ１５１ＳＧ０４１Ｂにて検出されるようになっており、第３アウト口に進入する遊技球は、第３アウトスイッチ１５１ＳＧ０４１Ｃにて検出されるようになっている。
【０２００】
次に、本特徴部１５１ＳＧにおけるパチンコ遊技機１における構成について説明する。先ず、図８−１１に示すように、主基板１１に搭載されているスイッチ回路１１０には、前述したゲートスイッチ１５１ＳＧ０２１、第１始動口Ａスイッチ１５１ＳＧ０２２Ａ、第１始動口Ｂスイッチ１５１ＳＧ０２２Ｂ、第２始動口スイッチ１５１ＳＧ０２２Ｃ、第１カウントスイッチ１５１ＳＧ２３Ａ、第２カウントスイッチ１５１ＳＧ２３Ｂ、第３カウントスイッチ１５１ＳＧ０２３Ｃ、第４カウントスイッチ１５１ＳＧ０２３Ｄ、第５カウントスイッチ１５１ＳＧ０２３Ｅ、第６カウントスイッチ１５１ＳＧ０２３Ｆ、第７カウントスイッチ１５１ＳＧ０２３Ｇ、第１アウトスイッチ１５１ＳＧ０４１Ａ、第２アウトスイッチ１５１ＳＧ０４１Ｂ、第３アウトスイッチ１５１ＳＧ０４１Ｃが接続されている。
【０２０１】
また、ソレノイド回路１１１には、前述したソレノイド１５１ＳＧ０８２、ソレノイド１５１ＳＧ０８１、ソレノイド１５１ＳＧ０８６がそれぞれ接続されている。
【０２０２】
図８−１１及び図８−１３に示すように、本特徴部１５１ＳＧにおける主基板１１は、第１部材と第２部材とにより開放可能に構成された基板ケース１５１ＳＧ２０１に収納された状態でパチンコ遊技機１の背面に搭載されている。基板ケース１５１ＳＧ２０１には、後述するベース値を表示可能な表示モニタ１５１ＳＧ０２９が配置されている。該表示モニタ１５１ＳＧ０２９は、主基板１１に接続されているとともに、基板ケース１５１ＳＧ２０１の上部に配置されている。つまり、表示モニタ１５１ＳＧ０２９は、基板ケース１５１ＳＧ２０１における主基板１１を視認する際の正面に配置されている。主基板１１は、遊技機用枠３を開放していない状態では視認できないので、主基板１１を視認する際の正面とは、遊技機用枠３を開放した状態における遊技盤２の裏面側を視認する際の正面であり、パチンコ遊技機１の正面とは異なる。ただし、主基板１１を視認する際の正面とパチンコ遊技機１の正面とが共通するようにしてもよい。
【０２０３】
図８−１４に示すように、表示モニタ１５１ＳＧ０２９は、第１表示部１５１ＳＧ０２９Ａ、第２表示部１５１ＳＧ０２９Ｂ、第３表示部１５１ＳＧ０２９Ｃ、第４表示部１５１ＳＧ０２９Ｄを備えている。第１表示部１５１ＳＧ０２９Ａ〜第４表示部１５１ＳＧ２９Ｄは、いずれも「８」の字を描く７つのセグメントによって構成される７セグメントと、７セグメントの右側方下部に配置されたドットによって構成されている。本特徴部１５１ＳＧにおける表示モニタ１５１ＳＧ０２９の表示制御は、パチンコ遊技機１の試験時においてＲＯＭ１０１やＲＡＭ１０２の全領域における試験対象外の領域を用いて実行されるようになっている。尚、本特徴部１５１ＳＧにおける表示モニタ１５１ＳＧ０２９では、後述するベース値算出処理において算出した低ベース状態におけるベース値を表示可能となっている。
【０２０４】
また、図８−１及び図８−１１に示すように、本特徴部１５１ＳＧにおけるパチンコ遊技機１の遊技盤２の所定位置（例えば、遊技領域の左方位置）には、第１特図の可変表示を実行可能な第１特別図柄表示装置１５１ＳＧ００４Ａ、第２特図の可変表示を実行可能な第２特別図柄表示装置１５１ＳＧ００４Ｂ、第１保留記憶数を表示可能な第１保留表示器１５１ＳＧ０２５Ａ、第２保留記憶数を表示可能な第２保留表示器１５１ＳＧ０２５Ｂ、普通図柄の可変表示を実行可能な普通図柄表示器１５１ＳＧ０２０、普図保留記憶数を表示可能な普図保留表示器１５１ＳＧ０２５Ｃ等が纏めて配置されている遊技情報表示部１５１ＳＧ２００が設けられている。
【０２０５】
図８−１５（Ａ）は、本実施の形態における特徴部１５１ＳＧで用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。尚、図８−１５（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【０２０６】
図８−１５（Ａ）に示す例において、コマンド８００１Ｈは、第１特別図柄表示装置１５１ＳＧ００４Ａにおける第１特図を用いた特図ゲームにおける可変表示の開始を指定する第１可変表示開始コマンドである。コマンド８００２Ｈは、第２特別図柄表示装置１５１ＳＧ００４Ｂにおける第２特図を用いた特図ゲームにおける可変表示の開始を指定する第２可変表示開始コマンドである。コマンド８１ＸＸＨは、特図ゲームにおける特別図柄の可変表示に対応して画像表示装置５における「左」、「中」、「右」の各飾り図柄表示エリア５Ｌ，５Ｃ，５Ｒで可変表示される飾り図柄などの変動パターン（変動時間）を指定する変動パターン指定コマンドである。ここで、ＸＸＨは不特定の１６進数であることを示し、演出制御コマンドによる指示内容に応じて任意に設定される値であればよい。尚、変動パターン指定コマンドでは、指定する変動パターンなどに応じて、異なるＥＸＴデータが設定される。
【０２０７】
コマンド８ＣＸＸＨは、可変表示結果通知コマンドであり、特別図柄や飾り図柄などの可変表示結果を指定する演出制御コマンドである。可変表示結果通知コマンドでは、例えば図８−１５（Ｂ）に示すように、可変表示結果が「はずれ」であるか「大当り」であるか「小当り」であるかの決定結果（事前決定結果）や、可変表示結果が「大当り」となる場合の大当り種別を複数種類のいずれとするかの決定結果（大当り種別決定結果）に応じて、異なるＥＸＴデータが設定される。
【０２０８】
可変表示結果通知コマンドでは、例えば図８−１５（Ｂ）に示すように、コマンド８Ｃ００Ｈは、可変表示結果が「はずれ」となる旨の事前決定結果を示す第１可変表示結果指定コマンドである。コマンド８Ｃ０１Ｈは、可変表示結果が「大当り」で大当り種別が「大当りＡ」となる旨の事前決定結果及び大当り種別決定結果を通知する第２可変表示結果指定コマンドである。コマンド８Ｃ０２Ｈは、可変表示結果が「大当り」で大当り種別が「大当りＢ」となる旨の事前決定結果及び大当り種別決定結果を通知する第３可変表示結果指定コマンドである。コマンド８Ｃ０３Ｈは、可変表示結果が「大当り」で大当り種別が「大当りＣ」となる旨の事前決定結果及び大当り種別決定結果を通知する第４可変表示結果指定コマンドである。コマンド８Ｃ０４Ｈは、可変表示結果が「大当り」で大当り種別が「大当りＤ」となる旨の事前決定結果及び大当り種別決定結果を通知する第５可変表示結果指定コマンドである。コマンド８Ｃ０５Ｈは、可変表示結果が「小当り」で大当り種別が「小当りＡ」となる旨の事前決定結果及び小当り種別決定結果を通知する第６可変表示結果指定コマンドである。コマンド８Ｃ０６Ｈは、可変表示結果が「小当り」で大当り種別が「小当りＢ」となる旨の事前決定結果及び小当り種別決定結果を通知する第７可変表示結果指定コマンドである。
【０２０９】
コマンド８Ｆ００Ｈは、画像表示装置５における「左」、「中」、「右」の各飾り図柄表示エリア５Ｌ，５Ｃ，５Ｒで飾り図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御が行われない遊技状態（低ベース状態、通常状態）に対応した第１遊技状態指定コマンドとし、コマンド９５０１Ｈを時短制御が行われる遊技状態（高ベース状態、時短状態）に対応した第２遊技状態指定コマンドとする。
【０２１０】
コマンド９６ＸＸＨは、パチンコ遊技機１においてエラー（異常）の発生および発生したエラー（異常）の種別を指定するエラー（異常）指定コマンドである。エラー（異常）指定コマンドでは、例えば、各エラー（異常）に対応するＥＸＴデータが設定されることにより、演出制御基板１２側において、いずれのエラー（異常）の発生が判定されたのかを特定することができ、特定したエラー（異常）の発生が、後述するエラー報知処理によって報知される。
【０２１１】
コマンドＡ０ＸＸＨは、大当り遊技状態または小当り遊技状態の開始を示す演出画像の表示を指定する当り開始指定コマンド（「ファンファーレコマンド」ともいう）である。コマンドＡ１ＸＸＨは、大当り遊技状態または小当り遊技状態において、大入賞口が開放状態となっている期間であることを通知する大入賞口開放中通知コマンドである。コマンドＡ２ＸＸＨは、大当り遊技状態または小当り遊技状態において、大入賞口が開放状態から閉鎖状態に変化した期間であることを通知する大入賞口開放後通知コマンドである。コマンドＡ３ＸＸＨは、大当り遊技状態または小当り遊技状態の終了時における演出画像の表示を指定する当り終了指定コマンドである。
【０２１２】
当り開始指定コマンドや当り終了指定コマンドでは、例えば可変表示結果通知コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、可変表示結果通知コマンドにおける対応関係とは異ならせるようにしてもよい。大入賞口開放中通知コマンドや大入賞口開放後通知コマンドでは、大当り遊技状態または小当り遊技状態におけるラウンドの実行回数（例えば「１」〜「１５」）に対応して、異なるＥＸＴデータが設定される。
【０２１３】
コマンドＢ１００Ｈは、入賞球装置６Ａが形成する第１始動入賞口を通過（進入）した遊技球が第１始動口スイッチ２２Ａにより検出されて始動入賞（第１始動入賞）が発生したことに基づき、第１特別図柄表示装置１５１ＳＧ００４Ａにおける第１特図を用いた特図ゲームを実行するための第１始動条件が成立したことを通知する第１始動入賞口入賞指定コマンドである。コマンドＢ２００Ｈは、可変入賞球装置６Ｂが形成する第２始動入賞口を通過（進入）した遊技球が第２始動口スイッチ２２Ｂにより検出されて始動入賞（第２始動入賞）が発生したことに基づき、第２特別図柄表示装置１５１ＳＧ００４Ｂにおける第２特図を用いた特図ゲームを実行するための第２始動条件が成立したことを通知する第２始動入賞口入賞指定コマンドである。
【０２１４】
コマンドＣ１ＸＸＨは、画像表示装置５などにて特図保留記憶数を特定可能に表示するために、第１特図保留記憶数を通知する第１保留記憶数通知コマンドである。コマンドＣ２ＸＸＨは、画像表示装置５などにて特図保留記憶数を特定可能に表示するために、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動入賞口入賞指定コマンドが送信されるときに、主基板１１から演出制御基板１２に対して送信される。第２保留記憶数通知コマンドは、例えば第２始動入賞口を遊技球が通過（進入）して第２始動条件が成立したことに基づいて、第２始動入賞口入賞指定コマンドが送信されるときに、主基板１１から演出制御基板１２に対して送信される。また、第１保留記憶数通知コマンドや第２保留記憶数通知コマンドは、第１開始条件と第２開始条件のいずれかが成立したとき（保留記憶数が減少したとき）に、特図ゲームの実行が開始されることなどに対応して送信されるようにしてもよい。
【０２１５】
第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０２１６】
コマンドＤ０ＸＸＨは、遊技球が第３カウントスイッチ２４Ｂを通過したことで第２カウントスイッチ１５１ＳＧ０２３Ｂがオンとなったことを通知するＶ入賞通知指定コマンドである。
【０２１７】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５と、時刻情報を出力可能なリアルタイムクロック（ＲＴＣ）１０６とを備えて構成される。
【０２１８】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０２１９】
図８−１６は、主基板１１の側においてカウントされる乱数値を例示する説明図である。図８−１６に示すように、この実施の形態の特徴部１５１ＳＧでは、主基板１１の側において、特図表示結果判定用の乱数値ＭＲ１の他、大当り種別判定用の乱数値ＭＲ２、変動パターン判定用の乱数値ＭＲ３、普図表示結果判定用の乱数値ＭＲ４、ＭＲ４の初期値決定用の乱数値ＭＲ５のそれぞれを示す数値データが、カウント可能に制御される。尚、遊技効果を高めるために、これら以外の乱数値が用いられてもよい。これらの乱数値ＭＲ１〜ＭＲ５は、ＣＰＵ１０３にて、異なるランダムカウンタを用いて、ソフトウェアによる更新によってカウントするようにしてもよいし、乱数回路１０４によって更新されてもよい。乱数回路１０４は、遊技制御用マイクロコンピュータ１００に内蔵されるものであってもよいし、遊技制御用マイクロコンピュータ１００とは異なる乱数回路チップとして構成されるものであってもよい。こうした遊技の進行を制御するために用いられる乱数は、遊技用乱数ともいう。
【０２２０】
図８−１７は、本実施の形態における変動パターンを示している。本特徴部１５１ＳＧでは、可変表示結果が「はずれ」となる場合のうち、飾り図柄の可変表示態様が「非リーチ」である場合と「リーチ」である場合のそれぞれに対応して、また、可変表示結果が「大当り」となる場合などに対応して、複数の変動パターンが予め用意されている。また、可変表示結果が「小当り」となる場合などに対応して、１の変動パターンが予め用意されている。尚、可変表示結果が「はずれ」で飾り図柄の可変表示態様が「非リーチ」である場合に対応した変動パターンは、非リーチ変動パターン（「非リーチはずれ変動パターン」ともいう）と称され、可変表示結果が「はずれ」で飾り図柄の可変表示態様が「リーチ」である場合に対応した変動パターンは、リーチ変動パターン（「リーチはずれ変動パターン」ともいう）と称される。また、非リーチ変動パターンとリーチ変動パターンは、可変表示結果が「はずれ」となる場合に対応したはずれ変動パターンに含まれる。可変表示結果が「大当り」である場合に対応した変動パターンは、大当り変動パターンと称される。可変表示結果が「小当り」である場合に対応した変動パターンは、小当り変動パターンと称される。
【０２２１】
大当り変動パターンやリーチ変動パターンには、ノーマルリーチのリーチ演出が実行されるノーマルリーチ変動パターンと、スーパーリーチα、スーパーリーチβといったスーパーリーチのリーチ演出が実行されるスーパーリーチ変動パターンとがある。尚、本特徴部１５１ＳＧでは、ノーマルリーチ変動パターンを１種類のみしか設けていないが、本発明はこれに限定されるものではなく、スーパーリーチと同様に、ノーマルリーチα、ノーマルリーチβ、…のように、複数のノーマルリーチ変動パターンを設けてもよい。また、スーパーリーチ変動パターンでも、スーパーリーチαやスーパーリーチβに加えてスーパーリーチγ…といった３以上のスーパーリーチ変動パターンを設けてもよい。
【０２２２】
図８−１７に示すように、本特徴部１５１ＳＧにおけるノーマルリーチのリーチ演出が実行されるノーマルリーチ変動パターンの特図変動時間については、スーパーリーチ変動パターンであるスーパーリーチα、スーパーリーチβよりも短く設定されている。また、本実施の形態におけるスーパーリーチα、スーパーリーチβといったスーパーリーチのリーチ演出が実行されるスーパーリーチ変動パターンの特図変動時間については、スーパーリーチβのスーパーリーチ演出が実行される変動パターンの方が、スーパーリーチαのスーパーリーチ演出が実行される変動パターンよりも特図変動時間が長く設定されている。
【０２２３】
尚、本特徴部１５１ＳＧでは、前述したようにスーパーリーチβ、スーパーリーチα、ノーマルリーチの順に可変表示結果が「大当り」となる大当り期待度が高くなるように設定されているため、ノーマルリーチ変動パターン及びスーパーリーチ変動パターンにおいては変動時間が長いほど大当り期待度が高くなっている。
【０２２４】
尚、本特徴部１５１ＳＧにおいては、後述するように、これら変動パターンを、例えば、非リーチの種別や、ノーマルリーチの種別や、スーパーリーチの種別等のように、変動パターンの種別を先に決定してから、該決定した種別に属する変動パターンに属する変動パターンから実行する変動パターンを決定するのではなく、これらの種別を決定することなしに変動パターン判定用の乱数値ＭＲ３のみを用いて決定するようにしているが、本発明はこれに限定されるものではなく、たとえば、変動パターン判定用の乱数値ＭＲ３に加えて、変動パターン種別判定用の乱数値を設けて、これら変動パターン種別判定用の乱数値から変動パターンの種別を先に決定してから、該決定した種別に属する変動パターンに属する変動パターンから実行する変動パターンを決定するようにしてもよい。
【０２２５】
また、本特徴部１５１ＳＧでは、図８−１７に示すように、変動パターン毎に変動内容（演出内容）が予め決定されている形態を例示しているが、本発明はこれに限定されるものではなく、設定されている設定値に応じて同じ変動パターンであっても変動内容（演出内容）が異なるようにしてもよい。例えば、ノーマルリーチはずれの変動パターンＰＡ２−１の場合は、設定されている設定値が１の場合は、ノーマルリーチはずれとなる変動パターンとし、設定されている設定値が２の場合は、擬似連演出を２回実行して非リーチはずれとなる変動パターンとして、設定されている設定値が３の場合は、擬似連演出を３回実行してスーパーリーチはずれとなる変動パターン…等とすればよい。
【０２２６】
遊技制御用マイクロコンピュータ１００では、ＣＰＵ１０３がＲＯＭ１０１から読み出したプログラムを実行し、ＲＡＭ１０２をワークエリアとして用いることで、パチンコ遊技機１における遊技の進行を制御するための各種の処理が実行される。また、ＣＰＵ１０３は、乱数生成プログラムを実行することで、主基板１１の側において用いられる各種の乱数の全てを生成可能とされている。
【０２２７】
遊技制御用マイクロコンピュータ１００が備えるＲＯＭ１０１には、ゲーム制御用のプログラムの他にも、遊技の進行を制御するために用いられる各種のテーブルデータなどが記憶されている。例えば、ＲＯＭ１０１には、ＣＰＵ１０３が各種の判定や決定を行うために用意された、図８−１８などに示す複数の判定テーブルを構成するテーブルデータが記憶されている。また、ＲＯＭ１０１には、ＣＰＵ１０３が主基板１１から各種の制御信号を出力させるために用いられる複数の制御パターンテーブルを構成するテーブルデータや、特別図柄や普通図柄などの可変表示における各図柄の変動態様となる変動パターンを複数種類格納する変動パターンテーブルなどが記憶されている。
【０２２８】
ＲＯＭ１０１が記憶する判定テーブルには、例えば図８−１８（Ａ）に示す表示結果判定テーブル、図８−１８（Ｂ）に示す大当り種別判定テーブル（第１特別図柄用）、図８−１８（Ｃ）に示す大当り種別判定テーブル（第２特別図柄用）図８−１８（Ｄ）に示す小当り種別判定テーブル（第１特別図柄・第２特別図柄共通）の他、大当り変動パターン判定テーブル、小当り変動パターン判定テーブル、はずれ変動パターン判定テーブル、普図表示結果判定テーブル（図示略）、普図変動パターン決定テーブル（図示略）などが含まれている。
【０２２９】
図８−１８（Ａ）は、表示結果判定テーブルを示す説明図である。表示結果判定テーブルとは、ＲＯＭ１０１に記憶されているデータの集まりであって、ＭＲ１と比較される当り判定値が設定されているテーブルである。表示結果判定テーブルは、変動特図指定バッファが１（第１）である、つまり、第１特別図柄が可変表示の対象とされている場合と、変動特図指定バッファが２（第２）である、つまり、第２特別図柄が可変表示の対象とされている場合のそれぞれについて、大当りとする判定値と、小当りとする判定値が設定されている。
【０２３０】
図８−１８（Ａ）に示すように、変動特図指定バッファが第１である場合には、１／２００の割合で大当りに当選するとともに１／２００の割合で小当りに当選するように判定値が設定されている。一方で、変動特図指定バッファが第２である場合には、１／２００の割合で大当りに当選するとともに１／６で小当りに当選するように判定値が設定されている。
【０２３１】
尚、本特徴部１５１ＳＧでは、ＣＰＵ１０３は、図８−１８（Ａ）に示す表示結果判定テーブルを用いて可変表示結果を大当りまたは小当りとするか否かを判定するようになっているが、大当り判定テーブルと小当り判定テーブルとを別個に設け、大当りの判定は、変動特図指定バッファによらず第１特別図柄の可変表示である場合と第２特別図柄の可変表示である場合とで共通のテーブルを用いて行うようにし、小当りの判定は、変動特図指定バッファが第１である場合と第２である場合とで別個のテーブルを用いて行うようにしてもよい。
【０２３２】
大当り種別判定テーブルは、可変表示結果を大当り図柄にする旨の判定がなされたときに、当り種別判定用の乱数（ＭＲ２）に基づいて、大当りの種別を大当りＡ〜大当りＤのうちのいずれかに決定するために参照されるテーブルである。尚、本特徴部１５１ＳＧでは、図８−１８（Ｂ）及び図８−１８（Ｃ）に示すように、大当り種別判定テーブル（第１特別図柄用）には、大当りＡから大当りＣまでの３種類の大当りが設けられているのに対し、大当り種別判定テーブル（第２特別図柄用）には、大当りＤの１種類の大当りのみが設けられている。つまり、第１特別図柄の可変表示が行われるときに発生する大当りとしては、大当りＡから大当りＣまでの３種類の大当りのうちのいずれかとなる一方、第２特別図柄の可変表示が行われるときに発生する大当りとしては、大当りＤのみとなる。
【０２３３】
図８−１８（Ｄ）は、ＲＯＭ１０１に記憶されている小当り種別判定テーブルを示す説明図である。小当り種別判定テーブルは、可変表示結果を小当り図柄にする旨の判定がなされたときに、当り種別判定用の乱数（ＭＲ２）に基づいて、小当りの種別を小当りＡまたは小当りＢに決定するために参照されるテーブルである。尚、本特徴部１５１ＳＧでは、小当りＡの小当り遊技中に遊技球が第２カウントスイッチ１５１ＳＧ０２３Ｂを通過した場合、すなわちＶ入賞大当りが発生した場合は、大当り種別が大当りＥの大当り遊技が実行されるようになっており、小当りＢの小当り遊技中に遊技球が第２カウントスイッチ１５１ＳＧ０２３Ｂを通過した場合、すなわちＶ入賞大当りが発生した場合は、大当り種別が大当りＦの大当り遊技が実行されるようになっている。つまり、これら大当りＥ及び大当りＦは、始動入賞時に抽出される当り種別判定用の乱数値ＭＲ２によって決定される大当り種別ではなく、小当りＡと小当りＢのいずれの小当り遊技中に遊技球が第２カウントスイッチ１５１ＳＧ０２３Ｂを通過したか否かによって決定される大当り種別である。
【０２３４】
ここで、本特徴部１５１ＳＧにおける大当り種別について、図８−１９（Ａ）及び図８−１９（Ｂ）を用いて説明する。本特徴部１５１ＳＧでは、大当り種別として、大当り遊技状態の終了後において遊技状態が低ベース状態に移行する大当りＡと、大当り遊技状態の終了後において遊技状態が第１高ベース状態に移行する大当りＢ、大当り遊技状態の終了後において遊技状態が第２高ベース状態に移行する大当りＣ〜大当りＦが設けられている。
【０２３５】
これら大当りＡ〜大当りＦのうち、大当りＡ〜大当りＣは、大入賞口を遊技者にとって有利な第２状態に変化させるラウンドが４回（いわゆる４ラウンド）、繰返し実行される大当りである。
【０２３６】
大当りＤは、大入賞口を遊技者にとって有利な第２状態に変化させるラウンドが１５回（いわゆる１５ラウンド）、繰返し実行される大当りであり、大当りＥは、大入賞口を遊技者にとって有利な第２状態に変化させるラウンドが９回（いわゆる９ラウンド）、繰返し実行される大当りであり、大当りＦは、大入賞口を遊技者にとって有利な第２状態に変化させるラウンドが１４回（いわゆる１４ラウンド）、繰返し実行される大当りである。
【０２３７】
また、大当りＢの大当り遊技終了後に移行する第１高ベース状態は、第１特別図柄の可変表示と第２特別図柄の可変表示が合計で１００回実行されるまで、或いは、第１特別図柄の可変表示と第２特別図柄の可変表示が合計で１００回実行される前に大当りが発生するまで時短制御が実行される。そして、大当りＣ〜大当りＦの大当り遊技終了後に移行する第２高ベース状態は、第１特別図柄の可変表示が１００回実行されるまで、第２特別図柄の可変表示が１０回実行されるまで、第１特別図柄の可変表示と第２特別図柄の可変表示が合計で１００回実行されるまで、或いは、第１特別図柄の可変表示が１００回実行されるまで、第２特別図柄の可変表示が１０回実行されるまで、第１特別図柄の可変表示と第２特別図柄の可変表示が合計で１００回実行されるまでのいずれかの条件が成立する前に大当りが発生するまで時短制御が実行される。
【０２３８】
尚、大当りＢの大当り遊技終了時、ＣＰＵ１０３は、大当り終了処理（Ｓ１１７）において時短フラグとともに遊技状態が第１高ベース状態であることを示す第１高ベース状態フラグをセットする。また、大当りＣ〜大当りＦの大当り遊技終了時、ＣＰＵ１０３は、大当り終了処理（１１７）において時短フラグとともに遊技状態が第２高ベース状態であることを示す第２高ベース状態フラグをセットする。このようにすることで、ＣＰＵ１０３は、普図当り時のスライド部材１５１ＳＧ７０４の動作パターンを、低ベース状態、第１高ベース状態、第２高ベース状態の３つの遊技状態において異なる割合で決定することが可能となっている（図８−７（Ｂ）参照）。
【０２３９】
前述したように、第１高ベース状態とは、遊技球を右遊技領域１５１ＳＧ０２２Ｒに打ち出すことによって第１始動入賞口Ｂと普電入賞口に入賞可能な遊技状態であり、第２高ベース状態とは、遊技球を右遊技領域１５１ＳＧ０２２Ｒに打ち出すことによって第１始動入賞口Ｂ、第２始動入賞口及び普電入賞口に入賞可能な遊技状態である。
【０２４０】
尚、高ベース状態においては、「普図当り」となる確率が上昇することで通常状態（低ベース状態）よりもスライド部材１５１ＳＧ７０４が退避位置から突出位置に突出し易くなることで、普電入賞口に入賞した遊技球によって第１始動入賞口Ｂや第２始動入賞口が開放され、遊技球これら第１始動入賞口Ｂや第２始動入賞口に入賞し易くなる。特に第２高ベース状態においては、第２始動入賞口が頻繁に開放されることにより第２特別図柄の可変表示結果が第１特別図柄の可変表示結果よりも高い割合で小当りとなる。このため、第２高ベース状態においては、遊技球が小当り遊技中にＶ入賞することにより大当りが発生することで、大当り遊技状態が通常状態を介すること無く連続的に発生し易い所謂連荘状態となる。
【０２４１】
本特徴部１５１ＳＧでは、大当り種別として大当りＡ〜大当りＦの６種類が設けられているが、本発明はこれに限定されるものではなく、設ける大当り種別は７種類以上や５種類以下であってもよい。
【０２４２】
また、本特徴部１５１ＳＧでは、図８−１９（Ｂ）に示すように、第２高ベース状態は、大当りが発生することを除けば、第１特別図柄の可変表示が１００回実行されること、第２特別図柄の可変表示が１０回実行されること、第１特別図柄の可変表示と第２特別図柄の可変表示が合計で１００回実行されることのいずれかが成立することにもとづいて終了する（遊技状態が低ベース状態に移行する）形態を例示しているが、本発明はこれに限定されるものではなく、第２高ベース状態については、例えば、第２特別図柄の可変表示が１００回実行されることにもとづいて低ベース状態に移行する、つまり、実質次の大当り（小当り経由の大当りを含む）が発生するまで第２高ベース状態が継続するようにしてもよい。
【０２４３】
また本特徴部１５１ＳＧでは、遊技状態が第１高ベース状態や第２高ベース状態である場合は、特別図柄の可変表示回数を条件に遊技状態が低ベース状態に移行する形態を例示しているが、本発明はこれに限定されるものではなく、遊技状態が第１高ベース状態や第２高ベース状態である場合は、可変表示結果が小当りとなった回数が所定回数（例えば、１０回）に達したことを条件に遊技状態が低ベース状態に移行してもよい。尚、図８−１８（Ａ）に示すように、本特徴部１５１ＳＧでは、第２特別図柄の可変表示の方が第１特別図柄の可変表示よりも小当り確率が高く設定されているので、遊技状態が第１高ベース状態や第２高ベース状態である場合については、第２特別図柄の可変表示結果が小当りとなった回数が所定回数に達したことを条件に遊技状態が低ベース状態に移行してもよい。
【０２４４】
次に、本特徴部１５１ＳＧにおけるＣＰＵ１０３の動作について説明する。本特徴部１５１ＳＧにおける遊技制御用タイマ割込み処理では、ＣＰＵ１０３は、図８−２０に示すように、Ｓ２１〜Ｓ２７に示すスイッチ処理、メイン側エラー処理、情報出力処理、遊技用乱数更新処理、特別図柄プロセス処理、普通図柄プロセス処理、コマンド制御処理を実行した後、ベース値を算出するためのベース値算出処理（１５１ＳＧ０２８）と、各入賞口に遊技球が入賞したことにもとづいて賞球（遊技球）を払い出すための賞球払出処理（１５１ＳＧ０２９）を実行し、遊技制御用タイマ割込み処理を終了する。
【０２４５】
図８−１１に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータとは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０２４６】
このようなＲＡＭ１０２には、パチンコ遊技機１における遊技の進行などを制御するために用いられる各種のデータを保持する領域として、図示しない遊技制御用データ保持エリアが設けられている。遊技制御用データ保持エリアは、第１特図保留記憶部と、第２特図保留記憶部と、普図保留記憶部と、遊技制御フラグ設定部と、遊技制御タイマ設定部と、遊技制御カウンタ設定部と、遊技制御バッファ設定部とを備えている。
【０２４７】
第１特図保留記憶部は、第１始動入賞口を遊技球が通過（進入）して始動入賞（第１始動入賞）が発生したものの未だ開始されていない特図ゲーム（第１特別図柄表示装置１５１ＳＧ００４Ａにおける第１特図を用いた特図ゲーム）の保留データを記憶する。一例として、第１特図保留記憶部は、第１始動入賞口への入賞順（遊技球の検出順）に保留番号と関連付けて、その遊技球の通過（進入）における第１始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして、その記憶数が所定の上限値（例えば「４」）に達するまで記憶する。こうして第１特図保留記憶部に記憶された保留データは、第１特図を用いた特図ゲームの実行が保留されていることを示し、この特図ゲームにおける可変表示結果（特図表示結果）に基づき大当りとなるか否かなどを判定可能にする保留情報となる。
【０２４８】
第２特図保留記憶部は、第２始動入賞口を遊技球が通過（進入）して始動入賞（第２始動入賞）が発生したものの未だ開始されていない特図ゲーム（第２特別図柄表示装置１５１ＳＧ００４Ｂにおける第２特図を用いた特図ゲーム）の保留データを記憶する。一例として、第２特図保留記憶部は、第２始動入賞口への入賞順（遊技球の検出順）に保留番号と関連付けて、その遊技球の通過（進入）における第２始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして、その数が所定の上限値（例えば「４」）に達するまで記憶する。こうして第２特図保留記憶部に記憶された保留データは、第２特図を用いた特図ゲームの実行が保留されていることを示し、この特図ゲームにおける可変表示結果（特図表示結果）に基づき大当りとなるか否かなどを判定可能にする保留情報となる。
【０２４９】
尚、第１始動入賞口を遊技球が通過（進入）したことによる第１始動条件の成立に基づく保留情報（第１保留情報）と、第２始動入賞口を遊技球が通過（進入）したことによる第２始動入賞の成立に基づく保留情報（第２保留情報）とを、共通の保留記憶部にて保留番号と対応付けて記憶するようにしてもよい。この場合には、第１始動入賞口と第２始動入賞口のいずれを遊技球が通過（進入）したかを示す始動口データを保留情報に含め、保留番号と対応付けて記憶させればよい。
【０２５０】
普図保留記憶部は、通過ゲートを通過した遊技球がゲートスイッチ１５１ＳＧ０２１によって検出されたにもかかわらず、未だ普通図柄表示器１５１ＳＧ０２０により開始されていない普図ゲームの保留情報を記憶する。例えば、普図保留記憶部は、遊技球が通過ゲートを通過した順に保留番号と対応付けて、その遊技球の通過に基づいてＣＰＵ１０３により乱数回路１０４等から抽出された普図表示結果判定用の乱数値ＭＲ４を示す数値データなどを保留データとして、その数が所定の上限値（例えば「４」）に達するまで記憶する。
【０２５１】
遊技制御フラグ設定部には、パチンコ遊技機１における遊技の進行状況などに応じて状態を更新可能な複数種類のフラグが設けられている。例えば、遊技制御フラグ設定部には、複数種類のフラグそれぞれについて、フラグの値を示すデータや、オン状態あるいはオフ状態を示すデータが記憶される。
【０２５２】
遊技制御タイマ設定部には、パチンコ遊技機１における遊技の進行を制御するために用いられる各種のタイマが設けられている。例えば、遊技制御タイマ設定部には、複数種類のタイマそれぞれにおけるタイマ値を示すデータが記憶される。
【０２５３】
遊技制御カウンタ設定部には、パチンコ遊技機１における遊技の進行を制御するために用いられるカウント値を計数するための複数種類のカウンタが設けられている。例えば、遊技制御カウンタ設定部には、複数種類のカウンタそれぞれにおけるカウント値を示すデータが記憶される。ここで、遊技制御カウンタ設定部１５４には、遊技用乱数の一部または全部をＣＰＵ１０３がソフトウェアにより更新可能にカウントするためのランダムカウンタが設けられてもよい。
【０２５４】
遊技制御カウンタ設定部のランダムカウンタには、乱数回路１０４で生成されない乱数値、例えば、乱数値ＭＲ１〜ＭＲ４を示す数値データが、ランダムカウント値として記憶され、ＣＰＵ１０３によるソフトウェアの実行に応じて、定期的あるいは不定期に、各乱数値を示す数値データが更新される。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。
【０２５５】
遊技制御バッファ設定部には、パチンコ遊技機１における遊技の進行を制御するために用いられるデータを一時的に記憶する各種のバッファが設けられている。例えば、遊技制御バッファ設定部には、複数種類のバッファそれぞれにおけるバッファ値を示すデータが記憶される。
【０２５６】
図８−２１は、ＣＰＵ１０３が実行する特別図柄通常処理（Ｓ１１０）を示すフローチャートである。特別図柄通常処理では、ＣＰＵ１０３は、先ず、第２特図保留記憶数が「０」であるか否かを判定する（１５１ＳＧＳ１４１）。第２特図保留記憶数は、第２特別図柄表示装置１５１ＳＧ００４Ｂによる第２特図を用いた特図ゲームの保留記憶数である。
【０２５７】
１５１ＳＧＳ１４１にて第２特図保留記憶数が「０」以外であるときには（１５１ＳＧＳ１４１；Ｎ）、第２特図保留記憶部にて保留番号「１」に対応して記憶されている保留データとして、特図表示結果判定用の乱数値ＭＲ１、大当り種別判定用の乱数値ＭＲ２、変動パターン判定用の乱数値ＭＲ３を示す数値データをそれぞれ読み出す（１５１ＳＧＳ１４２）。このとき読み出された数値データは、例えば変動用乱数バッファなどに格納されて、一時記憶されればよい。
【０２５８】
１５１ＳＧＳ１４２の処理に続いて、第２特図保留記憶数カウント値や合計保留記憶数カウント値を１減算して更新することなどにより、第２特図保留記憶数と合計保留記憶数を１減算させるように更新するとともに、第２特図保留記憶部のデータを更新する。具体的には、第２特図保留記憶部１５１Ｂにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（Ｓ１４３）。
【０２５９】
その後、変動特図指定バッファの格納値である変動特図指定バッファ値を「２」に更新した後（１５１ＳＧＳ１４４）、１５１ＳＧＳ１４９に移行する。
【０２６０】
一方、１５１ＳＧＳ１４１にて第２特図保留記憶数が「０」であるときには（１５１ＳＧＳ１４１；Ｙ）、第１特図保留記憶数が「０」であるか否かを判定する（１５１ＳＧＳ１４５）。第１特図保留記憶数は、第１特別図柄表示装置１５１ＳＧ００４Ａによる第１特図を用いた特図ゲームの保留記憶数である。例えば、１５１ＳＧＳ１４５の処理では、遊技制御カウンタ設定部にて第１保留記憶数カウンタが記憶する第１保留記憶数カウント値を読み出し、その読出値が「０」であるか否かを判定すればよい。このように、１５１ＳＧＳ１４５の処理は、１５１ＳＧＳ１４１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０２６１】
尚、第２特図を用いた特図ゲームが第１特図を用いた特図ゲームよりも優先して実行されるものに限定されず、例えば第１始動入賞口や第２始動入賞口を遊技球が進入（通過）して始動入賞が発生した順に、特図ゲームの実行が開始されるようにしてもよい。この場合には、始動入賞が発生した順番を特定可能なデータを記憶するテーブルを設けて、その記憶データから第１特図と第２特図のいずれを用いた特図ゲームの実行を開始するかを決定できればよい。
【０２６２】
１５１ＳＧＳ１４５にて第１特図保留記憶数が「０」以外であるときには（１５１ＳＧＳ１４５；Ｎ）、第１特図保留記憶部にて保留番号「１」に対応して記憶されている保留データとして、特図表示結果判定用の乱数値ＭＲ１、大当り種別判定用の乱数値ＭＲ２、変動パターン判定用の乱数値ＭＲ３を示す数値データをそれぞれ読み出す（１５１ＳＧＳ１４６）。このとき読み出された数値データは、例えば変動用乱数バッファなどに格納されて、一時記憶されればよい。
【０２６３】
１５１ＳＧＳ１４６の処理に続いて、第１特図保留記憶数カウント値や合計保留記憶数カウント値を１減算して更新することなどにより、第１特図保留記憶数と合計保留記憶数を１減算させるように更新するとともに、第１特図保留記憶部のデータを更新する。具体的には、第１特図保留記憶部にて保留番号「１」より下位のエントリ（例えば保留番号「２」〜「４」に対応するエントリ）に記憶された乱数値ＭＲ１〜ＭＲ３を示す保留データを、１エントリずつ上位にシフトする（１５１ＳＧＳ１４７）。
【０２６４】
その後、変動特図指定バッファの格納値である変動特図指定バッファ値を「１」に更新した後（１５１ＳＧＳ１４８）、１５１ＳＧＳ１４９に移行する。
【０２６５】
１５１ＳＧＳ１４９においては、特別図柄の可変表示結果である特図表示結果を「大当り」、「小当り」、「はずれ」のいずれとするかを決定するための使用テーブルとして、図８−１８（Ａ）に示す表示結果判定テーブルを選択してセットする。続いて、変動用乱数バッファに格納された特図表示結果判定用の乱数値ＭＲ１を示す数値データを、「大当り」や「小当り」、「はずれ」の各特図表示結果に割り当てられた判定値と比較して、特図表示結果を「大当り」、「小当り」、「はずれ」のいずれとするかを決定する（１５１ＳＧＳ１５０）。
【０２６６】
１５１ＳＧＳ１５０にて特図表示結果を決定した後には、その特図表示結果が「大当り」であるか否かを判定する（１５１ＳＧＳ１５１）。そして、「大当り」であると判定された場合には（１５１ＳＧＳ１５１；Ｙ）、遊技制御フラグ設定部に設けられた大当りフラグをオン状態にセットする（１５１ＳＧＳ１５２）。このときには、大当り種別を複数種類のいずれかに決定するための使用テーブルとして、変動特図指定バッファに応じた大当り種別判定テーブルを選択してセットする（１５１ＳＧＳ１５３）。このとき、ＣＰＵ１０３は、変動特図指定バッファの値が「１」である場合は、図８−１８（Ｂ）に示す第１特別図柄用の大当り種別判定テーブルを選択してセットし、変動特図指定バッファの値が「２」である場合は、図８−１８（Ｃ）に示す第２特別図柄用の大当り種別判定テーブルを選択してセットすれば良い。こうしてセットされた大当り種別判定テーブルを参照することにより、変動用乱数バッファに格納された大当り種別判定用の乱数値ＭＲ２を示す数値データが、大当り種別判定テーブルにおいて「大当りＡ」、「大当りＢ」、「大当りＣ」、「大当りＤ」の各大当り種別に割り当てられた判定値のいずれと合致するかに応じて、大当り種別を複数種別のいずれとするかを決定する（１５１ＳＧＳ１５４）。
【０２６７】
１５１ＳＧＳ１５４の処理にて大当り種別を決定することにより、大当り遊技状態の終了後における遊技状態を、時間単出制御（時短制御）が行われる時短状態と、時短制御が行われない通常状態とのいずれの遊技状態に制御するかが、可変表示結果としての確定特別図柄が導出される以前に決定されることになる。こうして決定された大当り種別に対応して、例えば遊技制御バッファ設定部に設けられた大当り種別バッファの格納値である大当り種別バッファ値を設定することなどにより（１５１ＳＧＳ１５５）、決定された大当り種別を記憶して１５１ＳＧＳ１５６に進む。一例として、大当り種別が「大当りＡ」であれば大当り種別バッファ値を「０」とし、「大当りＢ」であれば「１」とし、「大当りＣ」であれば「２」とし、「大当りＤ」であれば「３」とすればよい。
【０２６８】
一方、１５１ＳＧＳ１５１にて「大当り」ではないと判定された場合には（１５１ＳＧＳ１５１；Ｎ）、ＣＰＵ１０３は、特図表示結果が「小当り」であるか否かを判定する（１５１ＳＧＳ１５１ａ）。「小当り」であると判定された場合には（１５１ＳＧＳ１５１ａ；Ｙ）、遊技制御フラグ設定部に設けられた小当りフラグをオン状態にセットする（１５１ＳＧＳ１５１ｂ）。このときには、小当り種別を複数種類のいずれかに決定するための使用テーブルとして、小当り種別判定テーブル（図８−１８（Ｄ）参照）を選択してセットする（１５１ＳＧＳ１５１ｃ）。こうしてセットされた小当り種別判定テーブルを参照することにより、変動用乱数バッファに格納された当り種別判定用の乱数値ＭＲ２を示す数値データが、小当り種別判定テーブルにおいて「小当りＡ」、「小当りＢ」の各小当り種別に割り当てられた判定値のいずれと合致するかに応じて、小当り種別を複数種別のいずれとするかを決定する（１５１ＳＧＳ１５１ｄ）。
【０２６９】
こうして決定された小当り種別に対応して、例えば遊技制御バッファ設定部に設けられた小当り種別バッファの格納値である小当り種別バッファ値を設定することなどにより（１５１ＳＧＳ１５１ｅ）、決定された小当り種別を記憶して１５１ＳＧＳ１５６に進む。一例として、小当り種別が「小当りＡ」であれば小当り種別バッファ値を「０」とし、「小当りＢ」であれば「１」とすればよい。
【０２７０】
１５１ＳＧＳ１５６においては、大当り遊技状態に制御するか否か（大当りフラグがセットされているか否か）の事前決定結果、大当り遊技状態とする場合における大当り種別の決定結果、更には、小当り遊技状態に制御するか否か（小当りフラグがセットされているか否か）の事前決定結果に対応して、確定特別図柄を設定する。一例として、特図表示結果を「はずれ」とする旨の事前決定結果に対応して、はずれ図柄となる「−」の記号を示す特別図柄を、確定特別図柄に設定する。また、１５１ＳＧＳ１５１にて特図表示結果が「大当り」であると判定された場合には、１５１ＳＧＳ１５４における大当り種別の決定結果に応じて、大当り図柄となる「１」、「３」、「５」、「７」の数字を示す特別図柄のいずれかを、確定特別図柄に設定する。即ち、大当り種別を「大当りＡ」とする決定結果に応じて「１」の数字を示す特別図柄を、確定特別図柄に設定する。また、大当り種別を「大当りＢ」とする決定結果に応じて「３」の数字を示す特別図柄を、確定特別図柄に設定する。大当り種別を「大当りＣ」とする決定結果に応じて「５」の数字を示す特別図柄を、確定特別図柄に設定する。大当り種別を「大当りＤ」とする決定結果に応じて「７」の数字を示す特別図柄を、確定特別図柄に設定する。また、特図表示結果を「小当り」とする旨の事前決定結果に対応して、小当り図柄となる「２」の記号を示す特別図柄を、確定特別図柄に設定する。
【０２７１】
１５１ＳＧＳ１５６にて確定特別図柄を設定した後には、特図プロセスフラグの値を変動パターン設定処理に対応した値である“１”に更新してから（１５１ＳＧＳ１５７）、特別図柄通常処理を終了する。
【０２７２】
尚、１５１ＳＧＳ１４５にて第１特図を用いた特図ゲームの保留記憶数が「０」である場合には（１５１ＳＧＳ１４５；Ｙ）、所定のデモ表示設定を行ってから（１５１ＳＧＳ１５８）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、既に、客待ちデモ指定コマンドを送信済みであれば、そのままデモ表示設定を終了する。これに対して、未送信であれば、客待ちデモ指定コマンドを送信するための設定を行ってから、デモ表示設定を終了する。
【０２７３】
図８−２２及び図８−２３は、ＣＰＵ１０３が実行する特別図柄停止処理（Ｓ１１３）を示すフローチャートである。特別図柄停止処理において、ＣＰＵ１０３は、Ｓ３２の特別図柄変動処理で参照される終了フラグをセットして特別図柄の変動を終了させ、第１特別図柄表示装置１５１ＳＧ００４Ａや第２特別図柄表示装置１５１ＳＧ００４Ｂに停止図柄を導出表示する制御を行う（１５１ＳＧＳ１７１）。尚、変動特図指定バッファ値が第１特図を示す「１」である場合には、第１特別図柄表示装置１５１ＳＧ００４Ａでの第１特別図柄の可変表示を終了させ、変動特図指定バッファ値が第２特図を示す「２」である場合には、第２特別図柄表示装置１５１ＳＧ００４Ｂでの第２特別図柄の可変表示を終了させる。また、演出制御基板１２に図柄確定コマンドを送信する制御を行う（１５１ＳＧＳ１７２）。そして、大当りフラグがセットされているか否かを判定し（１５１ＳＧＳ１７３）、大当りフラグがセットされていない場合（１５１ＳＧＳ１７３；Ｎ）には、１５１ＳＧＳ１８０に移行する。
【０２７４】
一方、大当りフラグがセットされている場合（１５１ＳＧＳ１７３；Ｙ）には、ＣＰＵ１０３は、時短フラグや第１高ベース状態フラグ、第２高ベース状態フラグがセットされていればこれらフラグをクリアし（１５１ＳＧ１７４）、演出制御基板１２に、記憶されている大当りの種別に応じて当り開始１指定コマンド（大当りＡ）、当り開始２指定コマンド（大当りＢ）、当り開始３指定コマンド（大当りＣ）当り開始４指定コマンド（大当りＤ）を送信するための設定を行う（１５１ＳＧＳ１７５）。尚、１５１ＳＧＳ１７５において設定された当り開始指定コマンドは、前述したコマンド制御処理（Ｓ２７）にて演出制御基板１２に送信される。
【０２７５】
更にＣＰＵ１０３は、演出制御基板１２に通常状態を示す遊技状態指定コマンドを送信するための設定を行う（１５１ＳＧＳ１７６）。
【０２７６】
そして、大当り表示時間タイマに大当り表示時間（大当りが発生したことを、例えば、画像表示装置５において報知する時間）に相当する値を設定する（１５１ＳＧＳ１７７）。また、大入賞口開放回数カウンタに開放回数（例えば、大当りＡ〜大当りＣの場合には４回、大当りＤの場合には１５回）をセットする（１５１ＳＧＳ１７８）。そして、後述する第１特図可変表示回数カウンタ及び第２特図可変表示回数カウンタの値を０にリセットするとともに（１５１ＳＧＳ１７９ａ）、別図柄プロセスフラグの値を大当り開放前処理（Ｓ１１４）に対応した値である“４”に更新し（１５１ＳＧＳ１７９ｂ）、当該特別図柄停止処理を終了する。
【０２７７】
一方、１５１ＳＧＳ１８０においてＣＰＵ１０３は、小当りフラグがセットされているか否かを判定する。小当りフラグがセットされていない場合（１５１ＳＧＳ１８０；Ｎ）には、１５１ＳＧＳ１９８に移行する。一方、小当りフラグがセットされている場合は（１５１ＳＧＳ１８０；Ｙ）、ＣＰＵ１０３は、演出制御基板１２に、記憶されている小当りの種別に応じて当り開始５指定コマンド（小当りＡ）または当り開始６指定コマンド（小当りＢ）を送信するための設定を行う（１５１ＳＧＳ１８１）。尚、１５１ＳＧＳ１８１において設定された当り開始指定コマンドは、前述したコマンド制御処理（Ｓ２７）にて演出制御基板１２に送信される。
【０２７８】
そして、小当り表示時間タイマに小当り表示時間（小当りが発生したことを、例えば、画像表示装置５において報知する時間）に相当する値を設定する（１５１ＳＧＳ１８２）。また、大入賞口開放回数カウンタに開放回数（例えば、小当りの場合には２回）をセットし（１５１ＳＧＳ１８３）、時短フラグがセットされているか否か、つまり、高ベース状態（第１高ベース状態または第２高ベース状態）において小当りに当選したか否かを判定する（１５１ＳＧＳ１８４）。時短フラグがセットされていない場合、つまり、低ベース状態（通常状態）において小当りに当選した場合は（１５１ＳＧＳ１８４；Ｎ）、低ベース時小当りフラグをセットして１５１ＳＧＳ１８６に進む（１５１ＳＧＳ１８５）。尚、時短フラグがセットされている場合、つまり、高ベース状態において小当りに当選した場合は（１５１ＳＧＳ１８４；Ｙ）、１５１ＳＧＳ１８５の処理を経由せずに１５１ＳＧＳ１８６に進む。
【０２７９】
そして、ＣＰＵ１０３は、１５１ＳＧＳ１８６において、時短フラグがセットされているか否か、つまり、遊技状態が第１高ベース状態または第２高ベース状態であるか否かを判定する。時短フラグがセットされていない場合（１５１ＳＧＳ１８６；Ｎ）は、１５１ＳＧＳ１９６に進み、時短フラグがセットされている場合（１５１ＳＧＳ１８６；Ｙ）は、変動特図指定バッファの値が１であるか否か、つまり、実行した可変表示が第１特別図柄の可変表示であるか否かを判定する（１５１ＳＧＳ１８７）。変動特図指定バッファの値が１である場合（１５１ＳＧＳ１８７；Ｙ）は、高ベース状態中における第１特別図柄の可変表示回数を示す第１特図可変表示回数カウンタの値を＋１して１５１ＳＧＳ１９０に進む（１５１ＳＧＳ１８８）。また、変動特図指定バッファの値が２である場合（１５１ＳＧＳ１８７；Ｎ）は、高ベース状態中における第２特別図柄の可変表示回数を示す第２特図可変表示回数カウンタの値を＋１して１５１ＳＧＳ１９０に進む（１５１ＳＧＳ１８９）。
【０２８０】
次いで、１５１ＳＧＳ１９０においてＣＰＵ１０３は、第１特図可変表示回数カウンタの値と第２特図可変表示開示数カウンタの値の和が１００であるか否かを判定する。第１特図可変表示回数カウンタの値と第２特図可変表示開示数カウンタの値の和が９９以下である場合（１５１ＳＧＳ１９０；Ｎ）は、更に遊技状態が第１高ベース状態であるか否か、つまり、第１高ベース状態フラグがセットされているか否かを判定する（１５１ＳＧＳ１９１）。遊技状態が第２高ベース状態である場合（１５１ＳＧＳ１９１；Ｎ）は、第１特図可変表示回数カウンタの値が１００であるか否かを判定する（１５１ＳＧＳ１９２）。第１特図可変表示回数カウンタの値が９９以下である場合（１５１ＳＧＳ１９１；Ｎ）は、第２特図可変表示回数カウンタの値が１０であるか否かを判定する（１５１ＳＧＳ１９３）。第２特図可変表示回数カウンタの値が９以下である場合（１５１ＳＧＳ１９３；Ｎ）は、１５１ＳＧＳ１９６に進む。
【０２８１】
また、第１特図可変表示回数カウンタの値と第２特図可変表示開示数カウンタの値の和が１００である場合（１５１ＳＧＳ１９０；Ｙ）、遊技状態が第１高ベース状態である場合（１５１ＳＧＳ１９１；Ｙ）、第１特図可変表示回数カウンタの値が１００である場合（１９１ＳＧＳ１９２；Ｙ）、第２特図可変表示回数カウンタの値が１０である場合（１８１ＳＧＳ１９３；Ｙ）は、時短フラグ、第１高ベース状態フラグ、第２高ベース状態フラグのうちセットされているフラグをクリアし（１５１ＳＧＳ１９４）、第１特図可変表示回数カウンタの値と第２特図可変表示回数カウンタの値を０にリセットして１５１ＳＧＳ１９６に進む（１５１ＳＧＳ１９５）。
【０２８２】
１５１ＳＧ１６１においてＣＰＵ１０３は、時短フラグのセット状態に対応した遊技状態指定コマンドの送信設定を行う。そして、特別図柄プロセスフラグの値を小当り開放前処理（Ｓ１１８）に対応した値である“８”に更新し、当該特別図柄停止処理を終了する（１５１ＳＧＳ１９７）。
【０２８３】
一方、１５１ＳＧＳ１９８において、ＣＰＵ１０３は、時短フラグがセットされているか否か、つまり、遊技状態が第１高ベース状態または第２高ベース状態であるか否かを判定する。時短フラグがセットされていない場合（１５１ＳＧＳ１９８；Ｎ）は、１５１ＳＧＳ２０８に進み、時短フラグがセットされている場合（１５１ＳＧＳ１９８；Ｙ）は、変動特図指定バッファの値が１であるか否か、つまり、実行した可変表示が第１特別図柄の可変表示であるか否かを判定する（１５１ＳＧＳ１９９）。変動特図指定バッファの値が１である場合（１５１ＳＧＳ１９９；Ｙ）は、高ベース状態中における第１特別図柄の可変表示回数を示す第１特図可変表示回数カウンタの値を＋１して１５１ＳＧＳ２０２に進む（１５１ＳＧＳ２００）。また、変動特図指定バッファの値が２である場合（１５１ＳＧＳ１９９；Ｎ）は、高ベース状態中における第２特別図柄の可変表示回数を示す第２特図可変表示回数カウンタの値を＋１して１５１ＳＧＳ２０２に進む（１５１ＳＧＳ２０１）。
【０２８４】
次いで、１５１ＳＧＳ２０２においてＣＰＵ１０３は、第１特図可変表示回数カウンタの値と第２特図可変表示開示数カウンタの値の和が１００であるか否かを判定する。第１特図可変表示回数カウンタの値と第２特図可変表示開示数カウンタの値の和が９９以下である場合（１５１ＳＧＳ２０２；Ｎ）は、更に遊技状態が第１高ベース状態であるか否か、つまり、第１高ベース状態フラグがセットされているか否かを判定する（１５１ＳＧＳ２０３）。遊技状態が第２高ベース状態である場合（１５１ＳＧＳ２０３；Ｎ）は、第１特図可変表示回数カウンタの値が１００であるか否かを判定する（１５１ＳＧＳ２０４）。第１特図可変表示回数カウンタの値が９９以下である場合（１５１ＳＧＳ２０４；Ｎ）は、第２特図可変表示回数カウンタの値が１０であるか否かを判定する（１５１ＳＧＳ２０５）。第２特図可変表示回数カウンタの値が９以下である場合（１５１ＳＧＳ２０５；Ｎ）は、１５１ＳＧＳ２０８に進む。
【０２８５】
また、第１特図可変表示回数カウンタの値と第２特図可変表示開示数カウンタの値の和が１００である場合（１５１ＳＧＳ２０２；Ｙ）、遊技状態が第１高ベース状態である場合（１５１ＳＧＳ２０３；Ｙ）、第１特図可変表示回数カウンタの値が１００である場合（１９１ＳＧＳ２０４；Ｙ）、第２特図可変表示回数カウンタの値が１０である場合（１８１ＳＧＳ２０５；Ｙ）は、時短フラグ、第１高ベース状態フラグ、第２高ベース状態フラグのうちセットされているフラグをクリアし（１５１ＳＧＳ２０６）、第１特図可変表示回数カウンタの値と第２特図可変表示回数カウンタの値を０にリセットして１５１ＳＧＳ２０８に進む（１５１ＳＧＳ２０７）。
【０２８６】
１５１ＳＧ２０８においてＣＰＵ１０３は、時短フラグのセット状態に対応した遊技状態指定コマンドの送信設定を行う。そして、特別図柄プロセスフラグの値を小当り開放前処理（Ｓ１１０）に対応した値である“０”に更新し、当該特別図柄停止処理を終了する（１５１ＳＧＳ２０９）。
【０２８７】
図８−２４は、ＣＰＵ１０３が実行する小当り開放前処理（Ｓ１１８）を示すフローチャートである。小当り開放前処理において、ＣＰＵ１０３は、先ず小当り表示時間タイマを−１し（１５１ＳＧＳ２１１）、該小当り表示時間タイマがタイマアウトしたか否かを判定する（１５１ＳＧＳ２１２）。小当り表示時間タイマがタイマアウトしていない場合は（１５１ＳＧＳ２１２；Ｎ）、小当り開放前処理を終了する一方、小当り表示時間タイマがタイマアウトした場合は（１５１ＳＧＳ２１２；Ｙ）、大入賞口を開放状態とするための開放時間タイマに予め定められている期間（例えば、１秒）に応じた値をセットする（１５１ＳＧＳ２１３）。そして、特別図柄プロセスフラグの値を小当り開放中処理（Ｓ１１９）に対応した値である“９”に更新し（Ｓ２０４）、当該小当り開放前処理を終了する。
【０２８８】
図８−２５は、ＣＰＵ１０３が実行する小当り開放中処理（Ｓ１１９）を示すフローチャートである。小当り開放中処理において、ＣＰＵ１０３は、先ず開放時間タイマの値を−１する（１５１ＳＧＳ２２１）。そして、ＣＰＵ１０３は、開放時間タイマがタイマアウトしたか否かを判定する（１５１ＳＧＳ２２２）。
【０２８９】
開放時間タイマがタイマアウトした場合は（１５１ＳＧＳ２２２；Ｙ）、１５１ＳＧＳ２３５に移行し、開放時間タイマがタイマアウトしていない場合は（１５１ＳＧＳ２２２；Ｎ）、大入賞口の開放タイミングであるか否かを判定する（１５１ＳＧＳ２２３）。大入賞口の開放タイミングである場合（１５１ＳＧＳ２２３；Ｙ）は、ＣＰＵ１０３は大入賞口扉用のソレノイド１５１ＳＧ０８２を駆動させることで大入賞口を開放状態に制御する（１５１ＳＧＳ２２４）。そして、大入賞口開放中指定コマンドの送信設定を行い（１５１ＳＧＳ２２５）、１５１ＳＧＳ２２６に移行する。尚、１５１ＳＧＳ２２５において送信設定を行った大入賞口開放中指定コマンドは、前述したコマンド制御処理にて演出制御基板１２に送信される。大入賞口の開放タイミングでない場合は（１５１ＳＧＳ２２３；Ｎ）、１５１ＳＧＳ２２４及び１５１ＳＧＳ２２５を経由せずに１５１ＳＧＳ２２６に移行する。
【０２９０】
１５１ＳＧＳ２２６において、ＣＰＵ１０３は、大入賞口の閉鎖タイミングであるか否かを判定する。大入賞口の閉鎖タイミングである場合は（１５１ＳＧＳ２２６；Ｙ）、ＣＰＵ１０３は大入賞口扉用のソレノイド１５１ＳＧ０８２を駆動させることで大入賞口を閉鎖状態に制御する（１５１ＳＧＳ２２７）。そして、大入賞口開放後指定コマンドの送信設定を行い（１５１ＳＧＳ２２８）、１５１ＳＧＳ２２９に移行する。尚、１５１ＳＧＳ２２８において送信設定を行った大入賞口開放中指定コマンドは、前述したコマンド制御処理にて演出制御基板１２に送信される。大入賞口の閉鎖タイミングでない場合は（１５１ＳＧＳ２２６；Ｎ）、１５１ＳＧＳ２２７及び１５１ＳＧＳ２２８を経由せずに１５１ＳＧＳ２２９に移行する。
【０２９１】
１５１ＳＧＳ２２９において、ＣＰＵ１０３は、第２カウントスイッチ１５１ＳＧ０２３Ｂがオンとなったか否かを判定する。第２カウントスイッチ１５１ＳＧ０２３Ｂがオンとなっていない場合は（１５１ＳＧＳ２２９；Ｎ）、小当り開放中処理を終了し、第２カウントスイッチ１５１ＳＧ０２３Ｂがオンとなっている場合は（１５１ＳＧＳ２２９；Ｙ）、既に第２カウントスイッチ１５１ＳＧ０２３Ｂがオンとなったこと、すなわち遊技球が第２カウントスイッチ１５１ＳＧ０２３Ｂを通過したことを示すＶ入賞フラグがセットされているか否かを判定する（１５１ＳＧＳ２３０）。Ｖ入賞フラグがセットされている場合は（１５１ＳＧＳ２３０；Ｙ）、小当り開放中処理を終了し、Ｖ入賞フラグがセットされていない場合は（１５１ＳＧＳ２３０；Ｎ）、Ｖ入賞フラグをセットする（１５１ＳＧＳ２３１）。
【０２９２】
そして、ＣＰＵ１０３は、演出制御基板１２に対するＶ入賞通知コマンドの送信設定を行う（１５１ＳＧＳ２３２）。尚、Ｖ入賞通知コマンドは前述したコマンド制御処理（Ｓ２７）において演出制御基板１２に送信される。また、ＣＰＵ１０３は、大入賞口が開放状態であれば、大入賞口扉用のソレノイド１５１ＳＧ０８２を駆動させることで大入賞口を閉鎖状態に制御し（１５１ＳＧＳ２３３）、開放時間タイマをクリアする（１５１ＳＧＳ２３４）。
【０２９３】
そして、１５１ＳＧＳ２３５において、ＣＰＵ１０３は、特別図柄プロセスフラグの値を小当り終了処理（Ｓ１２０）に対応した値である“１０”に更新し、当該小当り開放中処理を終了する。
【０２９４】
図８−２６は、ＣＰＵ１０３が実行する小当り終了処理（Ｓ１２０）を示すフローチャートである。小当り終了処理において、ＣＰＵ１０３は、小当り終了表示タイマが動作中であるか否かを判定する（１５１ＳＧＳ２４１）。小当り終了表示タイマが動作中でない場合は（１５１ＳＧＳ２４１；Ｎ）、小当りフラグをクリアし（１５１ＳＧＳ２４２）、演出制御基板１２に対して小当りに応じた当り終了指定コマンドの送信設定を行う（１５１ＳＧＳ２４３）。尚、当り終了指定コマンドは、前述したコマンド制御処理（Ｓ２７）において演出制御基板１２に送信される。そして、小当り終了表示タイマに小当り終了表示時間に応じた値をセットし（１５１ＳＧＳ２４４）、小当り終了処理を終了する。
【０２９５】
一方、小当り終了表示タイマが動作中である場合は（１５１ＳＧＳ２４１；Ｙ）、小当り終了表示タイマの値を−１する（１５１ＳＧＳ２４５）。そして、小当り終了表示時間が経過したか否か、つまり、小当り終了表示タイマがタイマアウトしたか否かを判定する（１５１ＳＧＳ２４６）。小当り終了表示時間が経過していない場合は（１５１ＳＧＳ２４６；Ｎ）、ＣＰＵ１０３は第２カウントスイッチ１５１ＳＧ０２３Ｂがオンとなったか否かを判定する（１５１ＳＧＳ２４７）。第２カウントスイッチ１５１ＳＧ０２３Ｂがオンとなっていない場合は（１５１ＳＧＳ２４７；Ｎ）、小当り終了処理を終了し、第２カウントスイッチ１５１ＳＧ０２３Ｂがオンとなっている場合は（１５１ＳＧＳ２４７；Ｙ）、既に第２カウントスイッチ１５１ＳＧ０２３Ｂがオンとなったこと、すなわち遊技球が第２カウントスイッチ１５１ＳＧ０２３Ｂを通過したことを示すＶ入賞フラグがセットされているか否かを判定する（１５１ＳＧＳ２４８）。Ｖ入賞フラグがセットされている場合は（１５１ＳＧＳ２４８；Ｙ）、小当り終了処理を終了し、Ｖ入賞フラグがセットされていない場合は（１５１ＳＧＳ２４８；Ｎ）、Ｖ入賞フラグをセットする（１５１ＳＧＳ２４９）。
【０２９６】
そして、ＣＰＵ１０３は、演出制御基板１２に対するＶ入賞通知コマンドの送信設定を行う（１５１ＳＧＳ２５０）。尚、Ｖ入賞通知コマンドは前述したコマンド制御処理（Ｓ２７）において演出制御基板１２に送信される。また、ＣＰＵ１０３は、時短フラグがセットされているか否かを判定する（１５１ＳＧ２５１）。時短フラグがセットされている場合（１５１ＳＧＳ２５１；Ｙ）は、小当り終了処理を終了し、時短フラグがセットされていない場合（１５１ＳＧ２５１；Ｎ）は、低ベース時小当りフラグをセットして小当り終了処理を終了する（１５１ＳＧＳ２５２）。
【０２９７】
また、１５１ＳＧＳ２４６において小当り終了表示時間が経過した場合は（１５１ＳＧＳ２４６；Ｙ）、ＣＰＵ１０３は、Ｖ入賞フラグがセットされているか否かを判定する（１５１ＳＧＳ２５３）。Ｖ入賞フラグがセットされている場合は（１５１ＳＧＳ２５３；Ｙ）、ＣＰＵ１０３はＶ入賞フラグをクリアするとともに大当りフラグをセットする（１５１ＳＧＳ２５４、１５１ＳＧＳ２５５）。そして、ＣＰＵ１０３は、当該Ｖ入賞が発生した小当り種別にもとづいて大当り種別を「大当りＥ」と「大当りＦ」とから決定する（１５１ＳＧＳ２５６）。尚、大当り種別は、図８−１８（Ｄ）に示すように、当該Ｖ入賞が発生した小当り種別が「小当りＡ」である場合は、大当り種別を「大当りＥ」に決定し、当該Ｖ入賞が発生した小当り種別が「小当りＢ」である場合は、大当り種別を「大当りＦ」に決定する。こうして決定された大当り種別に対応して、例えば遊技制御バッファ設定部に設けられた大当り種別バッファの格納値である大当り種別バッファ値を設定することなどにより（１５１ＳＧＳ２５７）、決定された大当り種別を記憶する。一例として、大当り種別が「大当りＥ」であれば大当り種別バッファ値を「４」とし、「大当りＦ」であれば「５」とすればよい。
【０２９８】
１５１ＳＧＳ２５７の実行後、ＣＰＵ１０３は、低ベース時小当りフラグがセットされていればクリアする（１５１ＳＧＳ２５８）。そして、特別図柄プロセスフラグの値を大当り開放前処理（Ｓ１１４）に対応した値である“４”に更新し（１５１ＳＧＳ２５９）、小当り終了処理を終了する。
【０２９９】
つまり、本特徴部１５１ＳＧでは、小当り遊技中だけでなく、小当り遊技終了後の小当り終了表示時間が経過するまでの期間において遊技球が第２カウントスイッチ１５１ＳＦ０２３Ｂを通過するようになっているため、小当り遊技終了直前に大入賞口に遊技球が入賞した場合であっても、該遊技球が第２カウントスイッチ１５１ＳＧ０２３Ｂを通過することで小当り終了処理の終了後に大当り遊技が実行されるようになっている。
【０３００】
尚、１５１ＳＧＳ２５３においてＶ入賞フラグがセットされていない場合は（１５１ＳＧＳ；Ｎ）、ＣＰＵ１０３は、特別図柄プロセスフラグの値を特別図柄通常処理（Ｓ１１０）に対応した値である“０”に更新し（１５１ＳＧＳ２６０）、小当り終了処理を終了する。
【０３０１】
図８−２７は、図８−２０に示すベース値算出処理（１５１ＳＧＳ０２８）を示すフローチャートである。ベース値算出処理においてＣＰＵ１０３は、先ず、遊技状態が大当り遊技状態であるか否かを判定する（１５１ＳＧＳ２６１）。大当り遊技状態である場合（１５１ＳＧＳ２６１；Ｙ）はベース値算出処理を終了し、大当り遊技状態でない場合（１５１ＳＧＳ２６１；Ｎ）は、更に遊技状態が小当り遊技状態であるか否かを判定する（１５１ＳＧＳ２６２）。
【０３０２】
遊技状態が小当り遊技状態でない場合（１５１ＳＧＳ２６２；Ｎ）、ＣＰＵ１０３は、遊技状態が低ベース状態（通常状態）であるか否かを判定する。低ベース状態でない場合、つまり、第１高ベース状態や第２高ベース状態である場合（１５１ＳＧＳ２６３；Ｎ）は、ベース値算出処理を終了する。また、遊技状態が低ベース状態である場合（１５１ＳＧＳ２６３；Ｙ）は、第１始動口Ａスイッチ１５１ＳＧ０２２ＡがＯＮとなったか否か、つまり、遊技球が第１始動入賞口Ａに入賞して第１始動口Ａスイッチ１５１ＳＧ０２２Ａにて検出されたか否かを判定する（１５１ＳＧＳ２６４）。
【０３０３】
第１始動口Ａスイッチ１５１ＳＧ０２２ＡがＯＮとなった場合（１５１ＳＧＳ２６４）、ＣＰＵ１０３は、賞球払出処理において払い出される賞球数の合計を示す賞球数カウンタの値を＋３するとともに遊技盤２上から排出された遊技球数を示すアウト数カウンタの値を＋１して１５１ＳＧＳ２６７に進む（１５１ＳＧＳ２６５、１５１ＳＧＳ２６６）。尚、第１始動口ＡスイッチがＯＦＦである場合（１５１ＳＧＳ２６４；Ｎ）は、１５１ＳＧＳ２６５及び１５１ＳＧＳ２６６の処理を実行せずに１５１ＳＧＳ２６７に進む。
【０３０４】
１５１ＳＧＳ２６７においてＣＰＵ１０３は、第１始動口Ｂスイッチ１５１ＳＧ０２２ＢがＯＮとなったか否か、つまり、遊技球が第１始動入賞口Ｂに入賞して第１始動口Ｂスイッチ１５１ＳＧ０２２Ｂにて検出されたか否かを判定する。第１始動口Ｂスイッチ１５１ＳＧ０２２ＢがＯＮとなった場合（１５１ＳＧＳ２６７；Ｙ）は、賞球数カウンタの値を＋１するとともにアウト数カウンタの値を＋０する（１５１ＳＧＳ２６８、１５１ＳＧＳ２６９）。また、アウト数カウンタの値を＋０する（アウト数カウンタの値を加算せずに）ともに、入賞ユニット１５１ＳＧ７００内に残留している遊技球数を示す残留数カウンタの値を＋１して１５１ＳＧＳ２７４に進む（１５１ＳＧＳ２７３、１５１ＳＧ２７３ａ）。尚、第２始動口スイッチ１５１ＳＧ０２２ＣがＯＦＦである場合（１５１ＳＧＳ２６７；Ｎ）は、１５１ＳＧＳ２７２及び１５１ＳＧＳ２７３ａの処理を実行せずに１５１ＳＧＳ２７４に進む。
【０３０５】
１５１ＳＧＳ２７４においてＣＰＵ１０３は、第４カウントスイッチ１５１ＳＧ０２３ＤがＯＮとなったか否か、つまり、遊技球が普電入賞口に入賞して第４カウントスイッチ１５１ＳＧ０２３Ｄに検出されたか否かを判定する。第４カウントスイッチ１５１ＳＧ０２３ＤがＯＮとなった場合（１５１ＳＧＳ２７４；Ｙ）は、賞球数カウンタの値を＋１して１５１ＳＧＳ２７６に進み、第４カウントスイッチ１５１ＳＧ０２３ＤがＯＦＦである場合（１５１ＳＦＳ２７４；Ｎ）は、１５１ＳＧＳ２７５の処理を実行せずに１５１ＳＧＳ２７６に進む。
【０３０６】
１５１ＳＧＳ２７６においてＣＰＵ１０３は、第７カウントスイッチ１５１ＳＧ０２３ＧがＯＮとなったか否か、つまり、一般入賞口１５１ＳＧ０１０に遊技球が入賞して第７カウントスイッチ１５１ＳＧ０２３Ｇに検出されたか否かを判定する。第７カウントスイッチ１５１ＳＧ０２３ＧがＯＮとなった場合（１５１ＳＧＳ２７６；Ｙ）は、賞球数カウンタの値を＋３するとともにアウト数カウンタの値を＋１して１５１ＳＧＳ２７９に進み（１５１ＳＧＳ２７７、１５１ＳＧＳ２７８）、第７カウントスイッチ１５１ＳＧ０２３ＧがＯＦＦである場合（１５１ＳＧＳ２７６；Ｎ）は、１５１ＳＧＳ２７７及び１５１ＳＧＳ２７８の処理を実行せずに１５１ＳＧＳ２７９に進む。
【０３０７】
１５１ＳＧＳ２７９においてＣＰＵ１０３は、第１アウトスイッチ１５１ＳＧ０４１Ａ、第３アウトスイッチ１５１ＳＧ０４１Ｃ、第５カウントスイッチ１５１ＳＧ０２３Ｅ、第６カウントスイッチ１５１ＳＧ０２３ＦのいずれかがＯＮとなったか否か、つまり、遊技球がこれら第１アウトスイッチ１５１ＳＧ０４１Ａ、第３アウトスイッチ１５１ＳＧ０４１Ｃ、第５カウントスイッチ１５１ＳＧ０２３Ｅ、第６カウントスイッチ１５１ＳＧ０２３Ｆを通過して遊技盤２の背面側に誘導されて排出されたか否かを判定する。第１アウトスイッチ１５１ＳＧ０４１Ａ、第３アウトスイッチ１５１ＳＧ０４１Ｃ、第５カウントスイッチ１５１ＳＧ０２３Ｅ、第６カウントスイッチ１５１ＳＧ０２３ＦのいずれかがＯＮとなった場合（１５１ＳＧＳ２７９；Ｙ）は、アウト数カウンタの値を＋１して１５１ＳＧＳ２８１に進み（１５１ＳＧＳ２８０）、第１アウトスイッチ１５１ＳＧ０４１Ａ、第３アウトスイッチ１５１ＳＧ０４１Ｃ、第５カウントスイッチ１５１ＳＧ０２３Ｅ、第６カウントスイッチ１５１ＳＧ０２３ＦのいずれもＯＦＦである場合（１５１ＳＧＳ２７９；Ｎ）は、１５１ＳＧＳ２８０の処理を実行せずに１５１ＳＧＳ２８１に進む。
【０３０８】
１５１ＳＧＳ２８１においてＣＰＵ１０３は、第２アウトスイッチ１５１ＳＧ０４１ＢがＯＮとなったか否か、つまり、遊技球が第２アウトスイッチ１５１ＳＧ０４１Ｂを通過して遊技盤２の背面側に誘導されて排出されたか否かを判定する。第２アウトスイッチ１５１ＳＧ０４１ＢがＯＮとなった場合（１５１ＳＧＳ２８１；Ｙ）は、更に残留数カウンタの値が１以上であるか否か、つまり、第１始動入賞口Ｂや第２始動入賞口入賞した遊技球のうち未だアウト用流路１５１ＳＧ７１４を流下している遊技球が有るか否かを判定する（１５１ＳＧＳ２８２）。
【０３０９】
残留数カウンタの値が１以上である場合（１５１ＳＧＳ２８２；Ｙ）は、残留数カウンタの値を−１するとともにアウト数カウンタの値を＋１して１５１ＳＧＳ２９１に進む（１５１ＳＧＳ２８３、１５１ＳＧＳ２８４）。つまり、本特徴部１５１ＳＧでは、第１始動入賞口Ｂや第２始動入賞口に遊技球が入賞した場合には、該入賞タイミングではアウト数カウンタの値を変化させず、該入賞した遊技球が第２アウト靴を通過したことにもとづいてアウト数カウンタの値を＋１するようになっている。
【０３１０】
一方で、残留数カウンタの値が０である場合（１５１ＳＧＳ２８２；Ｎ）は、１５１ＳＧＳ２８３の処理を実行すること無くアウト数カウンタの値を＋１して１５１ＳＧＳ２９１に進む（１５１ＳＧＳ２８４）。尚、１５１ＳＧＳ２８１において第２アウトスイッチ１５１ＳＧ０４１ＢがＯＦＦである場合（１５１ＳＧＳ２８１；Ｎ）は、１５１ＳＧＳ２８２〜１５１ＳＧＳ２８４の処理を実行すること無く１５１ＳＧＳ２９１に進む。
【０３１１】
また、１５１ＳＧＳ２６２において遊技状態が小当り遊技状態であると判定した場合（１５１ＳＧＳ２６２；Ｙ）、ＣＰＵ１０３は、低ベース時小当りフラグがセットされているか否かを判定する（１５１ＳＧＳ２８６）。低ベース時小当りフラグがセットされていない場合（１５１ＳＧＳ２８６；Ｎ）はベース値算出処理を終了し、低ベース時小当りフラグがセットされている場合（１５１ＳＧＳ２８６；Ｙ）は、更に第１カウントスイッチ１５１ＳＧ０２３ＡがＯＮとなったか否かを判定する（１５１ＳＧＳ２８７）。
【０３１２】
第１カウントスイッチ１５１ＳＧ０２３ＡがＯＦＦである場合（１５１ＳＧＳ２８７；Ｎ）は１５１ＳＧＳ２９１に進み、第１カウントスイッチ１５１ＳＧ０２３ＡがＯＮとなった場合（１５１ＳＧＳ２８７；Ｙ）は、更にＶ入賞フラグがセットされているか否か、つまり、第１カウントスイッチ１５１ＳＧ０２３ＡがＯＮとなったタイミングがＶ入賞の後であるか否かを判定する（１５１ＳＧＳ２８８）。Ｖ入賞フラグがセットされている場合、つまり、第１カウントスイッチ１５１ＳＧ０２３ＡがＯＮとなったタイミングがＶ入賞の後である場合（１５１ＳＧＳ２８８；Ｙ）は１５１ＳＧＳ２９１に進み、Ｖ入賞フラグがセットされていない場合、つまり、第１カウントスイッチ１５１ＳＧ０２３ＡがＯＮとなったタイミングはＶ入賞よりも前（未だＶ入賞が発生していない）である場合（１５１ＳＧＳ２８８；Ｎ）は、賞球数カウンタの値を＋１５するとともにアウト数カウンタの値を＋１して１５１ＳＧＳ２９１に進む（１５１ＳＧＳ２８９、１５１ＳＧＳ２９０）。
【０３１３】
そして、１５１ＳＧＳ２９１においてＣＰＵ１０３は、アウト数カウンタの値が６０００以上であるか否かを判定する。アウト数カウンタの値が５９９９以下である場合（１５１ＳＧＳ２９１；Ｎ）はベース値算出処理を終了し、アウト数カウンタの値が６０００以上である場合（１５１ＳＧＳ２９１；Ｙ）は、アウト数カウンタの値と賞球数カウンタの値とから低ベース状態におけるベース値を算出する（１５１ＳＧＳ２９２）。そして、該算出した低ベース状態でのベース値を表示モニタ１５１ＳＧ０２９に更新表示するとともに（１５１ＳＧＳ２９３）、アウト数カウンタ及び賞球数カウンタの値を０にリセットしてベース値算出処理を終了する（１５１ＳＧＳ２９４）。
【０３１４】
以上のように、本特徴部１５１ＳＧにおいては、遊技状態が低ベース状態である場合の６０００球毎のベース値を算出し、該算出したベース値を表示モニタ１５１ＳＧ０２９に更新表示するようになっている。
【０３１５】
特に図８−２７及び図８−２８（Ａ）に示すように、低ベース状態の第１特別図柄の可変表示において小当りに当選した場合（可変表示結果が小当りとなった場合）は、小当り遊技が開始されてからＶ入賞が発生するまで（遊技球が第２カウントスイッチ１５１ＳＧ０２３Ｂにて検出されるまで）に第１始動入賞口Ｂや第２始動入賞口、大入賞口に遊技球が入賞したことにもとづく賞球についてはベース値を算出するための賞球数に含める（賞球数カウンタに加算する対象に含める）一方で、Ｖ入賞が発生した後に第１始動入賞口Ｂや第２始動入賞口、大入賞口に遊技球が入賞したことにもとづく賞球についてはベース値を算出するための賞球数に含めない（賞球数カウンタに加算する対象に含めない）ようになっている。
【０３１６】
また、図８−２７及び図８−２８（Ｂ）に示すように、大当りＢ〜大当りＦの大当り遊技終了後の高ベース状態での可変表示において小当りに当選した場合（可変表示結果が小当りとなった場合）は、小当り遊技中にＶ入賞が発生したか否かにかかわらず第１始動入賞口Ｂや第２始動入賞口、大入賞口に遊技球が入賞したことにもとづく賞球についてはベース値を算出するための賞球数に含めない（賞球数カウンタに加算する対象に含めない）ようになっている。
【０３１７】
更に、図８−２７及び図８−２８（Ｃ）に示すように、高ベース状態の終了条件（図８−１９（Ｂ）参照）が成立したことにもとづき遊技状態が高ベース状態から低ベース状態に変化（移行）した場合は、高ベース状態中に第２特別図柄の保留記憶が最大で４個記憶されている場合がある。このため、遊技状態が低ベース状態である場合においても第２特別図柄の可変表示が最大で４回実行されるが、該最大で４回の第２特別図柄の可変表示において小当りに当選した場合（可変表示結果が小当りとなった場合）は、小当り遊技が開始されてからＶ入賞が発生するまで（遊技球が第２カウントスイッチ１５１ＳＧ０２３Ｂにて検出されるまで）に第１始動入賞口Ｂや第２始動入賞口、大入賞口に遊技球が入賞したことにもとづく賞球についてはベース値を算出するための賞球数に含める（賞球数カウンタに加算する対象に含める）一方で、Ｖ入賞が発生した後に第１始動入賞口Ｂや第２始動入賞口、大入賞口に遊技球が入賞したことにもとづく賞球についてはベース値を算出するための賞球数に含めない（賞球数カウンタに加算する対象に含めない）ようになっている。
【０３１８】
尚、図８−２８（Ｃ）に示すように、遊技状態が高ベース状態から低ベース状態に移行した直後は、最大で４回の第２特別図柄の可変表示が実行されるが、画像表示装置５に低ベース状態用の背景画像を表示することや、スピーカ８Ｌ、８Ｒから右遊技領域１５１ＳＧ００２Ｒに向けての遊技球の打ち出しを停止して左遊技領域１５１ＳＧ００２Ｌに向けての遊技球の打ち出しに切り替える旨の指示を行うことによって、遊技者に対して遊技状態が低ベース状態に移行したことを報知してもよい。
【０３１９】
以上、本特徴部１５１ＳＧにおけるパチンコ遊技機１にあっては、図８−２８（Ａ）に示すように、低ベース状態の第１特別図柄の可変表示において可変表示結果が小当りとなった場合は、該可変表示にもとづく小当り遊技中に付与された賞球数を賞球数カウンタに加算するので、低ベース状態において開放状態に変化した大入賞口に遊技球が入賞することによって付与された賞球数を賞球数カウンタに加算することによって低ベース状態におけるベース値を表示モニタ１５１ＳＧ０２９に算出することができるようになっている。
【０３２０】
また、入賞ユニット１５１ＳＧ７００内には、大入賞口に入賞した遊技球を検出可能な第２カウントスイッチ１５１ＳＧ０２３Ｂが設けられており、小当り遊技中に遊技球が第２カウントスイッチ１５１ＳＧ０２３Ｂによって検出される（小当り遊技中に遊技球が第２カウントスイッチ１５１ＳＧ０２３Ｂを通過する）ことによって大当り遊技状態に制御されるようになっているので、小当り遊技中に遊技球が第２カウントスイッチ１５１ＳＧ０２３Ｂを通過するか否かに遊技者を注目させることができ、遊技興趣を向上できる。
【０３２１】
また、低ベース状態において第１特別図柄の可変表示結果が小当りとなる場合においては、該可変表示にもとづく小当り遊技中のＶ入賞が発生する前（遊技球が第２カウントスイッチ１５１ＳＧ０２３Ｂを通過する前）の期間においては、大入賞口に遊技球が入賞することによって付与された賞球数を賞球数カウンタに加算する一方で、該可変表示にもとづく小当り遊技中のＶ入賞が発生した後の期間においては、大入賞口に遊技球が入賞することによって付与された賞球数を賞球数カウンタに加算しないようになっているので、小当り遊技中において遊技球が第２カウントスイッチ１５１ＳＧ０２３Ｂを通過した後、すなわち大当り遊技中に遊技球が大入賞口に入賞することによって付与された賞球数が賞球数カウンタに加算されることによって低ベース状態のベース値として不適切な値が表示モニタ１５１ＳＧ０２９に表示されてしまうことを防ぐことができる。
【０３２２】
また、特徴部１５１ＳＧのパチンコ遊技機１においては、左遊技領域１５１ＳＧ００２Ｌと右遊技領域１５１ＳＧ００２Ｒとが設けられているとともに、低ベース状態では主に左遊技領域１５１ＳＧ００２Ｌに向けて遊技球を発射することで遊技を行うことが可能である一方で、高ベース状態では主に右遊技領域１５１ＳＧ００２Ｒに向けて遊技球を発射することで遊技を行うことが可能となっており、図８−１及び図８−５に示すように、大入賞口を有する特別可変入賞球装置１５１ＳＧ７０１は右遊技領域１５１ＳＧ００２Ｒに設けられている。このため、第１特別図柄の可変表示結果が小当りとなった場合は、該可変表示にもとづく小当り遊技中に大入賞口に遊技球が入賞することによって付与された賞球数を考慮して低ベース状態のベース値を表示モニタ１５１ＳＧ０２９に表示することができる。
【０３２３】
尚、本特徴部１５１ＳＧでは、右遊技領域１５１ＳＧ００２Ｒに大入賞口を設けることによって、左遊技領域１５１ＳＧ００２Ｌを流下する遊技球は大入賞口に入賞不能である形態を例示したが、本発明はこれに限定されるものではなく、例えば、大入賞口を入賞球装置６Ａと第１アウト口との間に設けることによって、右遊技領域１５１ＳＧ００２Ｒを流下する遊技球と左遊技領域１５１ＳＧ００２Ｌを流下する遊技球の両方が大入賞口に入賞可能としてもよい。
【０３２４】
また、図８−２８（Ｃ）に示すように、ＣＰＵ１０３は、遊技状態が高ベース状態から低ベース状態に移行した直後の最大で４回の第２特別図柄の可変表示において可変表示結果が小当りとなることによって小当り遊技状態に制御するので、低ベース状態における第２特別図柄の可変表示結果が小当りとなることによって開放状態となった大入賞口に遊技球が入賞することにより付与された賞球数を考慮した低ベース状態におけるベース値を表示モニタ１５１ＳＧ０２９に表示することができる。
【０３２５】
また、図８−２７に示すベース値算出処理においてＣＰＵ１０３は、１５１ＳＧＳ２６４〜１５１ＳＧＳ２６６の処理に示すように、第１始動口Ａスイッチ１５１ＳＧ０２２ＡがＯＮとなった場合（第１始動口Ａスイッチ１５１ＳＧ０２２Ａが遊技球を検出した場合）は、アウト数カウンタの値と賞球数カウンタの値の両方を加算するが、１５１ＳＧＳ２７１〜１５１ＳＧＳ２７３ａの処理に示すように、第２始動口スイッチ１５１ＳＧ０２２ＣがＯＮとなった場合（第２始動口スイッチ１５１ＳＧ０２２Ｃが遊技球を検出した場合）は、アウト数カウンタの値の加算を行わずに賞球数カウンタの値のみ加算するので、ＣＰＵ１０３によって算出される低ベース状態でのベース値が不正確となってしまうことを防ぐことができる。
【０３２６】
また、図８−２７に示ベース値算出処理においてＣＰＵ１０３は、１５１ＳＧＳ２８１〜１５１ＳＧＳ２８４に示すように、遊技球が第２始動口スイッチ１５１ＳＧ０２２Ｃにて検出された後、該遊技球が第２アウトスイッチ１５１ＳＧ０４１Ｂにて検出されたことによりアウト数カウンタの値を加算するので、遊技球が遊技盤２から排出されたタイミングで正確にアウト数カウンタの値を加算することできるとともに、遊技球が第２アウトスイッチ１５１ＳＧ０４１Ｂにて検出されたことによるアウト数カウンタの加算処理が複雑化してしまうことを防ぐことができる。
【０３２７】
また、図８−１及び図８−５に示すように、第１アウト口は左遊技領域１５１ＳＧ００２Ｌを流下する遊技球と右遊技領域１５１ＳＧ００２Ｒを流下する遊技球が進入可能に設けられている一方で、第２アウト口は右遊技領域１５１ＳＧ００２Ｒを流下する遊技球が進入可能であるとともに左遊技領域１５１ＳＧ００２Ｌを流下する遊技球が進入不能に設けられているので、左遊技領域１５１ＳＧ００２Ｌを流下する遊技球や右遊技領域１５１ＳＧ００２Ｒを流下する遊技球を的確に遊技盤２か排出することができるとともに、や右遊技領域１５１ＳＧ００２Ｒを流下する遊技球について正確な割合を算出することができる。
【０３２８】
また、図８−５に示すように、右遊技領域１５１ＳＧ００２Ｒには、第２始動入賞口及び第２始動口スイッチ１５１ＳＧ０２２Ｃ、第２アウト口及び第２アウトスイッチ１５１ＳＧ０４１Ｂが一体に設けられた入賞ユニット１５１ＳＧ７００が設けられているので、第２入賞口および第２アウト口に進入した遊技媒体を第２アウトスイッチ１５１ＳＧ０４１Ｂにて検出可能とするためのアウト用流路１５１ＳＧ７１４を入賞ユニット１５１ＳＧ７００内に的確に設けることができる。
【０３２９】
また、図８−２７におけるベース値算出処理においてＣＰＵ１０３は、１５１ＳＧＳ２７１〜１５１ＳＧＳ２７３ａに示すように、遊技球が第２始動口スイッチ１５１ＳＧ０２２Ｃにて検出されたことによりアウト数カウンタの値に０を加算する処理を実行するので、遊技球が第１始動口スイッチＡ１５１ＳＧ０２２Ａにて検出されたときと処理を共通化することができるので、ベース値算出処理のプログラムを簡素化することができる。特に本特徴部１５１ＳＧでは、第２アウトスイッチ１５１ＳＧ０４１Ｂにて遊技球が検出されたタイミングでアウト数カウンタの値に１を加算する処理を実行しているので、遊技球が第２始動口スイッチ１５１ＳＧ０２２Ｃにて検出されたタイミングでアウト数カウンタの値に０を加算する処理を実行することで、二重にアウト数カウンタに１が加算されてしまうことを防ぐことができる。
【０３３０】
尚、本特徴部１５１ＳＧでは、ベース値算出処理において、遊技球が第２始動口スイッチ１５１ＳＧ０２２Ｃにて検出されたことによりアウト数カウンタの値に０を加算する形態を例示しているが、本発明はこれに限定されるものではなく、遊技球が第２始動口スイッチ１５１ＳＧ０２２Ｃにて検出された場合には、前述したアウト数カウンタの値に０を加算する処理を実行しない（アウト数カウンタの値にいずれの数値も加算しない）ようにしてもよい。
【０３３１】
以上、本実施の形態の特徴部１５１ＳＧを図面により説明してきたが、具体的な構成はこれら特徴部に限られるものではなく、本発明の要旨を逸脱しない範囲における変更や追加があっても本発明に含まれる。
【０３３２】
例えば、前記特徴部１５１ＳＧでは、可変表示結果が大当りとなったことにもとづいて大当り遊技状態に制御可能であるとともに、小当り遊技中にＶ入賞が発生したことにもとづいて大当り遊技状態に制御可能なパチンコ遊技機１（所謂１種２種混合機）に本発明を適用する形態を例示したが、本発明はこれに限定されるものではなく、例えば、大当り遊技終了後に小当りの発生頻度が向上する、或いは、小当り遊技中における大入賞口への入賞頻度が向上する特殊状態（所謂小当りラッシュ）に制御可能なパチンコ遊技機に本発明を適用してもよい。尚、このように所謂小当りラッシュ機能を搭載したパチンコ遊技機１に本発明を適用する場合は、前記特徴部１５１ＳＧと同様に、小当りラッシュ中に遊技球が大入賞口に入賞したことにもとづいて付与された賞球については、ベース値を算出するための賞球数に含めない（大入賞口に入賞したことにより付与された賞球数を賞球数カウンタに加算しない）ようにすることで、表示モニタ１５１ＳＧ０２９に不適切なベース値が表示されてしまうことを防ぐようにすればよい。
【０３３３】
また、前記特徴部１５１ＳＧでは、図８−５に示すように、普電入賞口に入賞した遊技球は第４カウントスイッチ１５１ＳＧ０２３Ｄを通過した後に第５カウントスイッチ１５１ＳＧ０２３Ｅまたは第６カウントスイッチ１５１ＳＧ０２３Ｆを通過する形態を例示したが、本発明はこれに限定されるものではなく、例えば、第４カウントスイッチ１５１ＳＧ０２３Ｄを通過した遊技球と第５カウントスイッチ１５１ＳＧ０２３Ｅ及び第６カウントスイッチ１５１ＳＧ０２３Ｆを通過した遊技球数をカウントすることによって、同一の遊技球が第５カウントスイッチ１５１ＳＧ０２３Ｅ及び第６カウントスイッチ１５１ＳＧ０２３Ｆを繰返し通過して第１始動入賞口Ｂや第２始動入賞口を開放するといった不正行為を検出可能としてもよい。
【０３３４】
また、前記特徴部１５１ＳＧでは、表示モニタ１５１ＳＧ０２９において低ベース状態でのベース値を表示する形態を例示したが、本発明はこれに限定されるものではなく、該ベース値に関する情報であれば表示モニタ１５１ＳＧ０２９に表示する情報は低ベース状態におけるベース値以外の情報（例えば、算出したベース値が予め定められている基準値よりも高いか否か等）でもよい。
【０３３５】
また、前記特徴部１５１ＳＧでは、ＣＰＵ１０３がベース値算出処理（図８−２０参照）を実行することで低ベース状態でのベース値を算出する形態を例示したが、本発明はこれに限定されるものではなく、該ベース値の算出に係るプログラムは、ＲＯＭ１０１における遊技の進行に係るプログラムが記憶されている領域とは異なる領域に記憶されていてもよい。また、このように遊技の進行とは関連しないプログラムに使用されるデータ（ベース値の算出に用いる数値データや、算出された数値データ等）は、ＲＡＭ１０２における遊技の進行に係るデータが記憶されている領域とは異なる領域に記憶されるものとしてもよい。
【０３３６】
また、前記特徴部１５１ＳＧでは、アウト球数が６０００球に達する毎に低ベース状態におけるベース値を算出して表示モニタ１５１ＳＧ０２９に更新表示する形態を例示したが、本発明はこれに限定されるものではなく、第１高ベース状態や第２高ベース状態におけるベース値を算出して表示モニタ１５１ＳＧ０２９に更新表示可能としてもよいし、また、過去に算出したベース値を記憶しておき、これら記憶しているベース値の平均値を表示モニタ１５１ＳＧ０２９にて表示可能としてもよい。
【符号の説明】
【０３３７】
１          パチンコ遊技機
４Ａ        第１特別図柄表示装置
４Ｂ        第２特別図柄表示装置
５          画像表示装置
１０３      ＣＰＵ
１２０      演出制御用ＣＰＵ
【図１】
2020065774.tif 000003
【図２】
2020065774.tif 000004
【図３】
2020065774.tif 000005
【図４】
2020065774.tif 000006
【図５】
2020065774.tif 000007
【図６】
2020065774.tif 000008
【図７】
2020065774.tif 000009
【図８−１】
2020065774.tif 000010
【図８−２】
2020065774.tif 000011
【図８−３】
2020065774.tif 000012
【図８−４】
2020065774.tif 000013
【図８−５】
2020065774.tif 000014
【図８−６】
2020065774.tif 000015
【図８−７】
2020065774.tif 000016
【図８−８】
2020065774.tif 000017
【図８−９】
2020065774.tif 000018
【図８−１０】
2020065774.tif 000019
【図８−１１】
2020065774.tif 000020
【図８−１２】
2020065774.tif 000021
【図８−１３】
2020065774.tif 000022
【図８−１４】
2020065774.tif 000023
【図８−１５】
2020065774.tif 000024
【図８−１６】
2020065774.tif 000025
【図８−１７】
2020065774.tif 000026
【図８−１８】
2020065774.tif 000027
【図８−１９】
2020065774.tif 000028
【図８−２０】
2020065774.tif 000029
【図８−２１】
2020065774.tif 000030
【図８−２２】
2020065774.tif 000031
【図８−２３】
2020065774.tif 000032
【図８−２４】
2020065774.tif 000033
【図８−２５】
2020065774.tif 000034
【図８−２６】
2020065774.tif 000035
【図８−２７】
2020065774.tif 000036
【図８−２８】
2020065774.tif 000037